(57)【要約】  ダイバーシティ受信装置は、複数のブランチのダイバーシティ信号を受信するものであり、前記ブランチ毎にノイズ量を算出する複数のノイズ量算出回路と、該各ノイズ量算出回路で算出されたノイズ量の大小を比較し、ノイズ量が大きいブランチのパワーをノイズ量に応じて、ダイバーシティ合成比を変えるダイバーシティ合成回路と、を備える。【特許請求の範囲】
【請求項１】
複数のブランチのダイバーシティ信号を受信するダイバーシティ受信装置であって、
前記ブランチ毎にノイズ量を算出する複数のノイズ量算出回路と、
該各ノイズ量算出回路で算出されたノイズ量の大小を比較し、ノイズ量が大きいブランチのパワーをノイズ量に応じて、ダイバーシティ合成比を変えるダイバーシティ合成回路と、を備えることを特徴とするダイバーシティ受信装置。
【請求項２】
請求項１に記載のダイバーシティ受信装置において、前記ノイズ量算出回路は、データキャリア信号をデマッピングした値およびデマッピング基準値の分散積分値から前記ノイズ量を算出することを特徴とするダイバーシティ受信装置。
【請求項３】
請求項１に記載のダイバーシティ受信装置において、前記ノイズ量算出回路は、パイロット信号の分散積分値から前記ノイズ量を算出することを特徴とするダイバーシティ受信装置。
【請求項４】
請求項１に記載のダイバーシティ受信装置において、前記ノイズ量算出回路は、ＡＣ，ＴＭＣＣ信号の分散積分値から前記ノイズ量を算出することを特徴とするダイバーシティ受信装置。
【請求項５】
請求項１に記載のダイバーシティ受信装置において、複数のノイズの閾値を設け、該複数のノイズの閾値により新たにノイズレベルを与えるようにしたことを特徴とするダイバーシティ受信装置。
【請求項６】
請求項５に記載のダイバーシティ受信装置において、前記各ブランチのノイズレベルにより、それぞれ固定合成比を用いて前記ダイバーシティ合成比を変えるようにしたことを特徴とするダイバーシティ受信装置。
【請求項７】
請求項５に記載のダイバーシティ受信装置において、前記閾値は、階層分に対応して設定されることを特徴とするダイバーシティ受信装置。
【請求項８】
複数のブランチのダイバーシティ信号を受信するダイバーシティ受信装置であって、
前記ブランチ毎にノイズ量を算出する複数のノイズ量算出回路と、
該各ノイズ量算出回路で算出されたノイズ量の大小を比較し、ノイズ量が大きいブランチのパワーをノイズ量に応じて、前記各ブランチの選択および重み付け量を制御する選択ダイバーシティ回路と、を備えることを特徴とするダイバーシティ受信装置。
【請求項９】
請求項８に記載のダイバーシティ受信装置において、前記ノイズ量算出回路は、データキャリア信号をデマッピングした値およびデマッピング基準値の分散積分値から前記ノイズ量を算出することを特徴とするダイバーシティ受信装置。
【請求項１０】
請求項８に記載のダイバーシティ受信装置において、前記パイロット信号はＳＰ信号であることを特徴とするダイバーシティ受信装置。
【請求項１１】
請求項８に記載のダイバーシティ受信装置において、前記ノイズ量算出回路は、ＡＣ，ＴＭＣＣ信号の分散積分値から前記ノイズ量を算出することを特徴とするダイバーシティ受信装置。
【請求項１２】
請求項８に記載のダイバーシティ受信装置において、複数のノイズの閾値を設け、該複数のノイズの閾値により新たにノイズレベルを与えるようにしたことを特徴とするダイバーシティ受信装置。
【請求項１３】
請求項１２に記載のダイバーシティ受信装置において、前記閾値は、階層分に対応して設定されることを特徴とするダイバーシティ受信装置。
【請求項１４】
ダイバーシティ信号を受信するダイバーシティ受信装置であって、
合成前に予めデマッピングを行って軟判定ビットを算出するデマッピング回路と、
前記軟判定ビットをノイズ量とし、各ブランチのノイズ量の大小を比較し、ノイズ量が大きいブランチのパワーをノイズ量に応じて、ダイバーシティ合成比を変えるダイバーシティ合成回路と、を備えることを特徴とするダイバーシティ受信装置。
【請求項１５】
請求項１４に記載のダイバーシティ受信装置において、前記軟判定ビットを決定する閾値以外の閾値を設け、前記ノイズ量を決定することを特徴とするダイバーシティ受信装置。
【請求項１６】
請求項１５に記載のダイバーシティ受信装置において、前記閾値は、階層分に対応して設定されることを特徴とするダイバーシティ受信装置。
【請求項１７】
ダイバーシティ信号を受信するダイバーシティ受信装置であって、
合成前に予めデマッピングを行って軟判定ビットを算出するデマッピング回路と、
前記軟判定ビットをノイズ量とし、各ブランチのノイズ量の大小を比較し、ノイズ量が大きいブランチのパワーをノイズ量に応じて、前記ブランチの選択および重み付け量を制御する選択ダイバーシティ回路と、を備えることを特徴とするダイバーシティ受信装置。
【請求項１８】
請求項１７に記載のダイバーシティ受信装置において、前記軟判定ビットを決定する閾値以外の閾値を設け、前記ノイズ量を決定することを特徴とするダイバーシティ受信装置。
【請求項１９】
請求項１８に記載のダイバーシティ受信装置において、前記閾値は、階層分に対応して設定されることを特徴とするダイバーシティ受信装置。
【請求項２０】
複数のブランチの復調信号を合成するダイバーシティ受信装置であって、
ノイズ量が多いブランチの復調信号ほど合成割合が小さくなるように前記複数のブランチの復調信号を合成することを特徴とするダイバーシティ受信装置。
【請求項２１】
請求項２０に記載のダイバーシティ受信装置において、さらに、
前記複数のブランチの信号電力値を算出する複数の電力算出回路と、
前記複数の電力算出回路が出力する複数の信号電力値に重み付けを行う複数の重み付け回路と、
ノイズ量が多いブランチの復調信号ほど合成割合が小さくなるように前記複数の重み付け回路に複数の重み付け係数を供給する重み付け係数供給回路と、
前記複数のブランチの復調信号と前記複数の重み付け回路が出力する複数の重み付け済み信号電力値を入力して最大比合成法により前記複数のブランチの復調信号を合成する合成値算出回路と、を備えることを特徴とするダイバーシティ受信装置。
【請求項２２】
請求項２１に記載のダイバーシティ受信装置において、前記重み付け係数供給回路は、
前記複数のブランチのノイズ量を算出する複数のノイズ量算出回路と、
前記複数のノイズ量算出回路が出力するノイズ量を比較するノイズ量比較回路と、
前記複数のノイズ量算出回路が出力するノイズ量と前記ノイズ量比較回路が出力するノイズ量比較結果から、前記複数の重み付け係数を算出する重み付け係数算出回路と、を備えることを特徴とするダイバーシティ受信装置。
【請求項２３】
請求項２２に記載のダイバーシティ受信装置において、前記ノイズ量算出回路は、データキャリア信号をデマッピングした値のデマッピング基準値との比較分散積分値、または、伝送路推定信号の分散積分値、または、ＡＣ，ＴＭＣＣ信号の分散積分値から、ノイズ量を算出することを特徴とするダイバーシティ受信装置。
【請求項２４】
請求項２１に記載のダイバーシティ受信装置において、前記重み付け係数供給回路は、
前記複数のブランチのノイズ量を算出する複数のノイズ量算出回路と、
前記複数のノイズ量算出回路が出力するノイズ量を比較するノイズ量比較回路と、
前記複数のノイズ量算出回路が出力するノイズ量と前記ノイズ量比較回路が出力するノイズ量比較結果から、第１の複数の被選択重み付け係数を算出する重み付け係数算出回路と、
前記複数のノイズ量算出回路が出力するノイズ量と１以上の閾値との大小関係に基づいて、第２の複数の被選択重み付け係数を出力するノイズ閾値回路と、
前記ノイズ閾値回路に制御され、前記第１の複数の被選択重み付け係数または前記第２の複数の被選択重み付け係数を前記複数の重み付け係数として選択する選択回路と、を備えることを特徴とするダイバーシティ受信装置。
【請求項２５】
請求項２４に記載のダイバーシティ受信装置において、前記ノイズ量算出回路は、データキャリア信号をデマッピングした値のデマッピング基準値との比較分散積分値、または、伝送路推定信号の分散積分値、または、ＡＣ，ＴＭＣＣ信号の分散積分値から、ノイズ量を算出することを特徴とするダイバーシティ受信装置。
【請求項２６】
請求項２０に記載のダイバーシティ受信装置において、さらに、
複数の前段合成値算出回路と、
前記複数の前段合成値算出回路の後段に後段合成値算出回路を有し、
前記複数の前段合成値算出回路は、
前記複数のブランチの一部の複数のブランチの信号電力値を算出する複数の電力算出回路と、
前記複数の電力算出回路が出力する複数の信号電力値に重み付けを行う複数の重み付け回路と、
ノイズ量が多いブランチの復調信号ほど合成割合が小さくなるように前記複数の重み付け回路に複数の重み付け係数を供給する重み付け係数供給回路と、
前記複数のブランチの復調信号と前記複数の重み付け回路が出力する複数の重み付け済み信号電力値を入力して最大比合成法により前記複数のブランチの一部の複数のブランチの復調信号を合成すると共に、合成電力値を算出する合成値算出回路と、を備え、
前記後段合成値算出回路は、前記複数の前段合成値算出回路が出力する複数の合成復調信号を１段構成または複数段構成で合成することを特徴とするダイバーシティ受信装置。
【請求項２７】
請求項２６に記載のダイバーシティ受信装置において、前記重み付け係数供給回路は、
前記複数のブランチの一部の複数のブランチのノイズ量を算出する複数のノイズ量算出回路と、
前記複数のノイズ量算出回路が出力するノイズ量を比較するノイズ量比較回路と、
前記複数のノイズ量算出回路が出力するノイズ量と前記ノイズ量比較回路が出力するノイズ量比較結果から、前記複数の重み付け係数を算出する重み付け係数算出回路と、を備えることを特徴とするダイバーシティ受信装置。
【請求項２８】
請求項２７に記載のダイバーシティ受信装置において、
前記複数の前段合成値算出回路は、それぞれ、前記複数のノイズ量算出回路が出力するノイズ量のうち、最も少ないノイズ量を前記後段合成値算出回路に与える構成とされ、
前記後段合成値算出回路は、
前記複数の前段合成値算出回路が出力する複数の合成電力値に重み付けを行う複数の重み付け回路と、
前記後段合成値算出回路に与えるノイズ量が多い前段合成値算出回路が出力する合成復調信号ほど合成割合が小さくなるように前記複数の重み付け回路に複数の重み付け係数を供給する重み付け係数供給回路と、
前記複数の前段合成値算出回路が出力する複数の合成復調信号と前記後段合成値算出回路の複数の重み付け回路が出力する複数の重み付け済み合成電力値を入力して最大比合成法により前記複数の前段合成値算出回路が出力する合成復調信号を合成する合成値算出回路と、を備えることを特徴とするダイバーシティ受信装置。
【請求項２９】
請求項２８に記載のダイバーシティ受信装置において、前記後段合成値算出回路の重み付け係数供給回路は、
前記複数の前段合成値算出回路から与えられるノイズ量を比較するノイズ量比較回路と、
前記複数の前段合成値算出回路から与えられるノイズ量と前記後段合成値算出回路のノイズ量比較回路が出力するノイズ量比較結果から、第１の複数の被選択重み付け係数を算出する重み付け係数算出回路と、
前記複数の前段合成値算出回路から与えられるノイズ量と前記後段合成値算出回路のノイズ量比較回路が出力するノイズ量比較結果から、前記後段合成値算出回路の前記複数の重み付け回路に供給する前記複数の重み付け係数を算出する重み付け係数算出回路と、を備えることを特徴とするダイバーシティ受信装置。
【請求項３０】
請求項２８に記載のダイバーシティ受信装置において、前記後段合成値算出回路の重み付け係数供給回路は、
前記複数の前段合成値算出回路から与えられるノイズ量を比較するノイズ量比較回路と、
前記複数の前段合成値算出回路から与えられるノイズ量と前記後段合成値算出回路のノイズ量比較回路が出力するノイズ量比較結果から、第１の複数の被選択重み付け係数を算出する重み付け係数算出回路と、
前記複数の前段合成値算出回路から与えられるノイズ量と１以上の閾値を入力し、前記複数の前段合成値算出回路から与えられるノイズ量と前記１以上の閾値との大小関係に基づいて、第２の複数の被選択重み付け係数を算出するノイズ閾値回路と、
前記ノイズ閾値回路に制御され、前記第１の複数の被選択重み付け係数または前記第２の複数の被選択重み付け係数を前記重み付け係数として選択する選択回路と、を備えることを特徴とするダイバーシティ受信装置。
【請求項３１】
請求項２７に記載のダイバーシティ受信装置において、前記ノイズ量算出回路は、データキャリア信号をデマッピングした値のデマッピング基準値との比較分散積分値、または、伝送路推定信号の分散積分値、または、ＡＣ，ＴＭＣＣ信号の分散積分値から、ノイズ量を算出することを特徴とするダイバーシティ受信装置。
【請求項３２】
請求項２６に記載のダイバーシティ受信装置において、前記重み付け係数供給回路は、
前記複数のブランチの一部の複数のブランチのノイズ量を算出する複数のノイズ量算出回路と、
前記複数のノイズ量算出回路が出力するノイズ量を比較するノイズ量比較回路と、前記複数のノイズ量算出回路が出力するノイズ量と前記ノイズ量比較回路が出力するノイズ量比較結果から、第１の複数の被選択重み付け係数を算出する重み付け係数算出回路と、
前記複数のノイズ量算出回路が出力するノイズ量と１以上の閾値との大小関係に基づいて、第２の複数の被選択重み付け係数を算出するノイズ閾値回路と、
前記ノイズ閾値回路に制御され、前記第１の複数の被選択重み付け係数または前記第２の複数の被選択重み付け係数を前記重み付け係数として選択する選択回路と、を備えることを特徴とするダイバーシティ受信装置。
【請求項３３】
請求項３２に記載のダイバーシティ受信装置において、
前記複数の前段合成値算出回路は、それぞれ、前記複数のノイズ量算出回路が出力するノイズ量のうち、最も少ないノイズ量を前記後段合成値算出回路に与える構成とされ、
前記後段合成値算出回路は、
前記複数の前段合成値算出回路が出力する複数の合成電力値に重み付けを行う複数の重み付け回路と、
前記後段合成値算出回路に与えるノイズ量が多い前段合成値算出回路が出力する合成復調信号ほど合成割合が小さくなるように前記複数の重み付け回路に複数の重み付け係数を供給する重み付け係数供給回路と、
前記複数の前段合成値算出回路が出力する複数の合成復調信号と前記後段合成値算出回路の複数の重み付け回路が出力する複数の重み付け済み合成電力値を入力して最大比合成法により前記複数の前段合成値算出回路が出力する合成復調信号を合成する合成値算出回路と、を備えることを特徴とするダイバーシティ受信装置。
【請求項３４】
請求項３３に記載のダイバーシティ受信装置において、前記後段合成値算出回路の重み付け係数供給回路は、
前記複数の前段合成値算出回路から与えられるノイズ量を比較するノイズ量比較回路と、
前記複数の前段合成値算出回路から与えられるノイズ量と前記後段合成値算出回路のノイズ量比較回路が出力するノイズ量比較結果から、第１の複数の被選択重み付け係数を算出する重み付け係数算出回路と、
前記複数の前段合成値算出回路から与えられるノイズ量と前記後段合成値算出回路のノイズ量比較回路が出力するノイズ量比較結果から、前記後段合成値算出回路の前記複数の重み付け回路に供給する前記複数の重み付け係数を算出する重み付け係数算出回路と、を備えることを特徴とするダイバーシティ受信装置。
【請求項３５】
請求項３３に記載のダイバーシティ受信装置において、前記後段合成値算出回路の重み付け係数供給回路は、
前記複数の前段合成値算出回路から与えられるノイズ量を比較するノイズ量比較回路と、
前記複数の前段合成値算出回路から与えられるノイズ量と前記後段合成値算出回路のノイズ量比較回路が出力するノイズ量比較結果から、第１の複数の被選択重み付け係数を算出する重み付け係数算出回路と、
前記複数の前段合成値算出回路から与えられるノイズ量と１以上の閾値を入力し、前記複数の前段合成値算出回路から与えられるノイズ量と前記１以上の閾値との大小関係に基づいて、第２の複数の被選択重み付け係数を算出するノイズ閾値回路と、
前記ノイズ閾値回路に制御され、前記第１の複数の被選択重み付け係数または前記第２の複数の被選択重み付け係数を前記重み付け係数として選択する選択回路と、を備えることを特徴とするダイバーシティ受信装置。
【請求項３６】
請求項３２に記載のダイバーシティ受信装置において、前記ノイズ量算出回路は、データキャリア信号をデマッピングした値のデマッピング基準値との比較分散積分値、または、伝送路推定信号の分散積分値、または、ＡＣ，ＴＭＣＣ信号の分散積分値から、ノイズ量を算出することを特徴とするダイバーシティ受信装置。
【発明の詳細な説明】
【技術分野】
【０００１】
本発明は、複数のブランチの復調信号の合成を行うダイバーシティ受信装置に関し、特に、ブランチの復調信号にノイズが混入したときでも良好な受信性能を発揮するダイバーシティ受信装置に関する。
【背景技術】
【０００２】
従来、無線信号をダイバーシティ方式で受信するダイバーシティ受信装置として、例えば、２系統のブランチ（ブランチ１およびブランチ２）を有するＯＦＤＭ（Orthogonal Frequency Division Multiplexing：直交周波数分割多重）受信装置が実用化されている。【０００３】
そして、例えば、ディジタルテレビジョン放送やディジタルラジオ放送の受信機、或いは、無線ＬＡＮ（Local Area Network）等のＯＦＤＭ信号処理においては、より性能の優れたＯＦＤＭ信号処理ＬＳＩおよびＯＦＤＭ受信装置が要求されている。【０００４】
ここで、ダイバーシティ受信技術は、複数のアンテナを使用し、その複数のアンテナで受信した信号を選択、或いは、合成することで安定受信を可能にする技術であり、ブランチとは、ダイバーシティにおける１つの受信系を意味する。【０００５】
図１は従来のダイバーシティ受信装置の一例の要部を示すブロック回路図であり、ＯＦＤＭ受信装置に適用されるダイバーシティ合成回路（ＯＦＤＭ信号処理用ＬＳＩ）の一例の要部を示すものである。【０００６】
図１に示されるように、ダイバーシティ合成回路は、電力算出回路１１−１，１１−２、および、合成値算出回路１３を備えている。電力算出回路１１−１は、ブランチ１の伝送路推定信号ＤＡ１に従ってブランチ１のＯＦＤＭ信号電力値ＤＢ１を算出し、また、電力算出回路１１−２は、ブランチ２の伝送路推定信号ＤＡ２に従ってブランチ２のＯＦＤＭ信号電力値ＤＢ２を算出する。【０００７】
合成値算出回路１３は、ブランチ１の復調データＤＣ１およびＯＦＤＭ信号電力値ＤＢ１、並びに、ブランチ２の復調データＤＣ２およびＯＦＤＭ信号電力値ＤＢ２を受け取り、ブランチ１のＯＦＤＭ信号電力値ＤＢ１とブランチ２のＯＦＤＭ信号電力値ＤＢ２の割合に応じて、ブランチ１のＯＦＤＭ復調信号ＤＣ１とブランチ２のＯＦＤＭ復調信号ＤＣ２とを最大比合成法により合成して合成復調信号ＤＤを算出する。【０００８】
ところで、従来、各ブランチの雑音電力が等しくない場合においても、選択合成や最大比合成を最適な比率で行うことができるＯＦＤＭ信号受信用のダイバーシティ受信装置として、受信信号をブランチ毎にＦＦＴ処理して復調し、雑音成分が含まれるデータを一定帯域幅にわたって積算し、各ブランチの雑音電力を個別に求めることにより、各ブランチの受信高周波段に設けられたＡＧＣ増幅器の増幅率や雑音指数等の値を、ＦＦＴ処理後のベースバンド信号から推定して最適な比率で信号合成を行うダイバーシティ受信装置が提案されている（例えば、特許文献１参照）。【０００９】
また、従来、最大比合成法で期待される性能を有するダイバーシティ受信を可能にするために、ディジタルＯＦＤＭ信号またはキャリア信号列を入力し、ディジタルＯＦＤＭ信号に混入している雑音レベルまたはキャリア信号列に混入している雑音レベルを検出して出力する雑音レベル検出回路と、雑音レベルを入力し、基準となる雑音レベルに対する雑音レベル比を算出して出力する雑音レベル比算出回路と、雑音レベル比を入力し、キャリア信号列を前記雑音レベル比倍したキャリア信号を出力する雑音レベル同一化回路と、を備えるＯＦＤＭ受信装置も提案されている（例えば、特許文献２参照）。【００１０】
【特許文献１】特開２００４−３１２３３３号公報
【特許文献２】特開２００４−１１２１５５号公報
【発明の開示】
【発明が解決しようとする課題】
【００１１】
上述したように、従来、例えば、ダイバーシティ方式を用いたＯＦＤＭ受信装置は、一般的に最大比合成法を適用しており、ノイズ量が考慮されていなかった。そのため、あるブランチが別のブランチに比べてノイズ量が多い場合でも、その劣化した信号と共に合成されることになって、ノイズ量の少ない側のブランチ単独での受信性能よりも悪化することさえあった。【００１２】
すなわち、例えば、上述した図１に示す従来のダイバーシティ受信装置（ダイバーシティ合成回路）では、各ブランチのノイズ量を考慮していないため、一方のブランチのノイズ量が他方のブランチのノイズ量より多いと、一方のブランチのＯＦＤＭ信号電力値が他方のブランチのＯＦＤＭ信号電力値よりも大きいと判断され、その結果、合成値算出回路１３では、信号劣化が大きい側のブランチのＯＦＤＭ復調信号の合成割合が大きくなるように合成される。そのため、場合によっては、受信性能が、ノイズ量の少ない側のブランチ単独での受信性能よりも悪化してしまう場合があるという解決すべき課題があった。【００１３】
本発明は、上述した従来のダイバーシティ受信装置が有する課題に鑑み、複数のブランチの復調信号を合成する際に、ノイズにより劣化した復調信号の合成量を減らすことにより、受信性能を高めることができるようにしたダイバーシティ受信装置の提供を目的とする。
【課題を解決するための手段】
【００１４】
本発明の第１の形態によれば、複数のブランチのダイバーシティ信号を受信するダイバーシティ受信装置であって、前記ブランチ毎にノイズ量を算出する複数のノイズ量算出回路と、該各ノイズ量算出回路で算出されたノイズ量の大小を比較し、ノイズ量が大きいブランチのパワーをノイズ量に応じて、ダイバーシティ合成比を変えるダイバーシティ合成回路と、を備えることを特徴とするダイバーシティ受信装置が提供される。【００１５】
本発明の第２の形態によれば、複数のブランチのダイバーシティ信号を受信するダイバーシティ受信装置であって、前記ブランチ毎にノイズ量を算出する複数のノイズ量算出回路と、該各ノイズ量算出回路で算出されたノイズ量の大小を比較し、ノイズ量が大きいブランチのパワーをノイズ量に応じて、前記各ブランチの選択および重み付け量を制御する選択ダイバーシティ回路と、を備えることを特徴とするダイバーシティ受信装置が提供される。【００１６】
本発明の第３の形態によれば、ダイバーシティ信号を受信するダイバーシティ受信装置であって、合成前に予めデマッピングを行って軟判定ビットを算出するデマッピング回路と、前記軟判定ビットをノイズ量とし、各ブランチのノイズ量の大小を比較し、ノイズ量が大きいブランチのパワーをノイズ量に応じて、ダイバーシティ合成比を変えるダイバーシティ合成回路と、を備えることを特徴とするダイバーシティ受信装置が提供される。【００１７】
本発明の第４の形態によれば、ダイバーシティ信号を受信するダイバーシティ受信装置であって、合成前に予めデマッピングを行って軟判定ビットを算出するデマッピング回路と、前記軟判定ビットをノイズ量とし、各ブランチのノイズ量の大小を比較し、ノイズ量が大きいブランチのパワーをノイズ量に応じて、前記ブランチの選択および重み付け量を制御する選択ダイバーシティ回路と、を備えることを特徴とするダイバーシティ受信装置が提供される。【００１８】
本発明の第５の形態によれば、複数のブランチの復調信号を合成するダイバーシティ受信装置であって、ノイズ量が多いブランチの復調信号ほど合成割合が小さくなるように前記複数のブランチの復調信号を合成することを特徴とするダイバーシティ受信装置が提供される。【００１９】
以上のように、本発明は、複数のブランチの復調信号を合成し、ノイズ量が多いブランチの復調信号ほど合成割合が小さくなるように複数のブランチの復調信号を合成するダイバーシティ受信装置を提供するものである。
【発明の効果】
【００２０】
本発明のダイバーシティ受信装置によれば、複数のブランチの復調信号は、ノイズ量が多いブランチの復調信号ほど合成割合が小さくなるように合成されるので、ノイズにより劣化した復調信号の合成量を減らし、ダイバーシティ受信装置の受信性能を高めることができる。
【図面の簡単な説明】
【００２１】
【図１】従来のダイバーシティ受信装置の一例の要部を示すブロック回路図である。
【図２】本発明に係るダイバーシティ受信装置の一例を概略的に示すブロック図である。
【図３Ａ】本発明に係るダイバーシティ受信装置における閾値を説明するための図（その１）である。
【図３Ｂ】本発明に係るダイバーシティ受信装置における閾値を説明するための図（その２）である。
【図４】本発明に係るダイバーシティ受信装置の第１実施例の要部を示すブロック回路図である。
【図５】本発明に係るダイバーシティ受信装置の第２実施例の要部を示すブロック回路図である。
【図６】本発明に係るダイバーシティ受信装置の第２実施例が備える第１の１段目合成値算出回路の要部を示すブロック回路図である。
【図７】本発明に係るダイバーシティ受信装置の第２実施例が備える第２の１段目合成値算出回路の要部を示すブロック回路図である。
【図８】本発明に係るダイバーシティ受信装置の第２実施例が備える２段目合成値算出回路の要部を示すブロック回路図である。
【図９】本発明に係るダイバーシティ受信装置の第３実施例の要部を示すブロック回路図である。
【図１０】本発明に係るダイバーシティ受信装置の第４実施例の要部を示すブロック回路図である。
【図１１】本発明に係るダイバーシティ受信装置の第４実施例が備えるノイズ閾値回路の動作を説明するための図である。
【図１２】本発明に係るダイバーシティ受信装置の第５実施例の要部を示すブロック回路図である。
【図１３】本発明に係るダイバーシティ受信装置の第５実施例が備える第１の１段目合成値算出回路の要部を示すブロック回路図である。
【図１４】本発明に係るダイバーシティ受信装置の第５実施例が備える第２の１段目合成値算出回路の要部を示すブロック回路図である。
【図１５】本発明に係るダイバーシティ受信装置の第５実施例が備える２段目合成値算出回路の要部を示すブロック回路図である。
【図１６】本発明に係るダイバーシティ受信装置の第６実施例の要部を示すブロック回路図である。
【図１７】本発明に係るダイバーシティ受信装置の第６実施例が備えるノイズ閾値回路の動作を説明するための図である。
【図１８】本発明に係るダイバーシティ受信装置の第７実施例の要部を示すブロック回路図である。
【図１９】本発明に係るダイバーシティ受信装置の第８実施例の要部を示すブロック回路図である。
【図２０】図１９に示すダイバーシティ受信装置の第８実施例の変形例を説明するための図である。
【図２１】図１９に示すダイバーシティ受信装置の第８実施例におけるデマッピング処理を説明するための図（その１）である。
【図２２】図１９に示すダイバーシティ受信装置の第８実施例におけるデマッピング処理を説明するための図（その２）である。
【図２３】図１９に示すダイバーシティ受信装置の第８実施例におけるデマッピング処理を説明するための図（その３）である。
【図２４】本発明のダイバーシティ受信装置における同期変調部のＯＦＤＭセグメント構成の例を示す図（その１）である。
【図２５Ａ】本発明のダイバーシティ受信装置における同期変調部のＯＦＤＭセグメント構成の例を示す図（その２）である。
【図２５Ｂ】本発明のダイバーシティ受信装置における同期変調部のＯＦＤＭセグメント構成の例を示す図（その３）である。
【符号の説明】
【００２２】
２１−１，２１−２    電力算出回路
２２−１，２２−２    重み付け回路
２３    合成値算出回路
２４−１，２４−２    ノイズ量算出回路
２５    ノイズ量比較回路
２６    重み付け係数算出回路
２７    ノイズ閾値回路
２８    重み付け係数選択回路
３０    １段目合成値算出回路
３１−１，３１−２    電力算出回路
３２−１，３２−２    重み付け回路
３３    合成値算出回路
３４−１，３４−２    ノイズ量算出回路
３５    ノイズ量比較回路
３６    重み付け係数算出回路
３７    ノイズ閾値回路
３８    重み付け係数選択回路
４０    １段目合成値算出回路
４１−３，４１−４    電力算出回路
４２−３，４２−４    重み付け回路
４３    合成値算出回路
４４−３，４４−４    ノイズ量算出回路
４５    ノイズ量比較回路
４６    重み付け係数算出回路
４７    ノイズ閾値回路
４８    重み付け係数選択回路
５０    ２段目合成値算出回路
５２−１，５２−３    重み付け回路
５３    合成値算出回路
５５    ノイズ量比較回路
５６    重み付け係数算出回路
５７    ノイズ閾値回路
５８    重み付け係数選択回路
６１−１〜６１−４    電力算出回路
６２−１〜６２−４    重み付け回路
６３    合成値算出回路
６４−１〜６４−４    ノイズ量算出回路
６５    ノイズ量比較回路
６６    重み付け係数算出回路
６７    ノイズ閾値回路
６８    重み付け係数選択回路
Ａ１，Ａ２    電力算出回路
Ａ３，Ａ４    ノイズ算出器（ノイズ量算出回路）
Ａ５    ノイズ比較器
Ａ６    割合算出回路
Ａ７    ノイズ閾値回路
Ａ８    合成量選択回路
Ａ９    合成値算出回路
Ａ３０，Ａ４０    デマッピング回路
Ａ５０    重み付け量決定回路
Ａ７０，Ａ８０    乗算器
Ａ９０    選択回路
Ａ９１    比較回路
【発明を実施するための最良の形態】
【００２３】
まず、本発明の実施例を詳述する前に、本発明に係るダイバーシティ受信装置の全体構成を概略的に説明する。【００２４】
図２は本発明に係るダイバーシティ受信装置の一例を概略的に示すブロック図であり、ＯＦＤＭ変調された信号を受信して復調するＯＦＤＭ受信装置の一例を示すものである。【００２５】
図２に示されるように、ＯＦＤＭ変調された信号を受信して復調するＯＦＤＭ受信装置において、１段目合成値算出回路３０は、ブランチ１の伝送路推定信号Ｄ１（図１のＤＡ１に対応）を元に、電力算出回路Ａ１（１１−１）でブランチ１のＯＦＤＭ信号電力値Ｄ２（ＤＢ１）を求め、同様に、ブランチ２までの伝送路推定信号Ｄ３（ＤＡ２）を元に、電力算出回路Ａ２（１１−２）でブランチ２までのＯＦＤＭ信号電力値Ｄ４（ＤＢ２）を求める。【００２６】
また、各ブランチのノイズ算出器（ノイズ量算出回路）Ａ３およびＡ４で算出されたノイズ量Ｄ５およびＤ６を比較するノイズ比較器Ａ５並びに割合算出回路Ａ６により得られる各ブランチの合成量の割合Ｄ８およびＤ９と、ノイズ閾値回路Ａ７にノイズ量Ｄ５およびＤ６並びに閾値Ｄ７（閾値１，閾値２，閾値３）を与え、信号Ｄ１０およびＤ１１を算出する。この算出された信号Ｄ１０およびＤ１１、並びに、ノイズレベルにより合成量選択回路Ａ８の制御を行う信号Ｄ１２により、各ブランチの合成量の割合を制御する係数Ｄ１３およびＤ１４を生成する。【００２７】
そして、各ブランチのＯＦＤＭ信号電力値Ｄ２およびＤ４と生成された係数Ｄ１３およびＤ１４との乗算を行って、ブランチ１および２のＯＦＤＭ信号電力値Ｄ１５およびＤ１６を算出する。この算出されたＯＦＤＭ信号電力値Ｄ１５およびＤ１６、並びに、復調信号Ｄ１７およびＤ１８は、合成値算出回路Ａ９に入力され、合成データＤ１９および合成電力Ｄ２０を得る。【００２８】
なお、ノイズ量比較器Ａ５は、ノイズ算出器Ａ３およびＡ４で算出されたノイズ量Ｄ５およびＤ６を比較してノイズ量の少ないブランチのものをノイズ量Ｄ２１として出力する。【００２９】
同様に、３以上の複数のブランチがある場合には、上述した回路３０と同様の１段目合成値算出回路４０で得られた合成データＤ２２および合成電力Ｄ２３と、少ないブランチのノイズ量Ｄ２４を出力する。【００３０】
さらに、１段目合成値算出回路３０および４０で演算された結果を合成するために、回路３０と同様の２段目合成値算出回路５０により、合成データＤ１９およびＤ２２を復調信号入力とし、合成電力Ｄ２０およびＤ２３を電力値入力とし、そして、ノイズ量Ｄ２１およびＤ２４をノイズ量入力として、合成演算を行う。そして、算出された合成信号Ｄ２５がノイズの影響を軽減した合成信号となる。【００３１】
図３Ａおよび図３Ｂは本発明に係るダイバーシティ受信装置における閾値を説明するための図であり、上述した図２において、ノイズ閾値回路Ａ７に入力される閾値Ｄ７を説明するためのものである。【００３２】
まず、図３Ａに示されるように、ブランチがブランチ１およびブランチ２の２つの場合、閾値１，閾値２および閾値３の３つの閾値を用意する。すなわち、シングル受信での所要ＣＮ（Carrier to Noise）のノイズ量を閾値１とし、ダイバーシティ受信時において各ブランチに同相当のノイズ量を付加した信号を与えた時の所要ＣＮのノイズ量を閾値２とし、そして、ダイバーシティ受信時において一方のブランチにシングル受信での所要ＣＮ相当量のノイズを与えると共に、他方のブランチに所要ＣＮになるまでノイズを与えたときのノイズ量を閾値３とする。【００３３】
これら３つの閾値により、各ブランチは、ノイズ量が閾値１よりも少ない場合（Ｓ１１，Ｓ２１）、ノイズ量が閾値１より多く且つ閾値２より少ない場合（Ｓ１２，Ｓ２２）、ノイズ量が閾値２より多く且つ閾値３より少ない場合（Ｓ１３，Ｓ２３）、並びに、ノイズ量が閾値３よりも多い場合（Ｓ１４，Ｓ２４）の４通りの場合が存在する。【００３４】
次に、図３Ｂに示されるように、例えば、Ｎ個のブランチの場合（Ｎ個のブランチのダイバーシティ合成を同時に行う場合）、閾値の数はブランチ数（Ｎ）が増えるに従って、２Ｎ−１の閾値を用意することになり、２Ｎ通りの場合が存在する。【００３５】
各ブランチにおいて、（Ｓ１１，Ｓ１２）＝（８，８）、および、（Ｓ１１，Ｓ２４）＝（８，２）等の合成割合のための固定値を与え、この値で乗算されたＯＦＤＭ信号電力値を用いて信号が合成される。【００３６】
そして、各ブランチでお互いのノイズ量を比較し、或るブランチでノイズ量が極端に大きい場合には、そのブランチの合成量を制御することにより、ノイズの影響を少なくすることができ、ダイバーシティとしての性能向上を図ることが可能になる。【００３７】
ここで、閾値の２Ｎ−１について説明する。具体的に、例えば、４ブランチ入力の場合を考える。このとき、閾値の数は、２×４−１＝７となる。すなわち、閾値１〜閾値７は、次のようになる。なお、閾値１〜閾値７は、例えば、ノイズ量により順番が入れ替わり、また、全てのチャネル（ブランチ）の受信感度等の性能は同じものとする。【００３８】
閾値１：シングルのみ受信時の所要ＣＮ時ノイズ量
閾値２：２つのチャネルのみ受信時の所要ＣＮ時ノイズ量
閾値３：３つのチャネルのみ受信時の所要ＣＮ時ノイズ量
閾値４：４つの（全ての）チャネル受信時の所要ＣＮ時ノイズ量
閾値５：予め４つのチャネル受信時における所要ＣＮ時のノイズ量において、そのうち１つのチャネルのみノイズ量を増やし、所要ＣＮがシングル受信時と同等になった時のノイズ量
閾値６：予め４つのチャネル受信時における所要ＣＮ時のノイズ量において、そのうち２つのチャネルのノイズ量を増やし、所要ＣＮがシングル受信時と同等になった時のノイズ量（このとき、ノイズを増やす２つのチャネルは同等のノイズ量を与える）
閾値７：予め４つのチャネル受信時における所要ＣＮ時のノイズ量において、そのうち３つのチャネルのノイズ量を増やし、所要ＣＮがシングル受信時と同等になった時のノイズ量（このとき、ノイズを増やす３つのチャネルは同等のノイズ量を与える）【００３９】
このように、ブランチ（チャネル）の数をＮとすると、閾値の数は、２（Ｎ−１）＋１＝２Ｎ−１となる。【００４０】
以下、本発明に係るダイバーシティ受信装置の各実施例を、添付図面を参照して詳述する。
【実施例１】
【００４１】
図４は本発明に係るダイバーシティ受信装置の第１実施例の要部を示すブロック回路図である。本発明の第１実施例は、２系統のブランチ（ブランチ１，ブランチ２）を有するＯＦＤＭ受信装置に使用するものであり、電力算出回路２１−１，２１−２と、重み付け回路２２−１，２２−２と、合成値算出回路２３と、ノイズ量算出回路２４−１，２４−２と、ノイズ量比較回路２５と、重み付け係数算出回路２６を備えている。【００４２】
電力算出回路２１−１は、ブランチ１の伝送路推定信号ＤＡ１を元に、ブランチ１のＯＦＤＭ信号電力値ＤＢ１を算出するものである。電力算出回路２１−２は、ブランチ２の伝送路推定信号ＤＡ２を元に、ブランチ２のＯＦＤＭ信号電力値ＤＢ２を算出するものである。【００４３】
重み付け回路２２−１は、ブランチ１のＯＦＤＭ信号電力値ＤＢ１に重み付け係数ＤＥ１を乗算することにより、ブランチ１の重み付け済みＯＦＤＭ信号電力値ＤＦ１を算出するものである。重み付け回路２２−２は、ブランチ２のＯＦＤＭ信号電力値ＤＢ２に重み付け係数ＤＥ２を乗算することにより、ブランチ２の重み付け済みＯＦＤＭ信号電力値ＤＦ２を算出するものである。【００４４】
合成値算出回路２３は、ブランチ１の重み付け済みＯＦＤＭ信号電力値ＤＦ１とブランチ２の重み付け済みＯＦＤＭ信号電力値ＤＦ２の割合に応じて、ブランチ１のＯＦＤＭ復調信号ＤＣ１とブランチ２のＯＦＤＭ復調信号ＤＣ２とを最大比合成法により合成して合成復調信号ＤＤを出力するものである。【００４５】
ノイズ量算出回路２４−１は、ブランチ１のデータキャリア信号をデマッピングした値のデマッピング基準値との比較分散積分値、または、ブランチ１の伝送路推定信号の分散積分値、または、ブランチ１のＡＣ（Auxiliary Channel），ＴＭＣＣ（Transmission and Multiplexing Configuration Control）信号の分散積分値から、ブランチ１のノイズ量ＤＧ１を算出するものである。【００４６】
ノイズ量算出回路２４−２は、ブランチ２のデータキャリア信号をデマッピングした値のデマッピング基準値との比較分散積分値、または、ブランチ２の伝送路推定信号の分散積分値、または、ブランチ２のＡＣ，ＴＭＣＣ信号の分散積分値から、ブランチ２のノイズ量ＤＧ２を算出するものである。【００４７】
ノイズ量比較回路２５は、ブランチ１，２のノイズ量ＤＧ１，ＤＧ２を比較してノイズ量比較結果ＤＨを出力するものである。重み付け係数算出回路２６は、ブランチ１，２のノイズ量ＤＧ１，ＤＧ２とノイズ量比較結果ＤＨから、重み付け回路２２−１，２２−２に与える重み付け係数ＤＥ１，ＤＥ２を算出するものである。【００４８】
本発明の第１実施例では、ノイズ量算出回路２４−１，２４−２とノイズ量比較回路２５と重み付け係数算出回路２６とで重み付け係数供給回路が構成されており、重み付け係数算出回路２６は、重み付け係数ＤＥ１，ＤＥ２として、合成値算出回路２３におけるブランチ１，２のＯＦＤＭ復調信号ＤＣ１，ＤＣ２の最大比合成法による合成の際に、ブランチ１，２のうち、ノイズ量の多いブランチのＯＦＤＭ復調信号ほど合成割合が小さくなるような、ノイズ量ＤＧ１，ＤＧ２に応じた値を出力する。【００４９】
このように構成された本発明の第１実施例においては、電力算出回路２１−１は、ブランチ１のＯＦＤＭ信号電力値ＤＢ１を算出し、電力算出回路２１−２は、ブランチ２のＯＦＤＭ信号電力値ＤＢ２を算出する。【００５０】
また、ノイズ量算出回路２４−１は、ブランチ１のノイズ量ＤＧ１を算出し、ノイズ量算出回路２４−２は、ブランチ２のノイズ量ＤＧ２を算出する。さらに、ノイズ量比較回路２５は、ブランチ１，２のノイズ量ＤＧ１，ＤＧ２を比較し、重み付け係数算出回路２６は、ブランチ１，２のノイズ量ＤＧ１，ＤＧ２とノイズ量比較結果ＤＨから、重み付け係数ＤＥ１，ＤＥ２を算出する。【００５１】
そして、重み付け回路２２−１は、ブランチ１のＯＦＤＭ信号電力値ＤＢ１に重み付け係数ＤＥ１を乗算し、ブランチ１の重み付け済みＯＦＤＭ信号電力値ＤＦ１を算出し、重み付け回路２２−２は、ブランチ２のＯＦＤＭ信号電力値ＤＢ２に重み付け係数ＤＥ２を乗算し、ブランチ２の重み付け済みＯＦＤＭ信号電力値ＤＦ２を算出する。【００５２】
そして、合成値算出回路２３は、ブランチ１の重み付け済みＯＦＤＭ信号電力値ＤＦ１とブランチ２の重み付け済みＯＦＤＭ信号電力値ＤＦ２の割合に応じて、ブランチ１のＯＦＤＭ復調信号ＤＣ１とブランチ２のＯＦＤＭ復調信号ＤＣ２とを最大比合成法により合成して合成復調信号ＤＤを出力する。【００５３】
ここで、重み付け係数算出回路２６は、重み付け係数ＤＥ１，ＤＥ２として、合成値算出回路２３におけるブランチ１，２のＯＦＤＭ復調信号ＤＣ１，ＤＣ２の最大比合成法による合成の際に、ブランチ１，２のうち、ノイズ量の多いブランチのＯＦＤＭ復調信号ほど合成割合が小さくなるような値を出力するので、合成値算出回路２３によるブランチ１，２のＯＦＤＭ復調信号ＤＣ１，ＤＣ２の合成の際に、ノイズにより劣化したＯＦＤＭ復調信号の合成量を減らすことができる。【００５４】
以上のように、本発明に係るダイバーシティ受信装置の第１実施例によれば、ブランチ１，２のＯＦＤＭ復調信号ＤＣ１，ＤＣ２は、ノイズ量が多いブランチのＯＦＤＭ復調信号ほど合成割合が小さくなるように合成されるので、ノイズにより劣化したＯＦＤＭ復調信号の合成量を減らし、２系統のブランチを有するダイバーシティ受信装置の受信性能を高めることができる。
【実施例２】
【００５５】
図５は本発明に係るダイバーシティ受信装置の第２実施例の要部を示すブロック回路図である。本発明の第２実施例は、４系統のブランチ（ブランチ１〜ブランチ４）を有するＯＦＤＭ受信装置に使用するものであり、１段目合成値算出回路３０，４０と、２段目合成値算出回路５０を備えている。【００５６】
図６は１段目合成値算出回路３０の要部を示すブロック回路図である。１段目合成値算出回路３０は、電力算出回路３１−１，３１−２と、重み付け回路３２−１，３２−２と、合成値算出回路３３と、ノイズ量算出回路３４−１，３４−２と、ノイズ量比較回路３５と、重み付け係数算出回路３６を備えている。【００５７】
電力算出回路３１−１は、ブランチ１の伝送路推定信号ＤＡ１を元に、ブランチ１のＯＦＤＭ信号電力値ＤＢ１を算出するものである。電力算出回路３１−２は、ブランチ２の伝送路推定信号ＤＡ２を元に、ブランチ２のＯＦＤＭ信号電力値ＤＢ２を算出するものである。【００５８】
重み付け回路３２−１は、ブランチ１のＯＦＤＭ信号電力値ＤＢ１に重み付け係数ＤＥ１を乗算することにより、ブランチ１の重み付け済みＯＦＤＭ信号電力値ＤＦ１を算出するものである。重み付け回路３２−２は、ブランチ２のＯＦＤＭ信号電力値ＤＢ２に重み付け係数ＤＥ２を乗算することにより、ブランチ２の重み付け済みＯＦＤＭ信号電力値ＤＦ２を算出するものである。【００５９】
合成値算出回路３３は、ブランチ１の重み付け済みＯＦＤＭ信号電力値ＤＦ１とブランチ２の重み付け済みＯＦＤＭ信号電力値ＤＦ２の割合に応じて、ブランチ１のＯＦＤＭ復調信号ＤＣ１とブランチ２のＯＦＤＭ復調信号ＤＣ２とを最大比合成法により合成して合成復調信号ＤＤ１を出力すると共に、合成復調信号ＤＤ１の電力値（合成電力値）ＤＩ１を出力するものである。【００６０】
ノイズ量算出回路３４−１は、ブランチ１のデータキャリア信号をデマッピングした値のデマッピング基準値との比較分散積分値、または、ブランチ１の伝送路推定信号の分散積分値、または、ブランチ１のＡＣ，ＴＭＣＣ信号の分散積分値から、ブランチ１のノイズ量ＤＧ１を算出するものである。【００６１】
ノイズ量算出回路３４−２は、ブランチ２のデータキャリア信号をデマッピングした値のデマッピング基準値との比較分散積分値、または、ブランチ２の伝送路推定信号の分散積分値、または、ブランチ２のＡＣ，ＴＭＣＣ信号の分散積分値から、ブランチ１のノイズ量ＤＧ２を算出するものである。【００６２】
ノイズ量比較回路３５は、ブランチ１，２のノイズ量ＤＧ１，ＤＧ２を比較してノイズ量比較結果ＤＨ１を出力すると共に、ブランチ１，２のノイズ量ＤＧ１，ＤＧ２のうち、少ない方のノイズ量をノイズ量ＤＪ１として出力するものである。【００６３】
重み付け係数算出回路３６は、ブランチ１，２のノイズ量ＤＧ１，ＤＧ２とノイズ量比較結果ＤＨ１から、重み付け回路３２−１，３２−２に与える重み付け係数ＤＥ１，ＤＥ２を算出するものである。【００６４】
１段目合成値算出回路３０では、ノイズ量算出回路３４−１，３４−２とノイズ量比較回路３５と重み付け係数算出回路３６とで重み付け係数供給回路が構成されており、重み付け係数算出回路３６は、重み付け係数ＤＥ１，ＤＥ２として、合成値算出回路３３におけるブランチ１，２のＯＦＤＭ復調信号ＤＣ１，ＤＣ２の最大比合成法による合成の際に、ブランチ１，２のうち、ノイズ量の多いブランチのＯＦＤＭ復調信号ほど合成割合が小さくなるような、ノイズ量ＤＧ１，ＤＧ２に応じた値を出力する。【００６５】
このように構成された１段目合成値算出回路３０においては、電力算出回路３１−１は、ブランチ１のＯＦＤＭ信号電力値ＤＢ１を算出し、電力算出回路３１−２は、ブランチ２のＯＦＤＭ信号電力値ＤＢ２を算出する。【００６６】
また、ノイズ量算出回路３４−１は、ブランチ１のノイズ量ＤＧ１を算出し、ノイズ量算出回路３４−２は、ブランチ２のノイズ量ＤＧ２を算出する。さらに、ノイズ量比較回路３５は、ブランチ１，２のノイズ量ＤＧ１，ＤＧ２を比較し、重み付け係数算出回路３６は、ブランチ１，２のノイズ量ＤＧ１，ＤＧ２とノイズ量比較結果ＤＨ１から、重み付け係数ＤＥ１，ＤＥ２を算出する。【００６７】
そして、重み付け回路３２−１は、ブランチ１のＯＦＤＭ信号電力値ＤＢ１に重み付け係数ＤＥ１を乗算し、ブランチ１の重み付け済みＯＦＤＭ信号電力値ＤＦ１を算出し、重み付け回路３２−２は、ブランチ２のＯＦＤＭ信号電力値ＤＢ２に重み付け係数ＤＥ２を乗算し、ブランチ２の重み付け済みＯＦＤＭ信号電力値ＤＦ２を算出する。【００６８】
そして、合成値算出回路３３は、ブランチ１の重み付け済みＯＦＤＭ信号電力値ＤＦ１とブランチ２の重み付け済みＯＦＤＭ信号電力値ＤＦ２の割合に応じて、ブランチ１のＯＦＤＭ復調信号ＤＣ１とブランチ２のＯＦＤＭ復調信号ＤＣ２とを最大比合成法により合成して合成復調信号ＤＤ１を出力すると共に、合成電力値ＤＩ１を出力する。【００６９】
図７は１段目合成値算出回路４０の要部を示すブロック回路図である。１段目合成値算出回路４０は、電力算出回路４１−３，４１−４と、重み付け回路４２−３，４２−４と、合成値算出回路４３と、ノイズ量算出回路４４−３，４４−４と、ノイズ量比較回路４５と、重み付け係数算出回路４６を備えている。【００７０】
電力算出回路４１−３は、ブランチ３の伝送路推定信号ＤＡ３を元に、ブランチ３のＯＦＤＭ信号電力値ＤＢ３を算出するものである。電力算出回路４１−４は、ブランチ４の伝送路推定信号ＤＡ４を元に、ブランチ４のＯＦＤＭ信号電力値ＤＢ４を算出するものである。【００７１】
重み付け回路４２−３は、ブランチ３のＯＦＤＭ信号電力値ＤＢ３に重み付け係数ＤＥ３を乗算することにより、ブランチ３の重み付け済みＯＦＤＭ信号電力値ＤＦ３を算出するものである。重み付け回路４２−４は、ブランチ４のＯＦＤＭ信号電力値ＤＢ４に重み付け係数ＤＥ４を乗算することにより、ブランチ４の重み付け済みＯＦＤＭ信号電力値ＤＦ４を算出するものである。【００７２】
合成値算出回路４３は、ブランチ３の重み付け済みＯＦＤＭ信号電力値ＤＦ３とブランチ４の重み付け済みＯＦＤＭ信号電力値ＤＦ４の割合に応じて、ブランチ３のＯＦＤＭ復調信号ＤＣ３とブランチ４のＯＦＤＭ復調信号ＤＣ４とを最大比合成法により合成して合成復調信号ＤＤ２を出力すると共に、合成復調信号ＤＤ２の電力値（合成電力値）ＤＩ２を出力するものである。【００７３】
ノイズ量算出回路４４−３は、ブランチ３のデータキャリア信号をデマッピングした値のデマッピング基準値との比較分散積分値、または、ブランチ３の伝送路推定信号の分散積分値、または、ブランチ３のＡＣ，ＴＭＣＣ信号の分散積分値から、ブランチ３のノイズ量ＤＧ３を算出するものである。【００７４】
ノイズ量算出回路４４−４は、ブランチ４のデータキャリア信号をデマッピングした値のデマッピング基準値との比較分散積分値、または、ブランチ４の伝送路推定信号の分散積分値、または、ブランチ４のＡＣ，ＴＭＣＣ信号の分散積分値から、ブランチ４のノイズ量ＤＧ４を算出するものである。【００７５】
ノイズ量比較回路４５は、ブランチ３，４のノイズ量ＤＧ３，ＤＧ４を比較してノイズ量比較結果ＤＨ２を出力すると共に、ブランチ３，４のノイズ量ＤＧ３，ＤＧ４のうち、少ない方のノイズ量をノイズ量ＤＪ２として出力するものである。【００７６】
重み付け係数算出回路４６は、ブランチ３，４のノイズ量ＤＧ３，ＤＧ４とノイズ量比較結果ＤＨ２から、重み付け回路４２−３，４２−４に与える重み付け係数ＤＥ３，ＤＥ４を算出するものである。【００７７】
１段目合成値算出回路４０では、ノイズ量算出回路４４−３，４４−４とノイズ量比較回路４５と重み付け係数算出回路４６とで重み付け係数供給回路が構成されており、重み付け係数算出回路４６は、重み付け係数ＤＥ３，ＤＥ４として、合成値算出回路４３におけるブランチ３，４のＯＦＤＭ復調信号ＤＣ３，ＤＣ４の最大比合成法による合成の際に、ブランチ３，４のうち、ノイズ量の多いブランチのＯＦＤＭ復調信号の合成割合が小さくなるような、ノイズ量ＤＧ３，ＤＧ４に応じた値を出力する。【００７８】
このように構成された２段目合成値算出回路４０においては、電力算出回路４１−３は、ブランチ３のＯＦＤＭ信号電力値ＤＢ３を算出し、電力算出回路４１−４は、ブランチ４のＯＦＤＭ信号電力値ＤＢ４を算出する。【００７９】
また、ノイズ量算出回路４４−３は、ブランチ３のノイズ量ＤＧ３を算出し、ノイズ量算出回路４４−４は、ブランチ４のノイズ量ＤＧ４を算出する。さらに、ノイズ量比較回路４５は、ブランチ３，４のノイズ量ＤＧ３，ＤＧ４を比較し、重み付け係数算出回路４６は、ブランチ３，４のノイズ量ＤＧ３，ＤＧ４とノイズ量比較結果ＤＨ２から、重み付け係数ＤＥ３，ＤＥ４を算出する。【００８０】
そして、重み付け回路４２−３は、ブランチ３のＯＦＤＭ信号電力値ＤＢ３に重み付け係数ＤＥ３を乗算し、ブランチ３の重み付け済みＯＦＤＭ信号電力値ＤＦ３を算出し、重み付け回路４２−４は、ブランチ４のＯＦＤＭ信号電力値ＤＢ４に重み付け係数ＤＥ４を乗算し、ブランチ４の重み付け済みＯＦＤＭ信号電力値ＤＦ４を算出する。【００８１】
そして、合成値算出回路４３は、ブランチ３の重み付け済みＯＦＤＭ信号電力値ＤＦ３とブランチ４の重み付け済みＯＦＤＭ信号電力値ＤＦ４の割合に応じて、ブランチ３のＯＦＤＭ復調信号ＤＣ３とブランチ４のＯＦＤＭ復調信号ＤＣ４とを最大比合成法により合成して合成復調信号ＤＤ２を出力すると共に、合成電力値ＤＩ２を出力するものである。【００８２】
図８は２段目合成値算出回路５０の要部を示すブロック回路図である。２段目合成値算出回路５０は、重み付け回路５２−１，５２−２と、合成値算出回路５３と、ノイズ量比較回路５５と、重み付け係数算出回路５６を備えている。【００８３】
重み付け回路５２−１は、１段目合成値算出回路３０の合成値算出回路３３が出力する合成電力値ＤＩ１に重み付け係数ＤＫ１を乗算することにより、重み付け済み合成電力値ＤＬ１を算出するものである。重み付け回路５２−２は、１段目合成値算出回路４０の合成値算出回路４３が出力する合成電力値ＤＩ２に重み付け係数ＤＫ２を乗算することにより、重み付け済み合成電力値ＤＬ２を算出するものである。【００８４】
合成値算出回路５３は、重み付け済み合成電力値ＤＬ１と重み付け合成電力値ＤＬ２との割合に応じて、１段目合成値算出回路３０の合成値算出回路３３が出力する合成復調信号ＤＤ１と２段目合成値算出回路４０の合成値算出回路４３が出力する合成復調信号ＤＤ２とを最大比合成法により合成して合成復調信号ＤＭを算出するものである。【００８５】
ノイズ量比較回路５５は、１段目合成値算出回路３０のノイズ量比較回路３５が出力するノイズ量ＤＪ１と１段目合成値算出回路４０のノイズ量比較回路４５が出力するノイズ量ＤＪ２を比較してノイズ量比較結果ＤＮを出力するものである。【００８６】
重み付け係数算出回路５６は、１段目合成値算出回路３０のノイズ量比較回路３５が出力するノイズ量ＤＪ１と１段目合成値算出回路４０のノイズ量比較回路４５が出力するノイズ量ＤＪ２とノイズ量比較回路５５が出力するノイズ量比較結果ＤＮから、重み付け回路５２−１，５２−２に与える重み付け係数ＤＫ１，ＤＫ２を算出するものである。【００８７】
２段目合成値算出回路５０では、ノイズ量比較回路５５と重み付け係数算出回路５６とで重み付け係数供給回路が構成されており、重み付け係数算出回路５６は、重み付け係数ＤＫ１，ＤＫ２として、合成値算出回路５３における合成復調信号ＤＤ１，ＤＤ２の最大比合成法による合成の際に、ノイズ量ＤＪ１，ＤＪ２のうち、多い方のノイズ量を出力した１段目合成値算出回路が出力する合成復調信号の合成割合が小さくなるような、ノイズ量ＤＪ１，ＤＪ２に応じた値を出力する。【００８８】
このように構成された２段目合成値算出回路５０においては、ノイズ量比較回路５５は、１段目合成値算出回路３０のノイズ量比較回路３５が出力するノイズ量ＤＪ１と１段目合成値算出回路４０のノイズ量比較回路４５が出力するノイズ量ＤＪ２を比較し、重み付け係数算出回路５６は、ノイズ量ＤＪ１，ＤＪ２とノイズ量比較結果ＤＮから、重み付け係数ＤＫ１，ＤＫ２を算出する。【００８９】
そして、重み付け回路５２−１は、１段目合成値算出回路３０の合成値算出回路３３が出力する合成電力値ＤＩ１に重み付け係数ＤＫ１を乗算し、重み付け済み合成電力値ＤＬ１を算出し、重み付け回路５２−２は、１段目合成値算出回路４０の合成値算出回路４３が出力する合成電力値ＤＩ２に重み付け係数ＤＫ２を乗算し、重み付け済み合成電力値ＤＬ２を算出する。【００９０】
そして、合成値算出回路５３は、重み付け済み合成電力値ＤＬ１と重み付け済み合成電力値ＤＬ２の割合に応じて、１段目合成値算出回路３０の合成値算出回路３３が出力する合成復調信号ＤＤ１と１段目合成値算出回路４０の合成値算出回路４３が出力する合成復調信号ＤＤ２とを最大比合成法により合成して合成復調信号ＤＭを出力する。【００９１】
以上のように、本発明の第２実施例においては、１段目合成値算出回路３０は、ブランチ１の重み付け済みＯＦＤＭ信号電力値ＤＦ１とブランチ２の重み付け済みＯＦＤＭ信号電力値ＤＦ２の割合に応じて、ブランチ１のＯＦＤＭ復調信号ＤＣ１とブランチ２のＯＦＤＭ復調信号ＤＣ２とを最大比合成法により合成して合成復調信号ＤＤ１を算出する。【００９２】
また、１段目合成値算出回路４０は、ブランチ３の重み付け済みＯＦＤＭ信号電力値ＤＦ３とブランチ４の重み付け済みＯＦＤＭ信号電力値ＤＦ４の割合に応じて、ブランチ３のＯＦＤＭ復調信号ＤＣ３とブランチ４のＯＦＤＭ復調信号ＤＣ４とを最大比合成法により合成して合成復調信号ＤＤ２を算出する。【００９３】
そして、２段目合成値算出回路５０は、重み付け済み合成電力値ＤＬ１と重み付け済み合成電力値ＤＬ２の割合に応じて、１段目合成値算出回路３０の合成値算出回路３３が出力する合成復調信号ＤＤ１と１段目合成値算出回路４０の合成値算出回路４３が出力する合成復調信号ＤＤ２とを最大比合成法により合成して合成復調信号ＤＭを算出する。【００９４】
ここで、重み付け係数算出回路３６は、重み付け係数ＤＥ１，ＤＥ２として、合成値算出回路３３におけるブランチ１，２のＯＦＤＭ復調信号ＤＣ１，ＤＣ２の最大比合成法による合成の際に、ブランチ１，２のうち、ノイズ量の多いブランチのＯＦＤＭ復調信号の合成割合が小さくなるような値を出力する。【００９５】
また、重み付け係数算出回路４６は、重み付け係数ＤＥ３，ＤＥ４として、合成値算出回路４３におけるブランチ３，４のＯＦＤＭ復調信号ＤＣ３，ＤＣ４の最大比合成法による合成の際に、ブランチ３，４のうち、ノイズ量の多いブランチのＯＦＤＭ復調信号の合成割合が小さくなるような値を出力する。【００９６】
そして、重み付け係数算出回路５６は、重み付け係数ＤＫ１，ＤＫ２として、合成値算出回路５３における合成復調信号ＤＤ１，ＤＤ２の最大比合成法による合成の際に、ノイズ量ＤＪ１，ＤＪ２のうち、多い方のノイズ量を出力した１段目合成値算出回路が出力する合成復調信号の合成割合が小さくなるような値を出力する。【００９７】
したがって、本発明に係るダイバーシティ受信装置の第２実施例によれば、ブランチ１〜４のＯＦＤＭ復調信号ＤＣ１〜ＤＣ４は、ノイズ量が多いブランチの復調信号ほど合成割合が小さくなるように合成されるので、ノイズにより劣化した復調信号の合成量を減らし、４系統のブランチを有するダイバーシティ受信装置の受信性能を高めることができる。【００９８】
ここで、本発明の第２実施例では、２個の１段目合成値算出回路と１個の２段目合成値算出回路を設けてなるダイバーシティ受信装置を例にして説明したが、本発明は、３個以上の１段目合成値算出回路と１個の２段目合成値算出回路を設けてなるダイバーシティ受信装置、或いは、４個以上の１段目合成値算出回路と、これらの後段に２階層以上からなる後段合成値算出回路を設けてなるダイバーシティ受信装置を構成する場合にも適用することができる。【００９９】
さらに、本発明の第２実施例では、２段目合成値算出回路５０，９０はノイズ量を考慮して合成復調信号ＤＤ１，ＤＤ２の合成を行う構成としたが、２段目合成値算出回路については、従来と同様の構成としても良い。この場合、１段目合成値算出回路３０，４０，７０，８０のノイズ量比較回路３５，４５はノイズ量ＤＪ１，ＤＪ２を出力する構成とする必要はない。
【実施例３】
【０１００】
図９は本発明に係るダイバーシティ受信装置の第３実施例の要部を示すブロック回路図である。本発明の第３実施例は、４系統のブランチ（ブランチ１〜ブランチ４）を有するＯＦＤＭ受信装置に使用するものであり、電力算出回路６１−１〜６１−４と、重み付け回路６２−１〜６２−４と、合成値算出回路６３と、ノイズ量算出回路６４−１〜６４−４と、ノイズ量比較回路６５と、重み付け係数算出回路６６を備えている。【０１０１】
電力算出回路６１−１は、ブランチ１の伝送路推定信号ＤＡ１を元に、ブランチ１のＯＦＤＭ信号電力値ＤＢ１を算出するものである。電力算出回路６１−２は、ブランチ２の伝送路推定信号ＤＡ２を元に、ブランチ２のＯＦＤＭ信号電力値ＤＢ２を算出するものである。【０１０２】
電力算出回路６１−３は、ブランチ３の伝送路推定信号ＤＡ３を元に、ブランチ３のＯＦＤＭ信号電力値ＤＢ３を算出するものである。電力算出回路６１−４は、ブランチ４の伝送路推定信号ＤＡ４を元に、ブランチ４のＯＦＤＭ信号電力値ＤＢ４を算出するものである。【０１０３】
重み付け回路６２−１は、ブランチ１のＯＦＤＭ信号電力値ＤＢ１に重み付け係数ＤＥ１を乗算することにより、ブランチ１の重み付け済みＯＦＤＭ信号電力値ＤＦ１を算出するものである。重み付け回路６２−２は、ブランチ２のＯＦＤＭ信号電力値ＤＢ２に重み付け係数ＤＥ２を乗算することにより、ブランチ２の重み付け済みＯＦＤＭ信号電力値ＤＦ２を算出するものである。【０１０４】
重み付け回路６２−３は、ブランチ３のＯＦＤＭ信号電力値ＤＢ３に重み付け係数ＤＥ３を乗算することにより、ブランチ３の重み付け済みＯＦＤＭ信号電力値ＤＦ３を算出するものである。重み付け回路６２−４は、ブランチ４のＯＦＤＭ信号電力値ＤＢ４に重み付け係数ＤＥ４を乗算することにより、ブランチ４の重み付け済みＯＦＤＭ信号電力値ＤＦ４を算出するものである。【０１０５】
合成値算出回路６３は、ブランチ１の重み付け済みＯＦＤＭ信号電力値ＤＦ１とブランチ２の重み付け済みＯＦＤＭ信号電力値ＤＦ２とブランチ３の重み付け済みＯＦＤＭ信号電力値ＤＦ３とブランチ４の重み付け済みＯＦＤＭ信号電力値ＤＦ４の割合に応じて、ブランチ１のＯＦＤＭ復調信号ＤＣ１とブランチ２のＯＦＤＭ復調信号ＤＣ２とブランチ３のＯＦＤＭ復調信号ＤＣ３とブランチ４のＯＦＤＭ復調信号ＤＣ４とを最大比合成法により合成して合成復調信号ＤＤを算出するものである。【０１０６】
ノイズ量算出回路６４−１は、ブランチ１のデータキャリア信号をデマッピングした値のデマッピング基準値との比較分散積分値、または、ブランチ１の伝送路推定信号の分散積分値、または、ブランチ１のＡＣ，ＴＭＣＣ信号の分散積分値から、ブランチ１のノイズ量ＤＧ１を算出するものである。【０１０７】
ノイズ量算出回路６４−２は、ブランチ２のデータキャリア信号をデマッピングした値のデマッピング基準値との比較分散積分値、または、ブランチ２の伝送路推定信号の分散積分値、または、ブランチ２のＡＣ，ＴＭＣＣ信号の分散積分値から、ブランチ２のノイズ量ＤＧ２を算出するものである。【０１０８】
ノイズ量算出回路６４−３は、ブランチ３のデータキャリア信号をデマッピングした値のデマッピング基準値との比較分散積分値、または、ブランチ３の伝送路推定信号の分散積分値、または、ブランチ３のＡＣ，ＴＭＣＣ信号の分散積分値から、ブランチ３のノイズ量ＤＧ３を算出するものである。【０１０９】
ノイズ量算出回路６４−４は、ブランチ４のデータキャリア信号をデマッピングした値のデマッピング基準値との比較分散積分値、または、ブランチ４の伝送路推定信号の分散積分値、または、ブランチ４のＡＣ，ＴＭＣＣ信号の分散積分値から、ブランチ４のノイズ量ＤＧ４を算出するものである。【０１１０】
ノイズ量比較回路６５は、ブランチ１〜４のノイズ量ＤＧ１〜ＤＧ４を比較してノイズ量比較結果ＤＨを出力するものである。重み付け係数算出回路６６は、ブランチ１〜４のノイズ量ＤＧ１〜ＤＧ４とノイズ量比較結果ＤＨから、重み付け回路６２−１〜６２−４に与える重み付け係数ＤＥ１〜ＤＥ４を算出するものである。【０１１１】
本発明の第３実施例では、ノイズ量算出回路６４−１〜６４−４とノイズ量比較回路６５と重み付け係数算出回路６６とで重み付け係数供給回路が構成されており、重み付け係数算出回路６６は、重み付け係数ＤＥ１〜ＤＥ４として、合成値算出回路６３におけるブランチ３〜４のＯＦＤＭ復調信号ＤＣ１〜ＤＣ４の最大比合成法による合成の際に、ブランチ１〜４のうち、ノイズ量の多いブランチのＯＦＤＭ復調信号ほど合成割合が小さくなるような、ノイズ量ＤＧ１〜ＤＧ４に応じた値を出力する。【０１１２】
このように構成された本発明の第３実施例においては、電力算出回路６１−１は、ブランチ１のＯＦＤＭ信号電力値ＤＢ１を算出し、電力算出回路６１−２は、ブランチ２のＯＦＤＭ信号電力値ＤＢ２を算出し、電力算出回路６１−３は、ブランチ３のＯＦＤＭ信号電力値ＤＢ３を算出し、電力算出回路６１−４は、ブランチ４のＯＦＤＭ信号電力値ＤＢ４を算出する。【０１１３】
他方、ノイズ量算出回路６４−１は、ブランチ１のノイズ量ＤＧ１を算出し、ノイズ量算出回路６４−２は、ブランチ２のノイズ量ＤＧ２を算出し、ノイズ量算出回路６４−３は、ブランチ３のノイズ量ＤＧ３を算出し、ノイズ量算出回路６４−４は、ブランチ４のノイズ量ＤＧ４を算出する。【０１１４】
さらに、ノイズ量比較回路６５は、ブランチ１〜４のノイズ量ＤＧ１〜ＤＧ４を比較し、重み付け係数算出回路６６は、ブランチ１〜４のノイズ量ＤＧ１〜ＤＧ４とノイズ量比較結果ＤＨから、重み付け係数ＤＥ１〜ＤＥ４を算出する。【０１１５】
そして、重み付け回路６２−１は、ブランチ１のＯＦＤＭ信号電力値ＤＢ１に重み付け係数ＤＥ１を乗算し、ブランチ１の重み付け済みＯＦＤＭ信号電力値ＤＦ１を算出し、重み付け回路６２−２は、ブランチ２のＯＦＤＭ信号電力値ＤＢ２に重み付け係数ＤＥ２を乗算し、ブランチ２の重み付け済みＯＦＤＭ信号電力値ＤＦ２を算出する。【０１１６】
また、重み付け回路６２−３は、ブランチ３のＯＦＤＭ信号電力値ＤＢ３に重み付け係数ＤＥ３を乗算し、ブランチ３の重み付け済みＯＦＤＭ信号電力値ＤＦ３を算出し、重み付け回路６２−４は、ブランチ４のＯＦＤＭ信号電力値ＤＢ４に重み付け係数ＤＥ４を乗算し、ブランチ４の重み付け済みＯＦＤＭ信号電力値ＤＦ４を算出する。【０１１７】
そして、合成値算出回路６３は、ブランチ１の重み付け済みＯＦＤＭ信号電力値ＤＦ１とブランチ２の重み付け済みＯＦＤＭ信号電力値ＤＦ２とブランチ３の重み付け済みＯＦＤＭ信号電力値ＤＦ３とブランチ４の重み付け済みＯＦＤＭ信号電力値ＤＦ４の割合に応じて、ブランチ１のＯＦＤＭ復調信号ＤＣ１とブランチ２のＯＦＤＭ復調信号ＤＣ２とブランチ３のＯＦＤＭ復調信号ＤＣ３とブランチ４のＯＦＤＭ復調信号ＤＣ４とを最大比合成法により合成して合成復調信号ＤＤを算出する。【０１１８】
ここで、重み付け係数算出回路６６は、重み付け係数ＤＥ１〜ＤＥ４として、合成値算出回路６３におけるブランチ１〜４のＯＦＤＭ復調信号ＤＣ１〜ＤＣ４の最大比合成法による合成の際に、ブランチ１〜４のうち、ノイズ量の多いブランチのＯＦＤＭ復調信号ほど合成割合が小さくなるような値を出力するので、合成値算出回路６３によるブランチ１〜４のＯＦＤＭ復調信号ＤＣ１〜ＤＣ４の合成の際に、ノイズにより劣化したＯＦＤＭ復調信号の合成量を減らすことができる。【０１１９】
以上のように、本発明に係るダイバーシティ受信装置の第３実施例によれば、ブランチ１〜４のＯＦＤＭ復調信号ＤＣ１〜ＤＣ４は、ノイズ量が多いブランチの復調信号ほど合成割合が小さくなるように合成されるので、ノイズにより劣化した復調信号の合成量を減らし、４系統のブランチを有するダイバーシティ受信装置の受信性能を高めることができる。
【実施例４】
【０１２０】
図１０は本発明に係るダイバーシティ受信装置の第４実施例の要部を示すブロック回路図である。本発明の第４実施例は、２系統のブランチ（ブランチ１，ブランチ２）を有するＯＦＤＭ受信装置に使用するものであり、図４に示す本発明の第１実施例を改良したものである。【０１２１】
本発明の第４実施例では、ノイズ閾値回路２７と、重み付け係数選択回路２８が設けられている。ノイズ閾値回路２７は、ブランチ１，２のノイズ量ＤＧ１，ＤＧ２と閾値１，閾値２，閾値３（ただし、閾値１＜閾値２＜閾値３）とを入力し、重み付け係数ＤＯ１，ＤＯ２と重み付け係数選択信号ＤＰを重み付け係数選択回路２８に対して出力するものである。【０１２２】
ここで、閾値１は、例えば、シングル方式での受信状態とした場合に、ＣＮ比（キャリア信号電力とノイズ電力の比）がシングル方式での受信時に要求される所要値となる場合のノイズ量と同一値とする。【０１２３】
また、閾値２は、例えば、ダイバーシティ方式での受信状態とし、各ブランチに同量のノイズ量を付加した場合において、ＣＮ比がダイバーシティ方式での受信時に要求される所要値となる場合に、各ブランチに与えたノイズ量と同一値とする。【０１２４】
また、閾値３は、例えば、ダイバーシティ方式での受信状態とし、一方のブランチに、シングル受信時にＣＮ比が所要値となるノイズ量を与え、他方のブランチに、ダイバーシティ受信時のＣＮ比が所要値になるまでノイズ量を与えたときのノイズ量と同一値とする。【０１２５】
重み付け係数選択回路２８は、重み付け係数算出回路２６が出力する重み付け係数ＤＥ１，ＤＥ２またはノイズ閾値回路２７が出力する重み付け係数ＤＯ１，ＤＯ２を選択して重み付け回路２２−１，２２−２に与えるものであり、重み付け係数選択信号ＤＰ＝論理１の場合には、重み付け係数ＤＥ１，ＤＥ２を選択し、重み付け係数選択信号ＤＰ＝論理０の場合には、重み付け係数ＤＯ１，ＤＯ２を選択する。その他については、図４に示す本発明の第１実施例と同様に構成されている。【０１２６】
図１１はノイズ閾値回路２７の動作を説明するための図である。図１１中、Ｓ１１，Ｓ１２，Ｓ１３，Ｓ１４は、ブランチ１のノイズ量ＤＧ１の閾値１〜閾値３に対する大小関係の状態を示しており、Ｓ１１はノイズ量ＤＧ１＜閾値１の状態、Ｓ１２は閾値１≦ノイズ量ＤＧ１＜閾値２の状態、Ｓ１３は閾値２≦ノイズ量ＤＧ１＜閾値３の状態、Ｓ１４は閾値３≦ノイズ量ＤＧ１の状態を示している。【０１２７】
また、Ｓ２１，Ｓ２２，Ｓ２３，Ｓ２４は、ブランチ２のノイズ量ＤＧ２の閾値１〜閾値３に対する大小関係の状態を示しており、Ｓ２１はノイズ量ＤＧ２＜閾値１の状態、Ｓ２２は閾値１≦ノイズ量ＤＧ２＜閾値２の状態、Ｓ２３は閾値２≦ノイズ量ＤＧ２＜閾値３の状態、Ｓ２４は閾値３≦ノイズ量ＤＧ２の状態を示している。【０１２８】
表１はブランチ１，２のノイズ量ＤＧ１，ＤＧ２が取り得る値の状態と、ノイズ閾値回路２７が出力する重み付け係数ＤＯ１，ＤＯ２の値との関係を示すものである。【０１２９】
【表１】
2006098050.tif 000002
【０１３０】
すなわち、ノイズ閾値回路２７は、重み付け係数ＤＯ１として、ノイズ量ＤＧ１がＳ１１の場合には４、ノイズ量ＤＧ１がＳ１２の場合には３、ノイズ量ＤＧ１がＳ１３の場合には２、ノイズ量ＤＧ１がＳ１４の場合には１を出力し、重み付け係数ＤＯ２として、ノイズ量ＤＧ２がＳ２１の場合には４、ノイズ量ＤＧ２がＳ２２の場合には３、ノイズ量ＤＧ２がＳ２３の場合には２、ノイズ量ＤＧ２がＳ２４の場合には１を出力する。【０１３１】
このように、ノイズ閾値回路２７は、重み付け係数ＤＯ１，ＤＯ２として、ノイズ量ＤＧ１，ＤＧ２の閾値１〜閾値３との大小関係の状態に応じて、予め設定されている固定値を出力するものである。また、ノイズ閾値回路２７は、重み付け係数選択信号ＤＰとして、ノイズ量ＤＧ１，ＤＧ２の状態がＳ１１，Ｓ２１の場合には、論理１を出力し、それ以外の場合には、論理０を出力する。【０１３２】
なお、本発明の第４実施例では、ノイズ量算出回路２４−１，２４−２とノイズ量比較回路２５と重み付け係数算出回路２６とノイズ閾値回路２７と重み付け係数選択回路２８とで重み付け係数供給回路が構成されている。【０１３３】
このように構成された本発明の第４実施例においては、ノイズ量ＤＧ１，ＤＧ２がＳ１１，Ｓ２１の場合には、重み付け回路２２−１，２２−２には重み付け係数算出回路２６が出力する重み付け係数ＤＥ１，ＤＥ２が与えられるので、本発明の第４実施例は本発明の第１実施例の場合と同様に動作し、本発明の第１実施例の場合と同様の効果を得ることができる。【０１３４】
これに対して、ノイズ量ＤＧ１，ＤＧ２がＳ１１，Ｓ２１の場合以外の場合には、重み付け回路２２−１，２２−２にはノイズ閾値回路２７が出力する重み付け係数ＤＯ１，ＤＯ２が与えられる。【０１３５】
ここに、ノイズ量ＤＧ１，ＤＧ２の閾値１，閾値２，閾値３に対する状態が異なる場合には、本発明の第１実施例の場合のようにノイズ量ＤＧ１，ＤＧ２のノイズ量比較結果ＤＨに応じた重み付け係数ＤＥ１，ＤＥ２を重み付け回路２２−１，２２−２に与えても、ノイズにより劣化した復調信号の合成量を効果的に減らすことはできないが、本発明の第４実施例にように、固定値からなる重み付け係数ＤＯ１，ＤＯ２を重み付け回路２２−１，２２−２に与えるようにする場合には、固定値の取り方によって、ノイズにより劣化した復調信号の合成量を効果的に減らすことができる。【０１３６】
以上のように、本発明に係るダイバーシティ受信装置の第４実施例によれば、ブランチ１，２のＯＦＤＭ復調信号ＤＣ１，ＤＣ２は、ノイズ量が多いブランチの復調信号ほど合成割合が小さくなるように合成されるので、ノイズにより劣化した復調信号の合成量を減らし、２系統のブランチを有するダイバーシティ受信装置の受信性能を高めることができる。【０１３７】
ここで、本発明の第４実施例では、前述した第２実施例と同様に、２個の１段目合成値算出回路と１個の２段目合成値算出回路を設けてなるダイバーシティ受信装置を例にして説明したが、本発明は、３個以上の１段目合成値算出回路と１個の２段目合成値算出回路を設けてなるダイバーシティ受信装置、或いは、４個以上の１段目合成値算出回路と、これらの後段に２階層以上からなる後段合成値算出回路を設けてなるダイバーシティ受信装置を構成する場合にも適用することができる。【０１３８】
さらに、本発明の第４実施例では、２段目合成値算出回路５０，９０はノイズ量を考慮して合成復調信号ＤＤ１，ＤＤ２の合成を行う構成としたが、２段目合成値算出回路については、従来と同様の構成としても良い。この場合、１段目合成値算出回路３０，４０，７０，８０のノイズ量比較回路３５，４５はノイズ量ＤＪ１，ＤＪ２を出力する構成とする必要はない。
【実施例５】
【０１３９】
図１２は本発明に係るダイバーシティ受信装置の第５実施例の要部を示すブロック回路図である。本発明の第５実施例は、４系統のブランチ（ブランチ１〜ブランチ４）を有するＯＦＤＭ受信装置に使用するものであり、図５に示す本発明の第２実施例が備える１段目合成値算出回路３０，４０および２段目合成値算出回路５０を改良してなる１段目合成値算出回路７０，８０および２段目合成値算出回路９０を備えるものである。【０１４０】
図１３は１段目合成値算出回路７０の要部を示すブロック回路図である。１段目合成値算出回路７０では、ノィズ閾値回路３７と重み付け係数選択回路３８が設けられている。ノイズ閾値回路３７は、ブランチ１，２のノイズ量ＤＧ１，ＤＧ２と閾値１，閾値２，閾値３（ただし、閾値１＜閾値２＜閾値３）とを入力し、重み付け係数ＤＯ１，ＤＯ２と重み付け係数選択信号ＤＰ１を重み付け係数選択回路３８に対して出力するものであり、本発明の第４実施例が備えるノイズ閾値回路２７と同様の動作を行うものである。【０１４１】
重み付け係数選択回路３８は、重み付け係数算出回路３６が出力する重み付け係数ＤＥ１，ＤＥ２またはノイズ閾値回路３７が出力する重み付け係数ＤＯ１，ＤＯ２を選択して重み付け回路３２−１，３２−２に与えるものであり、重み付け係数選択信号ＤＰ１＝論理１の場合には、重み付け係数ＤＥ１，ＤＥ２を選択し、重み付け係数選択信号ＤＰ１＝論理０の場合には、重み付け係数ＤＯ１，ＤＯ２を選択する。その他については、図６に示す１段目合成値算出回路３０と同様に構成されている。【０１４２】
なお、１段目合成値算出回路７０では、ノイズ量算出回路３４−１，３４−２とノイズ量比較回路３５と重み付け係数算出回路３６とノイズ閾値回路３７と重み付け係数選択回路３８とで重み付け係数供給回路が構成されている。【０１４３】
図１４は１段目合成値算出回路８０の要部を示すブロック回路図である。１段目合成値算出回路８０では、ノィズ閾値回路４７と重み付け係数選択回路４８が設けられている。ノイズ閾値回路４７は、ブランチ３，４のノイズ量ＤＧ３，ＤＧ４と閾値１，閾値２，閾値３とを入力し、重み付け係数ＤＯ３，ＤＯ４と重み付け係数選択信号ＤＰ２を重み付け係数選択回路４８に対して出力するものであり、ノイズ量ＤＧ３，ＤＧ４について、本発明の第１実施例が備えるノイズ閾値回路２７と同様の動作を行うものである。【０１４４】
重み付け係数選択回路４８は、重み付け係数算出回路４６が出力する重み付け係数ＤＥ３，ＤＥ４またはノイズ閾値回路４７が出力する重み付け係数ＤＯ３，ＤＯ４を選択して重み付け回路４２−３，４２−４に与えるものであり、重み付け係数選択信号ＤＰ２＝論理１の場合には、重み付け係数ＤＥ３，ＤＥ４を選択し、重み付け係数選択信号ＤＰ２＝論理０の場合には、重み付け係数ＤＯ３，ＤＯ４を選択する。その他については、図７に示す１段目合成値算出回路４０と同様に構成されている。【０１４５】
なお、１段目合成値算出回路８０では、ノイズ量算出回路４４−３，４４−４とノイズ量比較回路４５と重み付け係数算出回路４６とノイズ閾値回路４７と重み付け係数選択回路４８とで重み付け係数供給回路が構成されている。【０１４６】
図１５は２段目合成値算出回路９０の要部を示すブロック回路図である。２段目合成値算出回路９０では、ノイズ閾値回路５７と重み付け係数選択回路５８が設けられている。ノイズ閾値回路５７は、１段目合成値算出回路７０が出力するノイズ量ＤＪ１と２段目合成値算出回路８０が出力するノイズ量ＤＪ２と閾値１，閾値２，閾値３とを入力し、重み付け係数ＤＱ１，ＤＱ２と重み付け係数選択信号ＤＲを重み付け係数選択回路５８に対して出力するものであり、ノイズ量ＤＪ１，ＤＪ２について、本発明の第１実施例が備えるノイズ閾値回路２７と同様の動作を行うものである。【０１４７】
重み付け係数選択回路５８は、重み付け係数算出回路５６が出力する重み付け係数ＤＫ１，ＤＫ２またはノイズ閾値回路５７が出力する重み付け係数ＤＱ１，ＤＱ２を選択して重み付け回路５２−１，５２−２に与えるものであり、重み付け係数選択信号ＤＲ＝論理１の場合には、重み付け係数ＤＫ１，ＤＫ２を選択し、重み付け係数選択信号ＤＲ＝論理０の場合には、重み付け係数ＤＱ１，ＤＱ２を選択する。その他については、図８に示す２段目合成値算出回路５０と同様に構成されている。【０１４８】
なお、２段目合成値算出回路９０では、ノイズ量比較回路５５と重み付け係数算出回路５６とノイズ閾値回路５７と重み付け係数選択回路５８とで重み付け係数供給回路が構成されている。【０１４９】
このように構成された本発明に係るダイバーシティ受信装置の第５実施例によれば、ブランチ１〜４のＯＦＤＭ復調信号ＤＣ１〜ＤＣ４は、ノイズ量が多いブランチの復調信号ほど合成割合が小さくなるように合成されるので、ノイズにより劣化した復調信号の合成量を減らし、２系統のブランチを有するダイバーシティ受信装置の受信性能を高めることができる。
【実施例６】
【０１５０】
図１６は本発明に係るダイバーシティ受信装置の第６実施例の要部を示すブロック回路図である。本発明の第６実施例は、４系統のブランチ（ブランチ１〜ブランチ４）を有するＯＦＤＭ受信装置に使用するものであり、図９に示す本発明の第３実施例を改良するものである。【０１５１】
本発明の第６実施例では、ノイズ閾値回路６７と、重み付け係数選択回路６８が設けられている。ノイズ閾値回路６７は、閾値１〜閾値７（ただし、閾値１＜閾値２＜閾値３＜閾値４＜閾値５＜閾値６＜閾値７）とブランチ１〜４のノイズ量ＤＧ１〜ＤＧ４を入力して、重み付け係数ＤＯ１〜ＤＯ４と重み付け係数選択信号ＤＰを重み付け係数選択回路６８に対して出力するものである。【０１５２】
なお、閾値１〜閾値７としては、例えば、以下の（１）〜（７）の値から選択することができる。（１）シングル方式での受信状態とした場合に、ＣＮ比がシングル方式での受信時に要求される所要値となる場合のノイズ量と同一値。（２）２個のブランチを用いたダイバーシティ方式での受信状態とした場合に、ＣＮ比が２個のブランチを用いたダイバーシティ方式での受信時に要求される所要値となる場合のノイズ量と同一値。【０１５３】
（３）３個のブランチを用いたダイバーシティ方式での受信状態とした場合に、ＣＮ比が３個のブランチを用いたダイバーシティ方式での受信時に要求される所要値となる場合のノイズ量と同一値。（４）４個のブランチを用いたダイバーシティ方式での受信状態とした場合に、ＣＮ比が４個のブランチを用いたダイバーシティ方式での受信時に要求される所要値となる場合のノイズ量と同一値。【０１５４】
（５）４個のブランチを用いたダイバーシティ方式での受信状態とし、ＣＮ比を４個のブランチを用いたダイバーシティ方式での受信時に要求される所要値とした場合において、１個のブランチのノイズ量を増やし、ＣＮ比がシングル方式での受信時の所要ＣＮ比と同等になったときのノイズ量と同一値。【０１５５】
（６）４個のブランチを用いたダイバーシティ方式での受信状態とし、ＣＮ比を４個のブランチを用いたダイバーシティ方式での受信時に要求される所要値とした場合において、２個のブランチのノイズ量を同量増やし、ＣＮ比がシングル方式での受信時の所要ＣＮ比と同等になったときのノイズ量と同一値。【０１５６】
（７）４個のブランチを用いたダイバーシティ方式での受信状態とし、ＣＮ比を４個のブランチを用いたダイバーシティ方式での受信時に要求される所要値とした場合において、３個のブランチのノイズ量を同量増やし、ＣＮ比がシングル方式での受信時の所要ＣＮ比と同等になったときのノイズ量と同一値。【０１５７】
重み付け係数選択回路６８は、重み付け係数算出回路６５が出力する重み付け係数ＤＥ１〜ＤＥ４またはノイズ閾値回路６７が出力する重み付け係数ＤＯ１〜ＤＯ４を選択して重み付け回路６２−１〜６２−４に与えるものであり、重み付け係数選択信号ＤＰ＝論理１の場合には、重み付け係数ＤＥ１〜ＤＥ４を選択し、重み付け係数選択信号ＤＰ＝論理０の場合には、重み付け係数ＤＯ１〜ＤＯ４を選択する。その他については、図９に示す本発明の第３実施例と同様に構成されている。【０１５８】
図１７はノイズ閾値回路６７の動作を説明するための図である。図１７中、Ｓ１１〜Ｓ１８は、ブランチ１のノイズ量ＤＧ１の閾値１〜閾値７に対する大小関係の状態を示しており、Ｓ１１はノイズ量ＤＧ１＜閾値１の状態、Ｓ１２は閾値１≦ノイズ量ＤＧ１＜閾値２の状態、Ｓ１３は閾値２≦ノイズ量ＤＧ１＜閾値３の状態、Ｓ１４は閾値３≦ノイズ量ＤＧ１＜閾値４の状態、Ｓ１５は閾値４≦ノイズ量ＤＧ１＜閾値５の状態、Ｓ１６は閾値５≦ノイズ量ＤＧ１＜閾値６の状態、Ｓ１７は閾値６≦ノイズ量ＤＧ１＜閾値７の状態、Ｓ１８は閾値７≦ノイズ量ＤＧ１の状態を示している。【０１５９】
Ｓ２１〜Ｓ２８は、ブランチ２のノイズ量ＤＧ２の閾値１〜閾値７に対する大小関係の状態を示しており、Ｓ２１はノイズ量ＤＧ２＜閾値１の状態、Ｓ２２は閾値１≦ノイズ量ＤＧ２＜閾値２の状態、Ｓ２３は閾値２≦ノイズ量ＤＧ２＜閾値３の状態、Ｓ２４は閾値３≦ノイズ量ＤＧ２＜閾値４の状態、Ｓ２５は閾値４≦ノイズ量ＤＧ２＜閾値５の状態、Ｓ２６は閾値５≦ノイズ量ＤＧ２＜閾値６の状態、Ｓ２７は閾値６≦ノイズ量ＤＧ２＜閾値７の状態、Ｓ２８は閾値７≦ノイズ量ＤＧ２の状態を示している。【０１６０】
Ｓ３１〜Ｓ３８は、ブランチ３のノイズ量ＤＧ３の閾値１〜閾値７に対する大小関係の状態を示しており、Ｓ３１はノイズ量ＤＧ３＜閾値１の状態、Ｓ３２は閾値１≦ノイズ量ＤＧ３＜閾値２の状態、Ｓ３３は閾値２≦ノイズ量ＤＧ３＜閾値３の状態、Ｓ３４は閾値３≦ノイズ量ＤＧ３＜閾値４の状態、Ｓ３５は閾値４≦ノイズ量ＤＧ３＜閾値５の状態、Ｓ３６は閾値５≦ノイズ量ＤＧ３＜閾値６の状態、Ｓ３７は閾値６≦ノイズ量ＤＧ３＜閾値７の状態、Ｓ３８は閾値７≦ノイズ量ＤＧ３の状態を示している。【０１６１】
Ｓ４１〜Ｓ４８は、ブランチ４のノイズ量ＤＧ４の閾値１〜閾値７に対する大小関係の状態を示しており、Ｓ４１はノイズ量ＤＧ４＜閾値１の状態、Ｓ４２は閾値１≦ノイズ量ＤＧ４＜閾値２の状態、Ｓ４３は閾値２≦ノイズ量ＤＧ４＜閾値３の状態、Ｓ４４は閾値３≦ノイズ量ＤＧ４＜閾値４の状態、Ｓ４５は閾値４≦ノイズ量ＤＧ４＜閾値５の状態、Ｓ４６は閾値５≦ノイズ量ＤＧ４＜閾値６の状態、Ｓ４７は閾値６≦ノイズ量ＤＧ４＜閾値７の状態、Ｓ４８は閾値７≦ノイズ量ＤＧ４の状態を示している。【０１６２】
本発明の第６実施例では、ノイズ閾値回路６７は、重み付け係数ＤＯ１として、ノイズ量ＤＧ１がＳ１１の場合には８、ノイズ量ＤＧ１がＳ１２の場合には７、ノイズ量ＤＧ１がＳ１３の場合には６、ノイズ量ＤＧ１がＳ１４の場合には５、ノイズ量ＤＧ１がＳ１５の場合には４、ノイズ量ＤＧ１がＳ１６の場合には３、ノイズ量ＤＧ１がＳ１７の場合には２、ノイズ量ＤＧ１がＳ１８の場合には１を出力する。【０１６３】
また、重み付け係数ＤＯ２として、ノイズ量ＤＧ２がＳ２１の場合には８、ノイズ量ＤＧ２がＳ２２の場合には７、ノイズ量ＤＧ２がＳ２３の場合には６、ノイズ量ＤＧ２がＳ２４の場合には５、ノイズ量ＤＧ２がＳ２５の場合には４、ノイズ量ＤＧ２がＳ２６の場合には３、ノイズ量ＤＧ２がＳ２７の場合には２、ノイズ量ＤＧ２がＳ２８の場合には１を出力する。【０１６４】
また、重み付け係数ＤＯ３として、ノイズ量ＤＧ３がＳ３１の場合には８、ノイズ量ＤＧ３がＳ３２の場合には７、ノイズ量ＤＧ３がＳ３３の場合には６、ノイズ量ＤＧ３がＳ３４の場合には５、ノイズ量ＤＧ３がＳ３５の場合には４、ノイズ量ＤＧ３がＳ３６の場合には３、ノイズ量ＤＧ３がＳ３７の場合には２、ノイズ量ＤＧ３がＳ３８の場合には１を出力する。【０１６５】
また、重み付け係数ＤＯ４として、ノイズ量ＤＧ４がＳ４１の場合には８、ノイズ量ＤＧ４がＳ４２の場合には７、ノイズ量ＤＧ４がＳ４３の場合には６、ノイズ量ＤＧ４がＳ４４の場合には５、ノイズ量ＤＧ４がＳ４５の場合には４、ノイズ量ＤＧ４がＳ４６の場合には３、ノイズ量ＤＧ４がＳ４７の場合には２、ノイズ量ＤＧ４がＳ４８の場合には１を出力する。【０１６６】
このように、ノイズ閾値回路６７は、重み付け係数ＤＯ１〜ＤＯ４として、ノイズ量ＤＧ１〜ＤＧ４の閾値１〜閾値７との大小関係の状態に応じて、予め設定されている固定値を出力するものである。また、ノイズ閾値回路６７は、重み付け係数選択信号ＤＰとして、ノイズ量ＤＧ１，ＤＧ２，ＤＧ３，ＤＧ４の状態がＳ１１，Ｓ２１，Ｓ３１，Ｓ４１の場合には、論理１を出力し、それ以外の場合には、論理０を出力する。【０１６７】
なお、本発明の第６実施例では、ノイズ量算出回路６４−１〜６４−４とノイズ量比較回路６５と重み付け係数算出回路６６とノイズ閾値回路６７と重み付け係数選択回路６８とで重み付け係数供給回路が構成されている。【０１６８】
このように構成された本発明の第６実施例においては、ノイズ量ＤＧ１，ＤＧ２，ＤＧ３，ＤＧ４がＳ１１，Ｓ２１，Ｓ３１，Ｓ４１の場合には、重み付け回路６２−１，６２−２，６２−３，６２−４には重み付け係数算出回路６６が出力する重み付け係数ＤＥ１，ＤＥ２，ＤＥ３，ＤＥ４が与えられるので、本発明の第６実施例は本発明の第３実施例の場合と同様に動作し、本発明の第３実施例の場合と同様の効果を得ることができる。【０１６９】
これに対して、ノイズ量ＤＧ１，ＤＧ２，ＤＧ３，ＤＧ４がＳ１１，Ｓ２１，Ｓ３１，Ｓ４１の場合以外の場合には、重み付け回路６２−１，６２−２，６２−３，６２−４にはノイズ閾値回路６７が出力する重み付け係数ＤＯ１，ＤＯ２，ＤＯ３，ＤＯ４が与えられる。【０１７０】
ここに、ノイズ量ＤＧ１〜ＤＧ４の閾値１〜閾値７に対する状態が異なる場合には、本発明の第１実施例の場合のようにノイズ量ＤＧ１〜ＤＧ４のノイズ量比較結果ＤＨに応じた重み付け係数ＤＥ１〜ＤＥ４を重み付け回路６２−１〜６２−４に与えても、ノイズにより劣化した復調信号の合成量を効果的に減らすことはできないが、固定値からなる重み付け係数ＤＯ１〜ＤＯ４を重み付け回路６２−１〜６２−４に与えるようにする場合には、固定値の取り方によって、ノイズにより劣化した復調信号の合成量を効果的に減らすことができる。【０１７１】
以上のように、本発明に係るダイバーシティ受信装置の第６実施例によれば、ブランチ１〜４のＯＦＤＭ復調信号ＤＣ１〜ＤＣ４は、ノイズ量が多いブランチの復調信号ほど合成割合が小さくなるように合成されるので、ノイズにより劣化した復調信号の合成量を減らし、４系統のブランチを有するダイバーシティ受信装置の受信性能を高めることができる。
【実施例７】
【０１７２】
図１８は本発明に係るダイバーシティ受信装置の第７実施例の要部を示すブロック回路図であり、ダイバーシティ合成回路の例を説明するためのものである。【０１７３】
図１８に示されるように、本第７実施例は、ＯＦＤＭ変調された信号を受信して復調する２ブランチダイバーシティＯＦＤＭ受信装置において、ブランチ１の伝送路推定信号Ｄ３１を元に、電力算出回路Ａ１でブランチ１のＯＦＤＭ信号電力値Ｄ３２を求め、さらに、ブランチ２の伝送路推定信号Ｄ３３を元に、伝送路推定信号を元に電力算出回路Ａ２でブランチ２のＯＦＤＭ信号電力値Ｄ３４を求める。【０１７４】
各ブランチのノイズ算出器（ノイズ量算出回路）Ａ３およびＡ４で算出されたノイズ量Ｄ３５およびＤ３６は、ノイズ比較器Ａ５，割合算出回路Ａ６およびノイズ閾値回路Ａ７に入力される。割合算出回路Ａ６で算出される各ブランチの合成量の割合Ｄ３７およびＤ３８、ノイズ閾値回路Ａ７で算出された各ブランチのノイズレベルＤ３９、並びに、合成量の割合を示す信号Ｄ４０およびＤ４１は、合成量選択回路Ａ８に入力され、ノイズレベルＤ３９により選択されて各ブランチの伝送路推定信号を元に算出された値Ｄ３２およびＤ３４に乗算され、ＯＦＤＭ信号電力値Ｄ４２およびＤ４５が算出される。【０１７５】
さらに、ブランチ１の復調データＤ４４および合成割合が乗算されたＯＦＤＭ信号電力値Ｄ４２、並びに、ブランチ２の復調データＤ４５および合成割合が乗算されたＯＦＤＭ信号電力値Ｄ４３は、合成値算出回路Ａ９に入力され、この合成値算出回路Ａ９で算出された合成信号Ｄ４５がノイズの影響を軽減した合成信号となる。
【実施例８】
【０１７６】
図１９は本発明に係るダイバーシティ受信装置の第８実施例の要部を示すブロック回路図であり、選択ダイバーシティ回路の例を説明するためのものである。【０１７７】
図１９に示されるように、本第８実施例は、ＯＦＤＭ変調された信号を受信して復調する２ブランチダイバーシティＯＦＤＭ受信装置において、ブランチ１の伝送路推定信号Ｄ５１を元に、電力算出回路Ａ１でブランチ１のＯＦＤＭ信号電力値Ｄ５２を求め、さらに、ブランチ２の伝送路推定信号Ｄ５３を元に、伝送路推定信号を元に電力算出回路Ａ２でブランチ２のＯＦＤＭ信号電力値Ｄ５４を求める。【０１７８】
また、デマッピング回路Ａ３０およびＡ４０により、軟判定ビット値（軟判定ビット）Ｄ５５およびＤ５６を決定する。さらに、重み付け量決定回路Ａ５０には、予め軟判定ビット値に対応したテーブルが設けられ、各ブランチの軟判定ビット値Ｄ５５およびＤ５６により、重み付け量Ｄ５７およびＤ５８が決定される。【０１７９】
乗算器Ａ７０およびＡ８０は、電力算出回路Ａ１およびＡ２で求めたＯＦＤＭ信号電力値データＤ５２およびＤ５４と算出された各ブランチの重み付け量Ｄ５７およびＤ５８との乗算を行う。ブランチ１の復調データＤ６１，合成割合が乗算されたＯＦＤＭ信号電力値Ｄ５９，ブランチ２の復調データＤ６２および合成割合を乗算されたＯＦＤＭ信号電力値Ｄ６０は、合成値算出回路Ａ９に入力され、ノイズの影響が軽減された合成信号Ｄ６３が算出される。【０１８０】
以上述べたように、本発明によれば、地上波ディジタル放送や無線ＬＡＮ等で、ＯＦＤＭ装置での受信性能向上を行うことができる。また、ダイバーシティ技術において、ノイズ混入時に信号の合成量を制御することにより、従来から行われているノイズが混入されている合成結果と比較して、性能を大幅に向上させることができる。【０１８１】
図２０は図１９に示すダイバーシティ受信装置の第８実施例の変形例を説明するための図であり、選択ダイバーシティ回路の他の例を説明するためのものである。【０１８２】
図２０と上述した図１９との比較から明らかなように、本第８実施例の変形例は、第８実施例における合成値算出回路Ａ９の代わりに、ブランチ１の復調データＤ６１およびブランチ２の復調データＤ６２が入力された選択回路Ａ９０を設け、合成割合が乗算されたＯＦＤＭ信号電力値Ｄ５９およびＤ６０の大小を比較回路Ａ９１で判定し、ＯＦＤＭ信号電力値が大きい方のブランチの復調データを選択して出力するようになっている。【０１８３】
図２１，図２２および図２３は図１９に示すダイバーシティ受信装置の第８実施例におけるデマッピング処理を説明するための図である。ここで、図２１は、ＱＰＳＫ（四位相偏移変調：Quadrature Phase-Shift Keying）コンスタレーションの例を示し、図２２は、通常のデマッピング処理を説明するためのものであり、そして、図２３は、前述した第８実施例に適用するデマッピング処理を説明するためのものである。なお、図２２および図は、Ｉ軸３ビット軟判定の例を示している。【０１８４】
なお、ＱＰＳＫとは、ディジタル信号をアナログ信号に変換する変調方式の１つであり、変換された後の波における４つの異なる位相にそれぞれ１つの値を割り当てることにより１回変調で４値（２ビット）のデータを送受信することができ、例えば、ディジタル衛星放送やケーブルモデム等に使用される変調方式である。【０１８５】
図２１に示されるように、本第８実施例において、分散とは、コンスタレーション上での受信信号（受信データの位置ＤＰ）と理想点ＩＰとの間の距離ＤＩＳであり、分散（ＤＩＳ）をノイズ量（キャリアのノイズ量）とする。なお、この分散は、ＣＮ比（Carrier to Noise Ratio）とほぼ等価である。また、上記の分散を一定期間積分したものをノイズ量（任意の単位時間のノイズ量）とすることも可能である。【０１８６】
図２２に示されるように、通常のデマッピング処理は、入力されたデータ（例えば、１０ビット、１２ビット等）が、どの位置に現れたかを数ビット（図２２では３ビット）の軟判定ビットに置き換える。ここで、図２２において、受信データ（ＤＰ）のＩ軸デマッピング数値は、『１０１』として表す。なお、各範囲の閾値は、予め設定しておく。【０１８７】
図２３に示されるように、前述した第８実施例に適用するデマッピング処理は、デマッピングを擬似的にノイズ量とするため、図２２を参照して説明した通常のデマッピングとは、各範囲に割り当てる値を変え、硬判定ビット以外の数値をノイズとして扱うようになっている。ここで、硬判定とは、例えば、３ビット軟判定を例にあげると、この時の数値が『１０１』だった場合、最上位ビット『１』が硬判定ビットとなり、残りの『０１』が軟判定ビットとなる。【０１８８】
図２４，図２５Ａおよび図２５Ｂは本発明のダイバーシティ受信装置における同期変調部のＯＦＤＭセグメント構成の例を示す図である。【０１８９】
図２４は、同期変調（ＱＰＳＫ，１６ＱＡＭ（Quadrature Amplitude Modulation），６４ＱＡＭのキャリア変調方式）部のＯＦＤＭセグメント（Ｍｏｄｅ１）を示している。なお、図２４において、Ｓijは、インターリーブ後のデータセグメント内のキャリアシンボルを表し、また、ＳＰ（Scattered Pilot：パイロット信号）は、キャリア方向において１２キャリアに１回、シンボル方向において４シンボルに１回の間隔で挿入される。【０１９０】
なお、図２４において、ＴＭＣＣ（Transmission and Multiplexing Configuration Control）は、制御情報を伝送するために挿入されるものであり、また、ＡＣ（Auxiliary Channel）は、付加情報を伝送するための信号で、ＡＣ１は全てのセグメントに同一数挿入される。【０１９１】
図２５Ａは、１３セグメントの全てがＡ階層の場合を示し、図２５Ｂは、１３セグメントが３つの階層Ａ，階層Ｂおよび階層Ｃで構成される場合を示している。【０１９２】
すなわち、階層とは、例えば、ＩＳＤＢ−Ｔ（Terrestrial Integrated Services Digital Broadcasting：日本のディジタルテレビジョン方式）で規定されているものであり、伝送路符号化は、ＯＦＤＭセグメント単位（例えば、ディジタルテレビジョン放送は、１３個のＯＦＤＭセグメント単位、また、ディジタル音声放送は、１または３のＯＦＤＭセグメント単位）に行われる。これにより、１つのテレビジョンチャネルの中で一部を固定受信サービスとし、残りを移動体受信サービス向けとすることができる。このような伝送を階層伝送という。各階層は、１または複数のＯＦＤＭセグメントにより構成され、階層毎に変調方式、符号化率、および、インターリーブ長等のパラメータを設定することができ、最大３までの階層数を設けることができる。【０１９３】
図２５Ｂは、１３セグメントを、Ａ階層、Ｂ階層およびＣ階層の３つの階層で構成した例を示している。【０１９４】
なお、図２４，図２５Ａおよび図２５Ｂは本発明を適用し得るＯＦＤＭセグメント構成の例を示すだけのものであり、本発明は、他の様々なセグメント構成に対して幅広く適用することができるのはいうまでもない。
【産業上の利用可能性】
【０１９５】
上述した各実施例の説明では、ブランチが２個の場合、或いは、４個の場合を例にして説明したが、本発明は、ブランチが３個や５個以上の場合にも適用することができる。【０１９６】
また、上記各実施例においては、本発明をＯＦＤＭ受信装置に使用する場合を例にして説明したが、本発明は、ＯＦＤＭ信号以外の無線信号であっても、伝送路推定信号を含む無線信号を受信するダイバーシティ受信装置に広く適用することができる。
【図１】
2006098050.tif 000003
【図２】
2006098050.tif 000004
【図３Ａ】
2006098050.tif 000005
【図３Ｂ】
2006098050.tif 000006
【図４】
2006098050.tif 000007
【図５】
2006098050.tif 000008
【図６】
2006098050.tif 000009
【図７】
2006098050.tif 000010
【図８】
2006098050.tif 000011
【図９】
2006098050.tif 000012
【図１０】
2006098050.tif 000013
【図１１】
2006098050.tif 000014
【図１２】
2006098050.tif 000015
【図１３】
2006098050.tif 000016
【図１４】
2006098050.tif 000017
【図１５】
2006098050.tif 000018
【図１６】
2006098050.tif 000019
【図１７】
2006098050.tif 000020
【図１８】
2006098050.tif 000021
【図１９】
2006098050.tif 000022
【図２０】
2006098050.tif 000023
【図２１】
2006098050.tif 000024
【図２２】
2006098050.tif 000025
【図２３】
2006098050.tif 000026
【図２４】
2006098050.tif 000027
【図２５Ａ】
2006098050.tif 000028
【図２５Ｂ】
2006098050.tif 000029
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
複数のブランチのダイバーシティ信号を受信するダイバーシティ受信装置であって、
前記ブランチ毎にノイズ量を算出する複数のノイズ量算出回路と、
該各ノイズ量算出回路で算出されたノイズ量の大小を比較し、ノイズ量が大きいブランチのパワーをノイズ量に応じて、ダイバーシティ合成比を変えるダイバーシティ合成回路と、を備えることを特徴とするダイバーシティ受信装置。
【請求項２】
請求項１に記載のダイバーシティ受信装置において、前記ノイズ量算出回路は、データキャリア信号をデマッピングした値およびデマッピング基準値の分散積分値から前記ノイズ量を算出することを特徴とするダイバーシティ受信装置。
【請求項３】
請求項１に記載のダイバーシティ受信装置において、前記ノイズ量算出回路は、ＡＣ，ＴＭＣＣ信号の分散積分値から前記ノイズ量を算出することを特徴とするダイバーシティ受信装置。
【請求項４】
請求項１に記載のダイバーシティ受信装置において、複数のノイズの閾値を設け、該複数のノイズの閾値により新たにノイズレベルを与えるようにしたことを特徴とするダイバーシティ受信装置。
【請求項５】
複数のブランチのダイバーシティ信号を受信するダイバーシティ受信装置であって、
前記ブランチ毎にノイズ量を算出する複数のノイズ量算出回路と、
該各ノイズ量算出回路で算出されたノイズ量の大小を比較し、ノイズ量が大きいブランチのパワーをノイズ量に応じて、前記各ブランチの選択および重み付け量を制御する選択ダイバーシティ回路と、を備えることを特徴とするダイバーシティ受信装置。
【請求項６】
ダイバーシティ信号を受信するダイバーシティ受信装置であって、
合成前に予めデマッピングを行って軟判定ビットを算出するデマッピング回路と、
前記軟判定ビットをノイズ量とし、各ブランチのノイズ量の大小を比較し、ノイズ量が大きいブランチのパワーをノイズ量に応じて、ダイバーシティ合成比を変えるダイバーシティ合成回路と、を備えることを特徴とするダイバーシティ受信装置。
【請求項７】
ダイバーシティ信号を受信するダイバーシティ受信装置であって、
合成前に予めデマッピングを行って軟判定ビットを算出するデマッピング回路と、
前記軟判定ビットをノイズ量とし、各ブランチのノイズ量の大小を比較し、ノイズ量が大きいブランチのパワーをノイズ量に応じて、前記ブランチの選択および重み付け量を制御する選択ダイバーシティ回路と、を備えることを特徴とするダイバーシティ受信装置。
【請求項８】
複数のブランチの復調信号を合成するダイバーシティ受信装置であって、
ノイズ量が多いブランチの復調信号ほど合成割合が小さくなるように前記複数のブランチの復調信号を合成することを特徴とするダイバーシティ受信装置。
【請求項９】
請求項８に記載のダイバーシティ受信装置において、さらに、
前記複数のブランチの信号電力値を算出する複数の電力算出回路と、
前記複数の電力算出回路が出力する複数の信号電力値に重み付けを行う複数の重み付け回路と、
ノイズ量が多いブランチの復調信号ほど合成割合が小さくなるように前記複数の重み付け回路に複数の重み付け係数を供給する重み付け係数供給回路と、
前記複数のブランチの復調信号と前記複数の重み付け回路が出力する複数の重み付け済み信号電力値を入力して最大比合成法により前記複数のブランチの復調信号を合成する合成値算出回路と、を備えることを特徴とするダイバーシティ受信装置。
【請求項１０】
請求項８に記載のダイバーシティ受信装置において、さらに、
複数の前段合成値算出回路と、
前記複数の前段合成値算出回路の後段に後段合成値算出回路を有し、
前記複数の前段合成値算出回路は、
前記複数のブランチの一部の複数のブランチの信号電力値を算出する複数の電力算出回路と、
前記複数の電力算出回路が出力する複数の信号電力値に重み付けを行う複数の重み付け回路と、
ノイズ量が多いブランチの復調信号ほど合成割合が小さくなるように前記複数の重み付け回路に複数の重み付け係数を供給する重み付け係数供給回路と、
前記複数のブランチの復調信号と前記複数の重み付け回路が出力する複数の重み付け済み信号電力値を入力して最大比合成法により前記複数のブランチの一部の複数のブランチの復調信号を合成すると共に、合成電力値を算出する合成値算出回路と、を備え、
前記後段合成値算出回路は、前記複数の前段合成値算出回路が出力する複数の合成復調信号を１段構成または複数段構成で合成することを特徴とするダイバーシティ受信装置。
【手続補正２】
【補正対象書類名】明細書
【補正対象項目名】全文
【補正方法】変更
【補正の内容】
【発明の詳細な説明】
【技術分野】
【０００１】
本発明は、複数のブランチの復調信号の合成を行うダイバーシティ受信装置に関し、特に、ブランチの復調信号にノイズが混入したときでも良好な受信性能を発揮するダイバーシティ受信装置に関する。
【背景技術】
【０００２】
従来、無線信号をダイバーシティ方式で受信するダイバーシティ受信装置として、例えば、２系統のブランチ（ブランチ１およびブランチ２）を有するＯＦＤＭ（Orthogonal Frequency Division Multiplexing：直交周波数分割多重）受信装置が実用化されている。
【０００３】
そして、例えば、ディジタルテレビジョン放送やディジタルラジオ放送の受信機、或いは、無線ＬＡＮ（Local Area Network）等のＯＦＤＭ信号処理においては、より性能の優れたＯＦＤＭ信号処理ＬＳＩおよびＯＦＤＭ受信装置が要求されている。
【０００４】
ここで、ダイバーシティ受信技術は、複数のアンテナを使用し、その複数のアンテナで受信した信号を選択、或いは、合成することで安定受信を可能にする技術であり、ブランチとは、ダイバーシティにおける１つの受信系を意味する。
【０００５】
図１は従来のダイバーシティ受信装置の一例の要部を示すブロック回路図であり、ＯＦＤＭ受信装置に適用されるダイバーシティ合成回路（ＯＦＤＭ信号処理用ＬＳＩ）の一例の要部を示すものである。
【０００６】
図１に示されるように、ダイバーシティ合成回路は、電力算出回路１１−１，１１−２、および、合成値算出回路１３を備えている。電力算出回路１１−１は、ブランチ１の伝送路推定信号ＤＡ１に従ってブランチ１のＯＦＤＭ信号電力値ＤＢ１を算出し、また、電力算出回路１１−２は、ブランチ２の伝送路推定信号ＤＡ２に従ってブランチ２のＯＦＤＭ信号電力値ＤＢ２を算出する。
【０００７】
合成値算出回路１３は、ブランチ１の復調データＤＣ１およびＯＦＤＭ信号電力値ＤＢ１、並びに、ブランチ２の復調データＤＣ２およびＯＦＤＭ信号電力値ＤＢ２を受け取り、ブランチ１のＯＦＤＭ信号電力値ＤＢ１とブランチ２のＯＦＤＭ信号電力値ＤＢ２の割合に応じて、ブランチ１のＯＦＤＭ復調信号ＤＣ１とブランチ２のＯＦＤＭ復調信号ＤＣ２とを最大比合成法により合成して合成復調信号ＤＤを算出する。
【０００８】
ところで、従来、各ブランチの雑音電力が等しくない場合においても、選択合成や最大比合成を最適な比率で行うことができるＯＦＤＭ信号受信用のダイバーシティ受信装置として、受信信号をブランチ毎にＦＦＴ処理して復調し、雑音成分が含まれるデータを一定帯域幅にわたって積算し、各ブランチの雑音電力を個別に求めることにより、各ブランチの受信高周波段に設けられたＡＧＣ増幅器の増幅率や雑音指数等の値を、ＦＦＴ処理後のベースバンド信号から推定して最適な比率で信号合成を行うダイバーシティ受信装置が提案されている（例えば、特許文献１参照）。
【０００９】
また、従来、最大比合成法で期待される性能を有するダイバーシティ受信を可能にするために、ディジタルＯＦＤＭ信号またはキャリア信号列を入力し、ディジタルＯＦＤＭ信号に混入している雑音レベルまたはキャリア信号列に混入している雑音レベルを検出して出力する雑音レベル検出回路と、雑音レベルを入力し、基準となる雑音レベルに対する雑音レベル比を算出して出力する雑音レベル比算出回路と、雑音レベル比を入力し、キャリア信号列を前記雑音レベル比倍したキャリア信号を出力する雑音レベル同一化回路と、を備えるＯＦＤＭ受信装置も提案されている（例えば、特許文献２参照）。
【００１０】
【特許文献１】特開２００４−３１２３３３号公報
【特許文献２】特開２００４−１１２１５５号公報
【発明の開示】
【発明が解決しようとする課題】
【００１１】
上述したように、従来、例えば、ダイバーシティ方式を用いたＯＦＤＭ受信装置は、一般的に最大比合成法を適用しており、ノイズ量が考慮されていなかった。そのため、あるブランチが別のブランチに比べてノイズ量が多い場合でも、その劣化した信号と共に合成されることになって、ノイズ量の少ない側のブランチ単独での受信性能よりも悪化することさえあった。
【００１２】
すなわち、例えば、上述した図１に示す従来のダイバーシティ受信装置（ダイバーシティ合成回路）では、各ブランチのノイズ量を考慮していないため、一方のブランチのノイズ量が他方のブランチのノイズ量より多いと、一方のブランチのＯＦＤＭ信号電力値が他方のブランチのＯＦＤＭ信号電力値よりも大きいと判断され、その結果、合成値算出回路１３では、信号劣化が大きい側のブランチのＯＦＤＭ復調信号の合成割合が大きくなるように合成される。そのため、場合によっては、受信性能が、ノイズ量の少ない側のブランチ単独での受信性能よりも悪化してしまう場合があるという解決すべき課題があった。
【００１３】
本発明は、上述した従来のダイバーシティ受信装置が有する課題に鑑み、複数のブランチの復調信号を合成する際に、ノイズにより劣化した復調信号の合成量を減らすことにより、受信性能を高めることができるようにしたダイバーシティ受信装置の提供を目的とする。
【課題を解決するための手段】
【００１４】
本発明の第１の形態によれば、複数のブランチのダイバーシティ信号を受信するダイバーシティ受信装置であって、前記ブランチ毎にノイズ量を算出する複数のノイズ量算出回路と、該各ノイズ量算出回路で算出されたノイズ量の大小を比較し、ノイズ量が大きいブランチのパワーをノイズ量に応じて、ダイバーシティ合成比を変えるダイバーシティ合成回路と、を備えることを特徴とするダイバーシティ受信装置が提供される。
【００１５】
本発明の第２の形態によれば、複数のブランチのダイバーシティ信号を受信するダイバーシティ受信装置であって、前記ブランチ毎にノイズ量を算出する複数のノイズ量算出回路と、該各ノイズ量算出回路で算出されたノイズ量の大小を比較し、ノイズ量が大きいブランチのパワーをノイズ量に応じて、前記各ブランチの選択および重み付け量を制御する選択ダイバーシティ回路と、を備えることを特徴とするダイバーシティ受信装置が提供される。
【００１６】
本発明の第３の形態によれば、ダイバーシティ信号を受信するダイバーシティ受信装置であって、合成前に予めデマッピングを行って軟判定ビットを算出するデマッピング回路と、前記軟判定ビットをノイズ量とし、各ブランチのノイズ量の大小を比較し、ノイズ量が大きいブランチのパワーをノイズ量に応じて、ダイバーシティ合成比を変えるダイバーシティ合成回路と、を備えることを特徴とするダイバーシティ受信装置が提供される。
【００１７】
本発明の第４の形態によれば、ダイバーシティ信号を受信するダイバーシティ受信装置であって、合成前に予めデマッピングを行って軟判定ビットを算出するデマッピング回路と、前記軟判定ビットをノイズ量とし、各ブランチのノイズ量の大小を比較し、ノイズ量が大きいブランチのパワーをノイズ量に応じて、前記ブランチの選択および重み付け量を制御する選択ダイバーシティ回路と、を備えることを特徴とするダイバーシティ受信装置が提供される。
【００１８】
本発明の第５の形態によれば、複数のブランチの復調信号を合成するダイバーシティ受信装置であって、ノイズ量が多いブランチの復調信号ほど合成割合が小さくなるように前記複数のブランチの復調信号を合成することを特徴とするダイバーシティ受信装置が提供される。
【００１９】
以上のように、本発明は、複数のブランチの復調信号を合成し、ノイズ量が多いブランチの復調信号ほど合成割合が小さくなるように複数のブランチの復調信号を合成するダイバーシティ受信装置を提供するものである。
【発明の効果】
【００２０】
本発明のダイバーシティ受信装置によれば、複数のブランチの復調信号は、ノイズ量が多いブランチの復調信号ほど合成割合が小さくなるように合成されるので、ノイズにより劣化した復調信号の合成量を減らし、ダイバーシティ受信装置の受信性能を高めることができる。
【発明を実施するための最良の形態】
【００２１】
まず、本発明の実施例を詳述する前に、本発明に係るダイバーシティ受信装置の全体構成を概略的に説明する。
【００２２】
図２は本発明に係るダイバーシティ受信装置の一例を概略的に示すブロック図であり、ＯＦＤＭ変調された信号を受信して復調するＯＦＤＭ受信装置の一例を示すものである。
【００２３】
図２に示されるように、ＯＦＤＭ変調された信号を受信して復調するＯＦＤＭ受信装置において、１段目合成値算出回路３０は、ブランチ１の伝送路推定信号Ｄ１（図１のＤＡ１に対応）を元に、電力算出回路Ａ１（１１−１）でブランチ１のＯＦＤＭ信号電力値Ｄ２（ＤＢ１）を求め、同様に、ブランチ２までの伝送路推定信号Ｄ３（ＤＡ２）を元に、電力算出回路Ａ２（１１−２）でブランチ２までのＯＦＤＭ信号電力値Ｄ４（ＤＢ２）を求める。
【００２４】
また、各ブランチのノイズ算出器（ノイズ量算出回路）Ａ３およびＡ４で算出されたノイズ量Ｄ５およびＤ６を比較するノイズ比較器Ａ５並びに割合算出回路Ａ６により得られる各ブランチの合成量の割合Ｄ８およびＤ９と、ノイズ閾値回路Ａ７にノイズ量Ｄ５およびＤ６並びに閾値Ｄ７（閾値１，閾値２，閾値３）を与え、信号Ｄ１０およびＤ１１を算出する。この算出された信号Ｄ１０およびＤ１１、並びに、ノイズレベルにより合成量選択回路Ａ８の制御を行う信号Ｄ１２により、各ブランチの合成量の割合を制御する係数Ｄ１３およびＤ１４を生成する。
【００２５】
そして、各ブランチのＯＦＤＭ信号電力値Ｄ２およびＤ４と生成された係数Ｄ１３およびＤ１４との乗算を行って、ブランチ１および２のＯＦＤＭ信号電力値Ｄ１５およびＤ１６を算出する。この算出されたＯＦＤＭ信号電力値Ｄ１５およびＤ１６、並びに、復調信号Ｄ１７およびＤ１８は、合成値算出回路Ａ９に入力され、合成データＤ１９および合成電力Ｄ２０を得る。
【００２６】
なお、ノイズ量比較器Ａ５は、ノイズ算出器Ａ３およびＡ４で算出されたノイズ量Ｄ５およびＤ６を比較してノイズ量の少ないブランチのものをノイズ量Ｄ２１として出力する。
【００２７】
同様に、３以上の複数のブランチがある場合には、上述した回路３０と同様の１段目合成値算出回路４０で得られた合成データＤ２２および合成電力Ｄ２３と、少ないブランチのノイズ量Ｄ２４を出力する。
【００２８】
さらに、１段目合成値算出回路３０および４０で演算された結果を合成するために、回路３０と同様の２段目合成値算出回路５０により、合成データＤ１９およびＤ２２を復調信号入力とし、合成電力Ｄ２０およびＤ２３を電力値入力とし、そして、ノイズ量Ｄ２１およびＤ２４をノイズ量入力として、合成演算を行う。そして、算出された合成信号Ｄ２５がノイズの影響を軽減した合成信号となる。
【００２９】
図３Ａおよび図３Ｂは本発明に係るダイバーシティ受信装置における閾値を説明するための図であり、上述した図２において、ノイズ閾値回路Ａ７に入力される閾値Ｄ７を説明するためのものである。
【００３０】
まず、図３Ａに示されるように、ブランチがブランチ１およびブランチ２の２つの場合、閾値１，閾値２および閾値３の３つの閾値を用意する。すなわち、シングル受信での所要ＣＮ（Carrier to Noise）のノイズ量を閾値１とし、ダイバーシティ受信時において各ブランチに同相当のノイズ量を付加した信号を与えた時の所要ＣＮのノイズ量を閾値２とし、そして、ダイバーシティ受信時において一方のブランチにシングル受信での所要ＣＮ相当量のノイズを与えると共に、他方のブランチに所要ＣＮになるまでノイズを与えたときのノイズ量を閾値３とする。
【００３１】
これら３つの閾値により、各ブランチは、ノイズ量が閾値１よりも少ない場合（Ｓ１１，Ｓ２１）、ノイズ量が閾値１より多く且つ閾値２より少ない場合（Ｓ１２，Ｓ２２）、ノイズ量が閾値２より多く且つ閾値３より少ない場合（Ｓ１３，Ｓ２３）、並びに、ノイズ量が閾値３よりも多い場合（Ｓ１４，Ｓ２４）の４通りの場合が存在する。
【００３２】
次に、図３Ｂに示されるように、例えば、Ｎ個のブランチの場合（Ｎ個のブランチのダイバーシティ合成を同時に行う場合）、閾値の数はブランチ数（Ｎ）が増えるに従って、２Ｎ−１の閾値を用意することになり、２Ｎ通りの場合が存在する。
【００３３】
各ブランチにおいて、（Ｓ１１，Ｓ１２）＝（８，８）、および、（Ｓ１１，Ｓ２４）＝（８，２）等の合成割合のための固定値を与え、この値で乗算されたＯＦＤＭ信号電力値を用いて信号が合成される。
【００３４】
そして、各ブランチでお互いのノイズ量を比較し、或るブランチでノイズ量が極端に大きい場合には、そのブランチの合成量を制御することにより、ノイズの影響を少なくすることができ、ダイバーシティとしての性能向上を図ることが可能になる。
【００３５】
ここで、閾値の２Ｎ−１について説明する。具体的に、例えば、４ブランチ入力の場合を考える。このとき、閾値の数は、２×４−１＝７となる。すなわち、閾値１〜閾値７は、次のようになる。なお、閾値１〜閾値７は、例えば、ノイズ量により順番が入れ替わり、また、全てのチャネル（ブランチ）の受信感度等の性能は同じものとする。
【００３６】
閾値１：シングルのみ受信時の所要ＣＮ時ノイズ量
閾値２：２つのチャネルのみ受信時の所要ＣＮ時ノイズ量
閾値３：３つのチャネルのみ受信時の所要ＣＮ時ノイズ量
閾値４：４つの（全ての）チャネル受信時の所要ＣＮ時ノイズ量
閾値５：予め４つのチャネル受信時における所要ＣＮ時のノイズ量において、そのうち１つのチャネルのみノイズ量を増やし、所要ＣＮがシングル受信時と同等になった時のノイズ量
閾値６：予め４つのチャネル受信時における所要ＣＮ時のノイズ量において、そのうち２つのチャネルのノイズ量を増やし、所要ＣＮがシングル受信時と同等になった時のノイズ量（このとき、ノイズを増やす２つのチャネルは同等のノイズ量を与える）
閾値７：予め４つのチャネル受信時における所要ＣＮ時のノイズ量において、そのうち３つのチャネルのノイズ量を増やし、所要ＣＮがシングル受信時と同等になった時のノイズ量（このとき、ノイズを増やす３つのチャネルは同等のノイズ量を与える）
【００３７】
このように、ブランチ（チャネル）の数をＮとすると、閾値の数は、２（Ｎ−１）＋１＝２Ｎ−１となる。
【００３８】
以下、本発明に係るダイバーシティ受信装置の各実施例を、添付図面を参照して詳述する。
【実施例１】
【００３９】
図４は本発明に係るダイバーシティ受信装置の第１実施例の要部を示すブロック回路図である。本発明の第１実施例は、２系統のブランチ（ブランチ１，ブランチ２）を有するＯＦＤＭ受信装置に使用するものであり、電力算出回路２１−１，２１−２と、重み付け回路２２−１，２２−２と、合成値算出回路２３と、ノイズ量算出回路２４−１，２４−２と、ノイズ量比較回路２５と、重み付け係数算出回路２６を備えている。
【００４０】
電力算出回路２１−１は、ブランチ１の伝送路推定信号ＤＡ１を元に、ブランチ１のＯＦＤＭ信号電力値ＤＢ１を算出するものである。電力算出回路２１−２は、ブランチ２の伝送路推定信号ＤＡ２を元に、ブランチ２のＯＦＤＭ信号電力値ＤＢ２を算出するものである。
【００４１】
重み付け回路２２−１は、ブランチ１のＯＦＤＭ信号電力値ＤＢ１に重み付け係数ＤＥ１を乗算することにより、ブランチ１の重み付け済みＯＦＤＭ信号電力値ＤＦ１を算出するものである。重み付け回路２２−２は、ブランチ２のＯＦＤＭ信号電力値ＤＢ２に重み付け係数ＤＥ２を乗算することにより、ブランチ２の重み付け済みＯＦＤＭ信号電力値ＤＦ２を算出するものである。
【００４２】
合成値算出回路２３は、ブランチ１の重み付け済みＯＦＤＭ信号電力値ＤＦ１とブランチ２の重み付け済みＯＦＤＭ信号電力値ＤＦ２の割合に応じて、ブランチ１のＯＦＤＭ復調信号ＤＣ１とブランチ２のＯＦＤＭ復調信号ＤＣ２とを最大比合成法により合成して合成復調信号ＤＤを出力するものである。
【００４３】
ノイズ量算出回路２４−１は、ブランチ１のデータキャリア信号をデマッピングした値のデマッピング基準値との比較分散積分値、または、ブランチ１の伝送路推定信号の分散積分値、または、ブランチ１のＡＣ（Auxiliary Channel），ＴＭＣＣ（Transmission and Multiplexing Configuration Control）信号の分散積分値から、ブランチ１のノイズ量ＤＧ１を算出するものである。
【００４４】
ノイズ量算出回路２４−２は、ブランチ２のデータキャリア信号をデマッピングした値のデマッピング基準値との比較分散積分値、または、ブランチ２の伝送路推定信号の分散積分値、または、ブランチ２のＡＣ，ＴＭＣＣ信号の分散積分値から、ブランチ２のノイズ量ＤＧ２を算出するものである。
【００４５】
ノイズ量比較回路２５は、ブランチ１，２のノイズ量ＤＧ１，ＤＧ２を比較してノイズ量比較結果ＤＨを出力するものである。重み付け係数算出回路２６は、ブランチ１，２のノイズ量ＤＧ１，ＤＧ２とノイズ量比較結果ＤＨから、重み付け回路２２−１，２２−２に与える重み付け係数ＤＥ１，ＤＥ２を算出するものである。
【００４６】
本発明の第１実施例では、ノイズ量算出回路２４−１，２４−２とノイズ量比較回路２５と重み付け係数算出回路２６とで重み付け係数供給回路が構成されており、重み付け係数算出回路２６は、重み付け係数ＤＥ１，ＤＥ２として、合成値算出回路２３におけるブランチ１，２のＯＦＤＭ復調信号ＤＣ１，ＤＣ２の最大比合成法による合成の際に、ブランチ１，２のうち、ノイズ量の多いブランチのＯＦＤＭ復調信号ほど合成割合が小さくなるような、ノイズ量ＤＧ１，ＤＧ２に応じた値を出力する。
【００４７】
このように構成された本発明の第１実施例においては、電力算出回路２１−１は、ブランチ１のＯＦＤＭ信号電力値ＤＢ１を算出し、電力算出回路２１−２は、ブランチ２のＯＦＤＭ信号電力値ＤＢ２を算出する。
【００４８】
また、ノイズ量算出回路２４−１は、ブランチ１のノイズ量ＤＧ１を算出し、ノイズ量算出回路２４−２は、ブランチ２のノイズ量ＤＧ２を算出する。さらに、ノイズ量比較回路２５は、ブランチ１，２のノイズ量ＤＧ１，ＤＧ２を比較し、重み付け係数算出回路２６は、ブランチ１，２のノイズ量ＤＧ１，ＤＧ２とノイズ量比較結果ＤＨから、重み付け係数ＤＥ１，ＤＥ２を算出する。
【００４９】
そして、重み付け回路２２−１は、ブランチ１のＯＦＤＭ信号電力値ＤＢ１に重み付け係数ＤＥ１を乗算し、ブランチ１の重み付け済みＯＦＤＭ信号電力値ＤＦ１を算出し、重み付け回路２２−２は、ブランチ２のＯＦＤＭ信号電力値ＤＢ２に重み付け係数ＤＥ２を乗算し、ブランチ２の重み付け済みＯＦＤＭ信号電力値ＤＦ２を算出する。
【００５０】
そして、合成値算出回路２３は、ブランチ１の重み付け済みＯＦＤＭ信号電力値ＤＦ１とブランチ２の重み付け済みＯＦＤＭ信号電力値ＤＦ２の割合に応じて、ブランチ１のＯＦＤＭ復調信号ＤＣ１とブランチ２のＯＦＤＭ復調信号ＤＣ２とを最大比合成法により合成して合成復調信号ＤＤを出力する。
【００５１】
ここで、重み付け係数算出回路２６は、重み付け係数ＤＥ１，ＤＥ２として、合成値算出回路２３におけるブランチ１，２のＯＦＤＭ復調信号ＤＣ１，ＤＣ２の最大比合成法による合成の際に、ブランチ１，２のうち、ノイズ量の多いブランチのＯＦＤＭ復調信号ほど合成割合が小さくなるような値を出力するので、合成値算出回路２３によるブランチ１，２のＯＦＤＭ復調信号ＤＣ１，ＤＣ２の合成の際に、ノイズにより劣化したＯＦＤＭ復調信号の合成量を減らすことができる。
【００５２】
以上のように、本発明に係るダイバーシティ受信装置の第１実施例によれば、ブランチ１，２のＯＦＤＭ復調信号ＤＣ１，ＤＣ２は、ノイズ量が多いブランチのＯＦＤＭ復調信号ほど合成割合が小さくなるように合成されるので、ノイズにより劣化したＯＦＤＭ復調信号の合成量を減らし、２系統のブランチを有するダイバーシティ受信装置の受信性能を高めることができる。
【実施例２】
【００５３】
図５は本発明に係るダイバーシティ受信装置の第２実施例の要部を示すブロック回路図である。本発明の第２実施例は、４系統のブランチ（ブランチ１〜ブランチ４）を有するＯＦＤＭ受信装置に使用するものであり、１段目合成値算出回路３０，４０と、２段目合成値算出回路５０を備えている。
【００５４】
図６は１段目合成値算出回路３０の要部を示すブロック回路図である。１段目合成値算出回路３０は、電力算出回路３１−１，３１−２と、重み付け回路３２−１，３２−２と、合成値算出回路３３と、ノイズ量算出回路３４−１，３４−２と、ノイズ量比較回路３５と、重み付け係数算出回路３６を備えている。
【００５５】
電力算出回路３１−１は、ブランチ１の伝送路推定信号ＤＡ１を元に、ブランチ１のＯＦＤＭ信号電力値ＤＢ１を算出するものである。電力算出回路３１−２は、ブランチ２の伝送路推定信号ＤＡ２を元に、ブランチ２のＯＦＤＭ信号電力値ＤＢ２を算出するものである。
【００５６】
重み付け回路３２−１は、ブランチ１のＯＦＤＭ信号電力値ＤＢ１に重み付け係数ＤＥ１を乗算することにより、ブランチ１の重み付け済みＯＦＤＭ信号電力値ＤＦ１を算出するものである。重み付け回路３２−２は、ブランチ２のＯＦＤＭ信号電力値ＤＢ２に重み付け係数ＤＥ２を乗算することにより、ブランチ２の重み付け済みＯＦＤＭ信号電力値ＤＦ２を算出するものである。
【００５７】
合成値算出回路３３は、ブランチ１の重み付け済みＯＦＤＭ信号電力値ＤＦ１とブランチ２の重み付け済みＯＦＤＭ信号電力値ＤＦ２の割合に応じて、ブランチ１のＯＦＤＭ復調信号ＤＣ１とブランチ２のＯＦＤＭ復調信号ＤＣ２とを最大比合成法により合成して合成復調信号ＤＤ１を出力すると共に、合成復調信号ＤＤ１の電力値（合成電力値）ＤＩ１を出力するものである。
【００５８】
ノイズ量算出回路３４−１は、ブランチ１のデータキャリア信号をデマッピングした値のデマッピング基準値との比較分散積分値、または、ブランチ１の伝送路推定信号の分散積分値、または、ブランチ１のＡＣ，ＴＭＣＣ信号の分散積分値から、ブランチ１のノイズ量ＤＧ１を算出するものである。
【００５９】
ノイズ量算出回路３４−２は、ブランチ２のデータキャリア信号をデマッピングした値のデマッピング基準値との比較分散積分値、または、ブランチ２の伝送路推定信号の分散積分値、または、ブランチ２のＡＣ，ＴＭＣＣ信号の分散積分値から、ブランチ１のノイズ量ＤＧ２を算出するものである。
【００６０】
ノイズ量比較回路３５は、ブランチ１，２のノイズ量ＤＧ１，ＤＧ２を比較してノイズ量比較結果ＤＨ１を出力すると共に、ブランチ１，２のノイズ量ＤＧ１，ＤＧ２のうち、少ない方のノイズ量をノイズ量ＤＪ１として出力するものである。
【００６１】
重み付け係数算出回路３６は、ブランチ１，２のノイズ量ＤＧ１，ＤＧ２とノイズ量比較結果ＤＨ１から、重み付け回路３２−１，３２−２に与える重み付け係数ＤＥ１，ＤＥ２を算出するものである。
【００６２】
１段目合成値算出回路３０では、ノイズ量算出回路３４−１，３４−２とノイズ量比較回路３５と重み付け係数算出回路３６とで重み付け係数供給回路が構成されており、重み付け係数算出回路３６は、重み付け係数ＤＥ１，ＤＥ２として、合成値算出回路３３におけるブランチ１，２のＯＦＤＭ復調信号ＤＣ１，ＤＣ２の最大比合成法による合成の際に、ブランチ１，２のうち、ノイズ量の多いブランチのＯＦＤＭ復調信号ほど合成割合が小さくなるような、ノイズ量ＤＧ１，ＤＧ２に応じた値を出力する。
【００６３】
このように構成された１段目合成値算出回路３０においては、電力算出回路３１−１は、ブランチ１のＯＦＤＭ信号電力値ＤＢ１を算出し、電力算出回路３１−２は、ブランチ２のＯＦＤＭ信号電力値ＤＢ２を算出する。
【００６４】
また、ノイズ量算出回路３４−１は、ブランチ１のノイズ量ＤＧ１を算出し、ノイズ量算出回路３４−２は、ブランチ２のノイズ量ＤＧ２を算出する。さらに、ノイズ量比較回路３５は、ブランチ１，２のノイズ量ＤＧ１，ＤＧ２を比較し、重み付け係数算出回路３６は、ブランチ１，２のノイズ量ＤＧ１，ＤＧ２とノイズ量比較結果ＤＨ１から、重み付け係数ＤＥ１，ＤＥ２を算出する。
【００６５】
そして、重み付け回路３２−１は、ブランチ１のＯＦＤＭ信号電力値ＤＢ１に重み付け係数ＤＥ１を乗算し、ブランチ１の重み付け済みＯＦＤＭ信号電力値ＤＦ１を算出し、重み付け回路３２−２は、ブランチ２のＯＦＤＭ信号電力値ＤＢ２に重み付け係数ＤＥ２を乗算し、ブランチ２の重み付け済みＯＦＤＭ信号電力値ＤＦ２を算出する。
【００６６】
そして、合成値算出回路３３は、ブランチ１の重み付け済みＯＦＤＭ信号電力値ＤＦ１とブランチ２の重み付け済みＯＦＤＭ信号電力値ＤＦ２の割合に応じて、ブランチ１のＯＦＤＭ復調信号ＤＣ１とブランチ２のＯＦＤＭ復調信号ＤＣ２とを最大比合成法により合成して合成復調信号ＤＤ１を出力すると共に、合成電力値ＤＩ１を出力する。
【００６７】
図７は１段目合成値算出回路４０の要部を示すブロック回路図である。１段目合成値算出回路４０は、電力算出回路４１−３，４１−４と、重み付け回路４２−３，４２−４と、合成値算出回路４３と、ノイズ量算出回路４４−３，４４−４と、ノイズ量比較回路４５と、重み付け係数算出回路４６を備えている。
【００６８】
電力算出回路４１−３は、ブランチ３の伝送路推定信号ＤＡ３を元に、ブランチ３のＯＦＤＭ信号電力値ＤＢ３を算出するものである。電力算出回路４１−４は、ブランチ４の伝送路推定信号ＤＡ４を元に、ブランチ４のＯＦＤＭ信号電力値ＤＢ４を算出するものである。
【００６９】
重み付け回路４２−３は、ブランチ３のＯＦＤＭ信号電力値ＤＢ３に重み付け係数ＤＥ３を乗算することにより、ブランチ３の重み付け済みＯＦＤＭ信号電力値ＤＦ３を算出するものである。重み付け回路４２−４は、ブランチ４のＯＦＤＭ信号電力値ＤＢ４に重み付け係数ＤＥ４を乗算することにより、ブランチ４の重み付け済みＯＦＤＭ信号電力値ＤＦ４を算出するものである。
【００７０】
合成値算出回路４３は、ブランチ３の重み付け済みＯＦＤＭ信号電力値ＤＦ３とブランチ４の重み付け済みＯＦＤＭ信号電力値ＤＦ４の割合に応じて、ブランチ３のＯＦＤＭ復調信号ＤＣ３とブランチ４のＯＦＤＭ復調信号ＤＣ４とを最大比合成法により合成して合成復調信号ＤＤ２を出力すると共に、合成復調信号ＤＤ２の電力値（合成電力値）ＤＩ２を出力するものである。
【００７１】
ノイズ量算出回路４４−３は、ブランチ３のデータキャリア信号をデマッピングした値のデマッピング基準値との比較分散積分値、または、ブランチ３の伝送路推定信号の分散積分値、または、ブランチ３のＡＣ，ＴＭＣＣ信号の分散積分値から、ブランチ３のノイズ量ＤＧ３を算出するものである。
【００７２】
ノイズ量算出回路４４−４は、ブランチ４のデータキャリア信号をデマッピングした値のデマッピング基準値との比較分散積分値、または、ブランチ４の伝送路推定信号の分散積分値、または、ブランチ４のＡＣ，ＴＭＣＣ信号の分散積分値から、ブランチ４のノイズ量ＤＧ４を算出するものである。
【００７３】
ノイズ量比較回路４５は、ブランチ３，４のノイズ量ＤＧ３，ＤＧ４を比較してノイズ量比較結果ＤＨ２を出力すると共に、ブランチ３，４のノイズ量ＤＧ３，ＤＧ４のうち、少ない方のノイズ量をノイズ量ＤＪ２として出力するものである。
【００７４】
重み付け係数算出回路４６は、ブランチ３，４のノイズ量ＤＧ３，ＤＧ４とノイズ量比較結果ＤＨ２から、重み付け回路４２−３，４２−４に与える重み付け係数ＤＥ３，ＤＥ４を算出するものである。
【００７５】
１段目合成値算出回路４０では、ノイズ量算出回路４４−３，４４−４とノイズ量比較回路４５と重み付け係数算出回路４６とで重み付け係数供給回路が構成されており、重み付け係数算出回路４６は、重み付け係数ＤＥ３，ＤＥ４として、合成値算出回路４３におけるブランチ３，４のＯＦＤＭ復調信号ＤＣ３，ＤＣ４の最大比合成法による合成の際に、ブランチ３，４のうち、ノイズ量の多いブランチのＯＦＤＭ復調信号の合成割合が小さくなるような、ノイズ量ＤＧ３，ＤＧ４に応じた値を出力する。
【００７６】
このように構成された２段目合成値算出回路４０においては、電力算出回路４１−３は、ブランチ３のＯＦＤＭ信号電力値ＤＢ３を算出し、電力算出回路４１−４は、ブランチ４のＯＦＤＭ信号電力値ＤＢ４を算出する。
【００７７】
また、ノイズ量算出回路４４−３は、ブランチ３のノイズ量ＤＧ３を算出し、ノイズ量算出回路４４−４は、ブランチ４のノイズ量ＤＧ４を算出する。さらに、ノイズ量比較回路４５は、ブランチ３，４のノイズ量ＤＧ３，ＤＧ４を比較し、重み付け係数算出回路４６は、ブランチ３，４のノイズ量ＤＧ３，ＤＧ４とノイズ量比較結果ＤＨ２から、重み付け係数ＤＥ３，ＤＥ４を算出する。
【００７８】
そして、重み付け回路４２−３は、ブランチ３のＯＦＤＭ信号電力値ＤＢ３に重み付け係数ＤＥ３を乗算し、ブランチ３の重み付け済みＯＦＤＭ信号電力値ＤＦ３を算出し、重み付け回路４２−４は、ブランチ４のＯＦＤＭ信号電力値ＤＢ４に重み付け係数ＤＥ４を乗算し、ブランチ４の重み付け済みＯＦＤＭ信号電力値ＤＦ４を算出する。
【００７９】
そして、合成値算出回路４３は、ブランチ３の重み付け済みＯＦＤＭ信号電力値ＤＦ３とブランチ４の重み付け済みＯＦＤＭ信号電力値ＤＦ４の割合に応じて、ブランチ３のＯＦＤＭ復調信号ＤＣ３とブランチ４のＯＦＤＭ復調信号ＤＣ４とを最大比合成法により合成して合成復調信号ＤＤ２を出力すると共に、合成電力値ＤＩ２を出力するものである。
【００８０】
図８は２段目合成値算出回路５０の要部を示すブロック回路図である。２段目合成値算出回路５０は、重み付け回路５２−１，５２−２と、合成値算出回路５３と、ノイズ量比較回路５５と、重み付け係数算出回路５６を備えている。
【００８１】
重み付け回路５２−１は、１段目合成値算出回路３０の合成値算出回路３３が出力する合成電力値ＤＩ１に重み付け係数ＤＫ１を乗算することにより、重み付け済み合成電力値ＤＬ１を算出するものである。重み付け回路５２−２は、１段目合成値算出回路４０の合成値算出回路４３が出力する合成電力値ＤＩ２に重み付け係数ＤＫ２を乗算することにより、重み付け済み合成電力値ＤＬ２を算出するものである。
【００８２】
合成値算出回路５３は、重み付け済み合成電力値ＤＬ１と重み付け合成電力値ＤＬ２との割合に応じて、１段目合成値算出回路３０の合成値算出回路３３が出力する合成復調信号ＤＤ１と２段目合成値算出回路４０の合成値算出回路４３が出力する合成復調信号ＤＤ２とを最大比合成法により合成して合成復調信号ＤＭを算出するものである。
【００８３】
ノイズ量比較回路５５は、１段目合成値算出回路３０のノイズ量比較回路３５が出力するノイズ量ＤＪ１と１段目合成値算出回路４０のノイズ量比較回路４５が出力するノイズ量ＤＪ２を比較してノイズ量比較結果ＤＮを出力するものである。
【００８４】
重み付け係数算出回路５６は、１段目合成値算出回路３０のノイズ量比較回路３５が出力するノイズ量ＤＪ１と１段目合成値算出回路４０のノイズ量比較回路４５が出力するノイズ量ＤＪ２とノイズ量比較回路５５が出力するノイズ量比較結果ＤＮから、重み付け回路５２−１，５２−２に与える重み付け係数ＤＫ１，ＤＫ２を算出するものである。
【００８５】
２段目合成値算出回路５０では、ノイズ量比較回路５５と重み付け係数算出回路５６とで重み付け係数供給回路が構成されており、重み付け係数算出回路５６は、重み付け係数ＤＫ１，ＤＫ２として、合成値算出回路５３における合成復調信号ＤＤ１，ＤＤ２の最大比合成法による合成の際に、ノイズ量ＤＪ１，ＤＪ２のうち、多い方のノイズ量を出力した１段目合成値算出回路が出力する合成復調信号の合成割合が小さくなるような、ノイズ量ＤＪ１，ＤＪ２に応じた値を出力する。
【００８６】
このように構成された２段目合成値算出回路５０においては、ノイズ量比較回路５５は、１段目合成値算出回路３０のノイズ量比較回路３５が出力するノイズ量ＤＪ１と１段目合成値算出回路４０のノイズ量比較回路４５が出力するノイズ量ＤＪ２を比較し、重み付け係数算出回路５６は、ノイズ量ＤＪ１，ＤＪ２とノイズ量比較結果ＤＮから、重み付け係数ＤＫ１，ＤＫ２を算出する。
【００８７】
そして、重み付け回路５２−１は、１段目合成値算出回路３０の合成値算出回路３３が出力する合成電力値ＤＩ１に重み付け係数ＤＫ１を乗算し、重み付け済み合成電力値ＤＬ１を算出し、重み付け回路５２−２は、１段目合成値算出回路４０の合成値算出回路４３が出力する合成電力値ＤＩ２に重み付け係数ＤＫ２を乗算し、重み付け済み合成電力値ＤＬ２を算出する。
【００８８】
そして、合成値算出回路５３は、重み付け済み合成電力値ＤＬ１と重み付け済み合成電力値ＤＬ２の割合に応じて、１段目合成値算出回路３０の合成値算出回路３３が出力する合成復調信号ＤＤ１と１段目合成値算出回路４０の合成値算出回路４３が出力する合成復調信号ＤＤ２とを最大比合成法により合成して合成復調信号ＤＭを出力する。
【００８９】
以上のように、本発明の第２実施例においては、１段目合成値算出回路３０は、ブランチ１の重み付け済みＯＦＤＭ信号電力値ＤＦ１とブランチ２の重み付け済みＯＦＤＭ信号電力値ＤＦ２の割合に応じて、ブランチ１のＯＦＤＭ復調信号ＤＣ１とブランチ２のＯＦＤＭ復調信号ＤＣ２とを最大比合成法により合成して合成復調信号ＤＤ１を算出する。
【００９０】
また、１段目合成値算出回路４０は、ブランチ３の重み付け済みＯＦＤＭ信号電力値ＤＦ３とブランチ４の重み付け済みＯＦＤＭ信号電力値ＤＦ４の割合に応じて、ブランチ３のＯＦＤＭ復調信号ＤＣ３とブランチ４のＯＦＤＭ復調信号ＤＣ４とを最大比合成法により合成して合成復調信号ＤＤ２を算出する。
【００９１】
そして、２段目合成値算出回路５０は、重み付け済み合成電力値ＤＬ１と重み付け済み合成電力値ＤＬ２の割合に応じて、１段目合成値算出回路３０の合成値算出回路３３が出力する合成復調信号ＤＤ１と１段目合成値算出回路４０の合成値算出回路４３が出力する合成復調信号ＤＤ２とを最大比合成法により合成して合成復調信号ＤＭを算出する。
【００９２】
ここで、重み付け係数算出回路３６は、重み付け係数ＤＥ１，ＤＥ２として、合成値算出回路３３におけるブランチ１，２のＯＦＤＭ復調信号ＤＣ１，ＤＣ２の最大比合成法による合成の際に、ブランチ１，２のうち、ノイズ量の多いブランチのＯＦＤＭ復調信号の合成割合が小さくなるような値を出力する。
【００９３】
また、重み付け係数算出回路４６は、重み付け係数ＤＥ３，ＤＥ４として、合成値算出回路４３におけるブランチ３，４のＯＦＤＭ復調信号ＤＣ３，ＤＣ４の最大比合成法による合成の際に、ブランチ３，４のうち、ノイズ量の多いブランチのＯＦＤＭ復調信号の合成割合が小さくなるような値を出力する。
【００９４】
そして、重み付け係数算出回路５６は、重み付け係数ＤＫ１，ＤＫ２として、合成値算出回路５３における合成復調信号ＤＤ１，ＤＤ２の最大比合成法による合成の際に、ノイズ量ＤＪ１，ＤＪ２のうち、多い方のノイズ量を出力した１段目合成値算出回路が出力する合成復調信号の合成割合が小さくなるような値を出力する。
【００９５】
したがって、本発明に係るダイバーシティ受信装置の第２実施例によれば、ブランチ１〜４のＯＦＤＭ復調信号ＤＣ１〜ＤＣ４は、ノイズ量が多いブランチの復調信号ほど合成割合が小さくなるように合成されるので、ノイズにより劣化した復調信号の合成量を減らし、４系統のブランチを有するダイバーシティ受信装置の受信性能を高めることができる。
【００９６】
ここで、本発明の第２実施例では、２個の１段目合成値算出回路と１個の２段目合成値算出回路を設けてなるダイバーシティ受信装置を例にして説明したが、本発明は、３個以上の１段目合成値算出回路と１個の２段目合成値算出回路を設けてなるダイバーシティ受信装置、或いは、４個以上の１段目合成値算出回路と、これらの後段に２階層以上からなる後段合成値算出回路を設けてなるダイバーシティ受信装置を構成する場合にも適用することができる。
【００９７】
さらに、本発明の第２実施例では、２段目合成値算出回路５０，９０はノイズ量を考慮して合成復調信号ＤＤ１，ＤＤ２の合成を行う構成としたが、２段目合成値算出回路については、従来と同様の構成としても良い。この場合、１段目合成値算出回路３０，４０，７０，８０のノイズ量比較回路３５，４５はノイズ量ＤＪ１，ＤＪ２を出力する構成とする必要はない。
【実施例３】
【００９８】
図９は本発明に係るダイバーシティ受信装置の第３実施例の要部を示すブロック回路図である。本発明の第３実施例は、４系統のブランチ（ブランチ１〜ブランチ４）を有するＯＦＤＭ受信装置に使用するものであり、電力算出回路６１−１〜６１−４と、重み付け回路６２−１〜６２−４と、合成値算出回路６３と、ノイズ量算出回路６４−１〜６４−４と、ノイズ量比較回路６５と、重み付け係数算出回路６６を備えている。
【００９９】
電力算出回路６１−１は、ブランチ１の伝送路推定信号ＤＡ１を元に、ブランチ１のＯＦＤＭ信号電力値ＤＢ１を算出するものである。電力算出回路６１−２は、ブランチ２の伝送路推定信号ＤＡ２を元に、ブランチ２のＯＦＤＭ信号電力値ＤＢ２を算出するものである。
【０１００】
電力算出回路６１−３は、ブランチ３の伝送路推定信号ＤＡ３を元に、ブランチ３のＯＦＤＭ信号電力値ＤＢ３を算出するものである。電力算出回路６１−４は、ブランチ４の伝送路推定信号ＤＡ４を元に、ブランチ４のＯＦＤＭ信号電力値ＤＢ４を算出するものである。
【０１０１】
重み付け回路６２−１は、ブランチ１のＯＦＤＭ信号電力値ＤＢ１に重み付け係数ＤＥ１を乗算することにより、ブランチ１の重み付け済みＯＦＤＭ信号電力値ＤＦ１を算出するものである。重み付け回路６２−２は、ブランチ２のＯＦＤＭ信号電力値ＤＢ２に重み付け係数ＤＥ２を乗算することにより、ブランチ２の重み付け済みＯＦＤＭ信号電力値ＤＦ２を算出するものである。
【０１０２】
重み付け回路６２−３は、ブランチ３のＯＦＤＭ信号電力値ＤＢ３に重み付け係数ＤＥ３を乗算することにより、ブランチ３の重み付け済みＯＦＤＭ信号電力値ＤＦ３を算出するものである。重み付け回路６２−４は、ブランチ４のＯＦＤＭ信号電力値ＤＢ４に重み付け係数ＤＥ４を乗算することにより、ブランチ４の重み付け済みＯＦＤＭ信号電力値ＤＦ４を算出するものである。
【０１０３】
合成値算出回路６３は、ブランチ１の重み付け済みＯＦＤＭ信号電力値ＤＦ１とブランチ２の重み付け済みＯＦＤＭ信号電力値ＤＦ２とブランチ３の重み付け済みＯＦＤＭ信号電力値ＤＦ３とブランチ４の重み付け済みＯＦＤＭ信号電力値ＤＦ４の割合に応じて、ブランチ１のＯＦＤＭ復調信号ＤＣ１とブランチ２のＯＦＤＭ復調信号ＤＣ２とブランチ３のＯＦＤＭ復調信号ＤＣ３とブランチ４のＯＦＤＭ復調信号ＤＣ４とを最大比合成法により合成して合成復調信号ＤＤを算出するものである。
【０１０４】
ノイズ量算出回路６４−１は、ブランチ１のデータキャリア信号をデマッピングした値のデマッピング基準値との比較分散積分値、または、ブランチ１の伝送路推定信号の分散積分値、または、ブランチ１のＡＣ，ＴＭＣＣ信号の分散積分値から、ブランチ１のノイズ量ＤＧ１を算出するものである。
【０１０５】
ノイズ量算出回路６４−２は、ブランチ２のデータキャリア信号をデマッピングした値のデマッピング基準値との比較分散積分値、または、ブランチ２の伝送路推定信号の分散積分値、または、ブランチ２のＡＣ，ＴＭＣＣ信号の分散積分値から、ブランチ２のノイズ量ＤＧ２を算出するものである。
【０１０６】
ノイズ量算出回路６４−３は、ブランチ３のデータキャリア信号をデマッピングした値のデマッピング基準値との比較分散積分値、または、ブランチ３の伝送路推定信号の分散積分値、または、ブランチ３のＡＣ，ＴＭＣＣ信号の分散積分値から、ブランチ３のノイズ量ＤＧ３を算出するものである。
【０１０７】
ノイズ量算出回路６４−４は、ブランチ４のデータキャリア信号をデマッピングした値のデマッピング基準値との比較分散積分値、または、ブランチ４の伝送路推定信号の分散積分値、または、ブランチ４のＡＣ，ＴＭＣＣ信号の分散積分値から、ブランチ４のノイズ量ＤＧ４を算出するものである。
【０１０８】
ノイズ量比較回路６５は、ブランチ１〜４のノイズ量ＤＧ１〜ＤＧ４を比較してノイズ量比較結果ＤＨを出力するものである。重み付け係数算出回路６６は、ブランチ１〜４のノイズ量ＤＧ１〜ＤＧ４とノイズ量比較結果ＤＨから、重み付け回路６２−１〜６２−４に与える重み付け係数ＤＥ１〜ＤＥ４を算出するものである。
【０１０９】
本発明の第３実施例では、ノイズ量算出回路６４−１〜６４−４とノイズ量比較回路６５と重み付け係数算出回路６６とで重み付け係数供給回路が構成されており、重み付け係数算出回路６６は、重み付け係数ＤＥ１〜ＤＥ４として、合成値算出回路６３におけるブランチ３〜４のＯＦＤＭ復調信号ＤＣ１〜ＤＣ４の最大比合成法による合成の際に、ブランチ１〜４のうち、ノイズ量の多いブランチのＯＦＤＭ復調信号ほど合成割合が小さくなるような、ノイズ量ＤＧ１〜ＤＧ４に応じた値を出力する。
【０１１０】
このように構成された本発明の第３実施例においては、電力算出回路６１−１は、ブランチ１のＯＦＤＭ信号電力値ＤＢ１を算出し、電力算出回路６１−２は、ブランチ２のＯＦＤＭ信号電力値ＤＢ２を算出し、電力算出回路６１−３は、ブランチ３のＯＦＤＭ信号電力値ＤＢ３を算出し、電力算出回路６１−４は、ブランチ４のＯＦＤＭ信号電力値ＤＢ４を算出する。
【０１１１】
他方、ノイズ量算出回路６４−１は、ブランチ１のノイズ量ＤＧ１を算出し、ノイズ量算出回路６４−２は、ブランチ２のノイズ量ＤＧ２を算出し、ノイズ量算出回路６４−３は、ブランチ３のノイズ量ＤＧ３を算出し、ノイズ量算出回路６４−４は、ブランチ４のノイズ量ＤＧ４を算出する。
【０１１２】
さらに、ノイズ量比較回路６５は、ブランチ１〜４のノイズ量ＤＧ１〜ＤＧ４を比較し、重み付け係数算出回路６６は、ブランチ１〜４のノイズ量ＤＧ１〜ＤＧ４とノイズ量比較結果ＤＨから、重み付け係数ＤＥ１〜ＤＥ４を算出する。
【０１１３】
そして、重み付け回路６２−１は、ブランチ１のＯＦＤＭ信号電力値ＤＢ１に重み付け係数ＤＥ１を乗算し、ブランチ１の重み付け済みＯＦＤＭ信号電力値ＤＦ１を算出し、重み付け回路６２−２は、ブランチ２のＯＦＤＭ信号電力値ＤＢ２に重み付け係数ＤＥ２を乗算し、ブランチ２の重み付け済みＯＦＤＭ信号電力値ＤＦ２を算出する。
【０１１４】
また、重み付け回路６２−３は、ブランチ３のＯＦＤＭ信号電力値ＤＢ３に重み付け係数ＤＥ３を乗算し、ブランチ３の重み付け済みＯＦＤＭ信号電力値ＤＦ３を算出し、重み付け回路６２−４は、ブランチ４のＯＦＤＭ信号電力値ＤＢ４に重み付け係数ＤＥ４を乗算し、ブランチ４の重み付け済みＯＦＤＭ信号電力値ＤＦ４を算出する。
【０１１５】
そして、合成値算出回路６３は、ブランチ１の重み付け済みＯＦＤＭ信号電力値ＤＦ１とブランチ２の重み付け済みＯＦＤＭ信号電力値ＤＦ２とブランチ３の重み付け済みＯＦＤＭ信号電力値ＤＦ３とブランチ４の重み付け済みＯＦＤＭ信号電力値ＤＦ４の割合に応じて、ブランチ１のＯＦＤＭ復調信号ＤＣ１とブランチ２のＯＦＤＭ復調信号ＤＣ２とブランチ３のＯＦＤＭ復調信号ＤＣ３とブランチ４のＯＦＤＭ復調信号ＤＣ４とを最大比合成法により合成して合成復調信号ＤＤを算出する。
【０１１６】
ここで、重み付け係数算出回路６６は、重み付け係数ＤＥ１〜ＤＥ４として、合成値算出回路６３におけるブランチ１〜４のＯＦＤＭ復調信号ＤＣ１〜ＤＣ４の最大比合成法による合成の際に、ブランチ１〜４のうち、ノイズ量の多いブランチのＯＦＤＭ復調信号ほど合成割合が小さくなるような値を出力するので、合成値算出回路６３によるブランチ１〜４のＯＦＤＭ復調信号ＤＣ１〜ＤＣ４の合成の際に、ノイズにより劣化したＯＦＤＭ復調信号の合成量を減らすことができる。
【０１１７】
以上のように、本発明に係るダイバーシティ受信装置の第３実施例によれば、ブランチ１〜４のＯＦＤＭ復調信号ＤＣ１〜ＤＣ４は、ノイズ量が多いブランチの復調信号ほど合成割合が小さくなるように合成されるので、ノイズにより劣化した復調信号の合成量を減らし、４系統のブランチを有するダイバーシティ受信装置の受信性能を高めることができる。
【実施例４】
【０１１８】
図１０は本発明に係るダイバーシティ受信装置の第４実施例の要部を示すブロック回路図である。本発明の第４実施例は、２系統のブランチ（ブランチ１，ブランチ２）を有するＯＦＤＭ受信装置に使用するものであり、図４に示す本発明の第１実施例を改良したものである。
【０１１９】
本発明の第４実施例では、ノイズ閾値回路２７と、重み付け係数選択回路２８が設けられている。ノイズ閾値回路２７は、ブランチ１，２のノイズ量ＤＧ１，ＤＧ２と閾値１，閾値２，閾値３（ただし、閾値１＜閾値２＜閾値３）とを入力し、重み付け係数ＤＯ１，ＤＯ２と重み付け係数選択信号ＤＰを重み付け係数選択回路２８に対して出力するものである。
【０１２０】
ここで、閾値１は、例えば、シングル方式での受信状態とした場合に、ＣＮ比（キャリア信号電力とノイズ電力の比）がシングル方式での受信時に要求される所要値となる場合のノイズ量と同一値とする。
【０１２１】
また、閾値２は、例えば、ダイバーシティ方式での受信状態とし、各ブランチに同量のノイズ量を付加した場合において、ＣＮ比がダイバーシティ方式での受信時に要求される所要値となる場合に、各ブランチに与えたノイズ量と同一値とする。
【０１２２】
また、閾値３は、例えば、ダイバーシティ方式での受信状態とし、一方のブランチに、シングル受信時にＣＮ比が所要値となるノイズ量を与え、他方のブランチに、ダイバーシティ受信時のＣＮ比が所要値になるまでノイズ量を与えたときのノイズ量と同一値とする。
【０１２３】
重み付け係数選択回路２８は、重み付け係数算出回路２６が出力する重み付け係数ＤＥ１，ＤＥ２またはノイズ閾値回路２７が出力する重み付け係数ＤＯ１，ＤＯ２を選択して重み付け回路２２−１，２２−２に与えるものであり、重み付け係数選択信号ＤＰ＝論理１の場合には、重み付け係数ＤＥ１，ＤＥ２を選択し、重み付け係数選択信号ＤＰ＝論理０の場合には、重み付け係数ＤＯ１，ＤＯ２を選択する。その他については、図４に示す本発明の第１実施例と同様に構成されている。
【０１２４】
図１１はノイズ閾値回路２７の動作を説明するための図である。図１１中、Ｓ１１，Ｓ１２，Ｓ１３，Ｓ１４は、ブランチ１のノイズ量ＤＧ１の閾値１〜閾値３に対する大小関係の状態を示しており、Ｓ１１はノイズ量ＤＧ１＜閾値１の状態、Ｓ１２は閾値１≦ノイズ量ＤＧ１＜閾値２の状態、Ｓ１３は閾値２≦ノイズ量ＤＧ１＜閾値３の状態、Ｓ１４は閾値３≦ノイズ量ＤＧ１の状態を示している。
【０１２５】
また、Ｓ２１，Ｓ２２，Ｓ２３，Ｓ２４は、ブランチ２のノイズ量ＤＧ２の閾値１〜閾値３に対する大小関係の状態を示しており、Ｓ２１はノイズ量ＤＧ２＜閾値１の状態、Ｓ２２は閾値１≦ノイズ量ＤＧ２＜閾値２の状態、Ｓ２３は閾値２≦ノイズ量ＤＧ２＜閾値３の状態、Ｓ２４は閾値３≦ノイズ量ＤＧ２の状態を示している。
【０１２６】
表１はブランチ１，２のノイズ量ＤＧ１，ＤＧ２が取り得る値の状態と、ノイズ閾値回路２７が出力する重み付け係数ＤＯ１，ＤＯ２の値との関係を示すものである。
【０１２７】
【表１】
2006098050.tif 000030
【０１２８】
すなわち、ノイズ閾値回路２７は、重み付け係数ＤＯ１として、ノイズ量ＤＧ１がＳ１１の場合には４、ノイズ量ＤＧ１がＳ１２の場合には３、ノイズ量ＤＧ１がＳ１３の場合には２、ノイズ量ＤＧ１がＳ１４の場合には１を出力し、重み付け係数ＤＯ２として、ノイズ量ＤＧ２がＳ２１の場合には４、ノイズ量ＤＧ２がＳ２２の場合には３、ノイズ量ＤＧ２がＳ２３の場合には２、ノイズ量ＤＧ２がＳ２４の場合には１を出力する。
【０１２９】
このように、ノイズ閾値回路２７は、重み付け係数ＤＯ１，ＤＯ２として、ノイズ量ＤＧ１，ＤＧ２の閾値１〜閾値３との大小関係の状態に応じて、予め設定されている固定値を出力するものである。また、ノイズ閾値回路２７は、重み付け係数選択信号ＤＰとして、ノイズ量ＤＧ１，ＤＧ２の状態がＳ１１，Ｓ２１の場合には、論理１を出力し、それ以外の場合には、論理０を出力する。
【０１３０】
なお、本発明の第４実施例では、ノイズ量算出回路２４−１，２４−２とノイズ量比較回路２５と重み付け係数算出回路２６とノイズ閾値回路２７と重み付け係数選択回路２８とで重み付け係数供給回路が構成されている。
【０１３１】
このように構成された本発明の第４実施例においては、ノイズ量ＤＧ１，ＤＧ２がＳ１１，Ｓ２１の場合には、重み付け回路２２−１，２２−２には重み付け係数算出回路２６が出力する重み付け係数ＤＥ１，ＤＥ２が与えられるので、本発明の第４実施例は本発明の第１実施例の場合と同様に動作し、本発明の第１実施例の場合と同様の効果を得ることができる。
【０１３２】
これに対して、ノイズ量ＤＧ１，ＤＧ２がＳ１１，Ｓ２１の場合以外の場合には、重み付け回路２２−１，２２−２にはノイズ閾値回路２７が出力する重み付け係数ＤＯ１，ＤＯ２が与えられる。
【０１３３】
ここに、ノイズ量ＤＧ１，ＤＧ２の閾値１，閾値２，閾値３に対する状態が異なる場合には、本発明の第１実施例の場合のようにノイズ量ＤＧ１，ＤＧ２のノイズ量比較結果ＤＨに応じた重み付け係数ＤＥ１，ＤＥ２を重み付け回路２２−１，２２−２に与えても、ノイズにより劣化した復調信号の合成量を効果的に減らすことはできないが、本発明の第４実施例にように、固定値からなる重み付け係数ＤＯ１，ＤＯ２を重み付け回路２２−１，２２−２に与えるようにする場合には、固定値の取り方によって、ノイズにより劣化した復調信号の合成量を効果的に減らすことができる。
【０１３４】
以上のように、本発明に係るダイバーシティ受信装置の第４実施例によれば、ブランチ１，２のＯＦＤＭ復調信号ＤＣ１，ＤＣ２は、ノイズ量が多いブランチの復調信号ほど合成割合が小さくなるように合成されるので、ノイズにより劣化した復調信号の合成量を減らし、２系統のブランチを有するダイバーシティ受信装置の受信性能を高めることができる。
【０１３５】
ここで、本発明の第４実施例では、前述した第２実施例と同様に、２個の１段目合成値算出回路と１個の２段目合成値算出回路を設けてなるダイバーシティ受信装置を例にして説明したが、本発明は、３個以上の１段目合成値算出回路と１個の２段目合成値算出回路を設けてなるダイバーシティ受信装置、或いは、４個以上の１段目合成値算出回路と、これらの後段に２階層以上からなる後段合成値算出回路を設けてなるダイバーシティ受信装置を構成する場合にも適用することができる。
【０１３６】
さらに、本発明の第４実施例では、２段目合成値算出回路５０，９０はノイズ量を考慮して合成復調信号ＤＤ１，ＤＤ２の合成を行う構成としたが、２段目合成値算出回路については、従来と同様の構成としても良い。この場合、１段目合成値算出回路３０，４０，７０，８０のノイズ量比較回路３５，４５はノイズ量ＤＪ１，ＤＪ２を出力する構成とする必要はない。
【実施例５】
【０１３７】
図１２は本発明に係るダイバーシティ受信装置の第５実施例の要部を示すブロック回路図である。本発明の第５実施例は、４系統のブランチ（ブランチ１〜ブランチ４）を有するＯＦＤＭ受信装置に使用するものであり、図５に示す本発明の第２実施例が備える１段目合成値算出回路３０，４０および２段目合成値算出回路５０を改良してなる１段目合成値算出回路７０，８０および２段目合成値算出回路９０を備えるものである。
【０１３８】
図１３は１段目合成値算出回路７０の要部を示すブロック回路図である。１段目合成値算出回路７０では、ノィズ閾値回路３７と重み付け係数選択回路３８が設けられている。ノイズ閾値回路３７は、ブランチ１，２のノイズ量ＤＧ１，ＤＧ２と閾値１，閾値２，閾値３（ただし、閾値１＜閾値２＜閾値３）とを入力し、重み付け係数ＤＯ１，ＤＯ２と重み付け係数選択信号ＤＰ１を重み付け係数選択回路３８に対して出力するものであり、本発明の第４実施例が備えるノイズ閾値回路２７と同様の動作を行うものである。
【０１３９】
重み付け係数選択回路３８は、重み付け係数算出回路３６が出力する重み付け係数ＤＥ１，ＤＥ２またはノイズ閾値回路３７が出力する重み付け係数ＤＯ１，ＤＯ２を選択して重み付け回路３２−１，３２−２に与えるものであり、重み付け係数選択信号ＤＰ１＝論理１の場合には、重み付け係数ＤＥ１，ＤＥ２を選択し、重み付け係数選択信号ＤＰ１＝論理０の場合には、重み付け係数ＤＯ１，ＤＯ２を選択する。その他については、図６に示す１段目合成値算出回路３０と同様に構成されている。
【０１４０】
なお、１段目合成値算出回路７０では、ノイズ量算出回路３４−１，３４−２とノイズ量比較回路３５と重み付け係数算出回路３６とノイズ閾値回路３７と重み付け係数選択回路３８とで重み付け係数供給回路が構成されている。
【０１４１】
図１４は１段目合成値算出回路８０の要部を示すブロック回路図である。１段目合成値算出回路８０では、ノィズ閾値回路４７と重み付け係数選択回路４８が設けられている。ノイズ閾値回路４７は、ブランチ３，４のノイズ量ＤＧ３，ＤＧ４と閾値１，閾値２，閾値３とを入力し、重み付け係数ＤＯ３，ＤＯ４と重み付け係数選択信号ＤＰ２を重み付け係数選択回路４８に対して出力するものであり、ノイズ量ＤＧ３，ＤＧ４について、本発明の第１実施例が備えるノイズ閾値回路２７と同様の動作を行うものである。
【０１４２】
重み付け係数選択回路４８は、重み付け係数算出回路４６が出力する重み付け係数ＤＥ３，ＤＥ４またはノイズ閾値回路４７が出力する重み付け係数ＤＯ３，ＤＯ４を選択して重み付け回路４２−３，４２−４に与えるものであり、重み付け係数選択信号ＤＰ２＝論理１の場合には、重み付け係数ＤＥ３，ＤＥ４を選択し、重み付け係数選択信号ＤＰ２＝論理０の場合には、重み付け係数ＤＯ３，ＤＯ４を選択する。その他については、図７に示す１段目合成値算出回路４０と同様に構成されている。
【０１４３】
なお、１段目合成値算出回路８０では、ノイズ量算出回路４４−３，４４−４とノイズ量比較回路４５と重み付け係数算出回路４６とノイズ閾値回路４７と重み付け係数選択回路４８とで重み付け係数供給回路が構成されている。
【０１４４】
図１５は２段目合成値算出回路９０の要部を示すブロック回路図である。２段目合成値算出回路９０では、ノイズ閾値回路５７と重み付け係数選択回路５８が設けられている。ノイズ閾値回路５７は、１段目合成値算出回路７０が出力するノイズ量ＤＪ１と２段目合成値算出回路８０が出力するノイズ量ＤＪ２と閾値１，閾値２，閾値３とを入力し、重み付け係数ＤＱ１，ＤＱ２と重み付け係数選択信号ＤＲを重み付け係数選択回路５８に対して出力するものであり、ノイズ量ＤＪ１，ＤＪ２について、本発明の第１実施例が備えるノイズ閾値回路２７と同様の動作を行うものである。
【０１４５】
重み付け係数選択回路５８は、重み付け係数算出回路５６が出力する重み付け係数ＤＫ１，ＤＫ２またはノイズ閾値回路５７が出力する重み付け係数ＤＱ１，ＤＱ２を選択して重み付け回路５２−１，５２−２に与えるものであり、重み付け係数選択信号ＤＲ＝論理１の場合には、重み付け係数ＤＫ１，ＤＫ２を選択し、重み付け係数選択信号ＤＲ＝論理０の場合には、重み付け係数ＤＱ１，ＤＱ２を選択する。その他については、図８に示す２段目合成値算出回路５０と同様に構成されている。
【０１４６】
なお、２段目合成値算出回路９０では、ノイズ量比較回路５５と重み付け係数算出回路５６とノイズ閾値回路５７と重み付け係数選択回路５８とで重み付け係数供給回路が構成されている。
【０１４７】
このように構成された本発明に係るダイバーシティ受信装置の第５実施例によれば、ブランチ１〜４のＯＦＤＭ復調信号ＤＣ１〜ＤＣ４は、ノイズ量が多いブランチの復調信号ほど合成割合が小さくなるように合成されるので、ノイズにより劣化した復調信号の合成量を減らし、２系統のブランチを有するダイバーシティ受信装置の受信性能を高めることができる。
【実施例６】
【０１４８】
図１６は本発明に係るダイバーシティ受信装置の第６実施例の要部を示すブロック回路図である。本発明の第６実施例は、４系統のブランチ（ブランチ１〜ブランチ４）を有するＯＦＤＭ受信装置に使用するものであり、図９に示す本発明の第３実施例を改良するものである。
【０１４９】
本発明の第６実施例では、ノイズ閾値回路６７と、重み付け係数選択回路６８が設けられている。ノイズ閾値回路６７は、閾値１〜閾値７（ただし、閾値１＜閾値２＜閾値３＜閾値４＜閾値５＜閾値６＜閾値７）とブランチ１〜４のノイズ量ＤＧ１〜ＤＧ４を入力して、重み付け係数ＤＯ１〜ＤＯ４と重み付け係数選択信号ＤＰを重み付け係数選択回路６８に対して出力するものである。
【０１５０】
なお、閾値１〜閾値７としては、例えば、以下の（１）〜（７）の値から選択することができる。（１）シングル方式での受信状態とした場合に、ＣＮ比がシングル方式での受信時に要求される所要値となる場合のノイズ量と同一値。（２）２個のブランチを用いたダイバーシティ方式での受信状態とした場合に、ＣＮ比が２個のブランチを用いたダイバーシティ方式での受信時に要求される所要値となる場合のノイズ量と同一値。
【０１５１】
（３）３個のブランチを用いたダイバーシティ方式での受信状態とした場合に、ＣＮ比が３個のブランチを用いたダイバーシティ方式での受信時に要求される所要値となる場合のノイズ量と同一値。（４）４個のブランチを用いたダイバーシティ方式での受信状態とした場合に、ＣＮ比が４個のブランチを用いたダイバーシティ方式での受信時に要求される所要値となる場合のノイズ量と同一値。
【０１５２】
（５）４個のブランチを用いたダイバーシティ方式での受信状態とし、ＣＮ比を４個のブランチを用いたダイバーシティ方式での受信時に要求される所要値とした場合において、１個のブランチのノイズ量を増やし、ＣＮ比がシングル方式での受信時の所要ＣＮ比と同等になったときのノイズ量と同一値。
【０１５３】
（６）４個のブランチを用いたダイバーシティ方式での受信状態とし、ＣＮ比を４個のブランチを用いたダイバーシティ方式での受信時に要求される所要値とした場合において、２個のブランチのノイズ量を同量増やし、ＣＮ比がシングル方式での受信時の所要ＣＮ比と同等になったときのノイズ量と同一値。
【０１５４】
（７）４個のブランチを用いたダイバーシティ方式での受信状態とし、ＣＮ比を４個のブランチを用いたダイバーシティ方式での受信時に要求される所要値とした場合において、３個のブランチのノイズ量を同量増やし、ＣＮ比がシングル方式での受信時の所要ＣＮ比と同等になったときのノイズ量と同一値。
【０１５５】
重み付け係数選択回路６８は、重み付け係数算出回路６５が出力する重み付け係数ＤＥ１〜ＤＥ４またはノイズ閾値回路６７が出力する重み付け係数ＤＯ１〜ＤＯ４を選択して重み付け回路６２−１〜６２−４に与えるものであり、重み付け係数選択信号ＤＰ＝論理１の場合には、重み付け係数ＤＥ１〜ＤＥ４を選択し、重み付け係数選択信号ＤＰ＝論理０の場合には、重み付け係数ＤＯ１〜ＤＯ４を選択する。その他については、図９に示す本発明の第３実施例と同様に構成されている。
【０１５６】
図１７はノイズ閾値回路６７の動作を説明するための図である。図１７中、Ｓ１１〜Ｓ１８は、ブランチ１のノイズ量ＤＧ１の閾値１〜閾値７に対する大小関係の状態を示しており、Ｓ１１はノイズ量ＤＧ１＜閾値１の状態、Ｓ１２は閾値１≦ノイズ量ＤＧ１＜閾値２の状態、Ｓ１３は閾値２≦ノイズ量ＤＧ１＜閾値３の状態、Ｓ１４は閾値３≦ノイズ量ＤＧ１＜閾値４の状態、Ｓ１５は閾値４≦ノイズ量ＤＧ１＜閾値５の状態、Ｓ１６は閾値５≦ノイズ量ＤＧ１＜閾値６の状態、Ｓ１７は閾値６≦ノイズ量ＤＧ１＜閾値７の状態、Ｓ１８は閾値７≦ノイズ量ＤＧ１の状態を示している。
【０１５７】
Ｓ２１〜Ｓ２８は、ブランチ２のノイズ量ＤＧ２の閾値１〜閾値７に対する大小関係の状態を示しており、Ｓ２１はノイズ量ＤＧ２＜閾値１の状態、Ｓ２２は閾値１≦ノイズ量ＤＧ２＜閾値２の状態、Ｓ２３は閾値２≦ノイズ量ＤＧ２＜閾値３の状態、Ｓ２４は閾値３≦ノイズ量ＤＧ２＜閾値４の状態、Ｓ２５は閾値４≦ノイズ量ＤＧ２＜閾値５の状態、Ｓ２６は閾値５≦ノイズ量ＤＧ２＜閾値６の状態、Ｓ２７は閾値６≦ノイズ量ＤＧ２＜閾値７の状態、Ｓ２８は閾値７≦ノイズ量ＤＧ２の状態を示している。
【０１５８】
Ｓ３１〜Ｓ３８は、ブランチ３のノイズ量ＤＧ３の閾値１〜閾値７に対する大小関係の状態を示しており、Ｓ３１はノイズ量ＤＧ３＜閾値１の状態、Ｓ３２は閾値１≦ノイズ量ＤＧ３＜閾値２の状態、Ｓ３３は閾値２≦ノイズ量ＤＧ３＜閾値３の状態、Ｓ３４は閾値３≦ノイズ量ＤＧ３＜閾値４の状態、Ｓ３５は閾値４≦ノイズ量ＤＧ３＜閾値５の状態、Ｓ３６は閾値５≦ノイズ量ＤＧ３＜閾値６の状態、Ｓ３７は閾値６≦ノイズ量ＤＧ３＜閾値７の状態、Ｓ３８は閾値７≦ノイズ量ＤＧ３の状態を示している。
【０１５９】
Ｓ４１〜Ｓ４８は、ブランチ４のノイズ量ＤＧ４の閾値１〜閾値７に対する大小関係の状態を示しており、Ｓ４１はノイズ量ＤＧ４＜閾値１の状態、Ｓ４２は閾値１≦ノイズ量ＤＧ４＜閾値２の状態、Ｓ４３は閾値２≦ノイズ量ＤＧ４＜閾値３の状態、Ｓ４４は閾値３≦ノイズ量ＤＧ４＜閾値４の状態、Ｓ４５は閾値４≦ノイズ量ＤＧ４＜閾値５の状態、Ｓ４６は閾値５≦ノイズ量ＤＧ４＜閾値６の状態、Ｓ４７は閾値６≦ノイズ量ＤＧ４＜閾値７の状態、Ｓ４８は閾値７≦ノイズ量ＤＧ４の状態を示している。
【０１６０】
本発明の第６実施例では、ノイズ閾値回路６７は、重み付け係数ＤＯ１として、ノイズ量ＤＧ１がＳ１１の場合には８、ノイズ量ＤＧ１がＳ１２の場合には７、ノイズ量ＤＧ１がＳ１３の場合には６、ノイズ量ＤＧ１がＳ１４の場合には５、ノイズ量ＤＧ１がＳ１５の場合には４、ノイズ量ＤＧ１がＳ１６の場合には３、ノイズ量ＤＧ１がＳ１７の場合には２、ノイズ量ＤＧ１がＳ１８の場合には１を出力する。
【０１６１】
また、重み付け係数ＤＯ２として、ノイズ量ＤＧ２がＳ２１の場合には８、ノイズ量ＤＧ２がＳ２２の場合には７、ノイズ量ＤＧ２がＳ２３の場合には６、ノイズ量ＤＧ２がＳ２４の場合には５、ノイズ量ＤＧ２がＳ２５の場合には４、ノイズ量ＤＧ２がＳ２６の場合には３、ノイズ量ＤＧ２がＳ２７の場合には２、ノイズ量ＤＧ２がＳ２８の場合には１を出力する。
【０１６２】
また、重み付け係数ＤＯ３として、ノイズ量ＤＧ３がＳ３１の場合には８、ノイズ量ＤＧ３がＳ３２の場合には７、ノイズ量ＤＧ３がＳ３３の場合には６、ノイズ量ＤＧ３がＳ３４の場合には５、ノイズ量ＤＧ３がＳ３５の場合には４、ノイズ量ＤＧ３がＳ３６の場合には３、ノイズ量ＤＧ３がＳ３７の場合には２、ノイズ量ＤＧ３がＳ３８の場合には１を出力する。
【０１６３】
また、重み付け係数ＤＯ４として、ノイズ量ＤＧ４がＳ４１の場合には８、ノイズ量ＤＧ４がＳ４２の場合には７、ノイズ量ＤＧ４がＳ４３の場合には６、ノイズ量ＤＧ４がＳ４４の場合には５、ノイズ量ＤＧ４がＳ４５の場合には４、ノイズ量ＤＧ４がＳ４６の場合には３、ノイズ量ＤＧ４がＳ４７の場合には２、ノイズ量ＤＧ４がＳ４８の場合には１を出力する。
【０１６４】
このように、ノイズ閾値回路６７は、重み付け係数ＤＯ１〜ＤＯ４として、ノイズ量ＤＧ１〜ＤＧ４の閾値１〜閾値７との大小関係の状態に応じて、予め設定されている固定値を出力するものである。また、ノイズ閾値回路６７は、重み付け係数選択信号ＤＰとして、ノイズ量ＤＧ１，ＤＧ２，ＤＧ３，ＤＧ４の状態がＳ１１，Ｓ２１，Ｓ３１，Ｓ４１の場合には、論理１を出力し、それ以外の場合には、論理０を出力する。
【０１６５】
なお、本発明の第６実施例では、ノイズ量算出回路６４−１〜６４−４とノイズ量比較回路６５と重み付け係数算出回路６６とノイズ閾値回路６７と重み付け係数選択回路６８とで重み付け係数供給回路が構成されている。
【０１６６】
このように構成された本発明の第６実施例においては、ノイズ量ＤＧ１，ＤＧ２，ＤＧ３，ＤＧ４がＳ１１，Ｓ２１，Ｓ３１，Ｓ４１の場合には、重み付け回路６２−１，６２−２，６２−３，６２−４には重み付け係数算出回路６６が出力する重み付け係数ＤＥ１，ＤＥ２，ＤＥ３，ＤＥ４が与えられるので、本発明の第６実施例は本発明の第３実施例の場合と同様に動作し、本発明の第３実施例の場合と同様の効果を得ることができる。
【０１６７】
これに対して、ノイズ量ＤＧ１，ＤＧ２，ＤＧ３，ＤＧ４がＳ１１，Ｓ２１，Ｓ３１，Ｓ４１の場合以外の場合には、重み付け回路６２−１，６２−２，６２−３，６２−４にはノイズ閾値回路６７が出力する重み付け係数ＤＯ１，ＤＯ２，ＤＯ３，ＤＯ４が与えられる。
【０１６８】
ここに、ノイズ量ＤＧ１〜ＤＧ４の閾値１〜閾値７に対する状態が異なる場合には、本発明の第１実施例の場合のようにノイズ量ＤＧ１〜ＤＧ４のノイズ量比較結果ＤＨに応じた重み付け係数ＤＥ１〜ＤＥ４を重み付け回路６２−１〜６２−４に与えても、ノイズにより劣化した復調信号の合成量を効果的に減らすことはできないが、固定値からなる重み付け係数ＤＯ１〜ＤＯ４を重み付け回路６２−１〜６２−４に与えるようにする場合には、固定値の取り方によって、ノイズにより劣化した復調信号の合成量を効果的に減らすことができる。
【０１６９】
以上のように、本発明に係るダイバーシティ受信装置の第６実施例によれば、ブランチ１〜４のＯＦＤＭ復調信号ＤＣ１〜ＤＣ４は、ノイズ量が多いブランチの復調信号ほど合成割合が小さくなるように合成されるので、ノイズにより劣化した復調信号の合成量を減らし、４系統のブランチを有するダイバーシティ受信装置の受信性能を高めることができる。
【実施例７】
【０１７０】
図１８は本発明に係るダイバーシティ受信装置の第７実施例の要部を示すブロック回路図であり、ダイバーシティ合成回路の例を説明するためのものである。
【０１７１】
図１８に示されるように、本第７実施例は、ＯＦＤＭ変調された信号を受信して復調する２ブランチダイバーシティＯＦＤＭ受信装置において、ブランチ１の伝送路推定信号Ｄ３１を元に、電力算出回路Ａ１でブランチ１のＯＦＤＭ信号電力値Ｄ３２を求め、さらに、ブランチ２の伝送路推定信号Ｄ３３を元に、伝送路推定信号を元に電力算出回路Ａ２でブランチ２のＯＦＤＭ信号電力値Ｄ３４を求める。
【０１７２】
各ブランチのノイズ算出器（ノイズ量算出回路）Ａ３およびＡ４で算出されたノイズ量Ｄ３５およびＤ３６は、ノイズ比較器Ａ５，割合算出回路Ａ６およびノイズ閾値回路Ａ７に入力される。割合算出回路Ａ６で算出される各ブランチの合成量の割合Ｄ３７およびＤ３８、ノイズ閾値回路Ａ７で算出された各ブランチのノイズレベルＤ３９、並びに、合成量の割合を示す信号Ｄ４０およびＤ４１は、合成量選択回路Ａ８に入力され、ノイズレベルＤ３９により選択されて各ブランチの伝送路推定信号を元に算出された値Ｄ３２およびＤ３４に乗算され、ＯＦＤＭ信号電力値Ｄ４２およびＤ４５が算出される。
【０１７３】
さらに、ブランチ１の復調データＤ４４および合成割合が乗算されたＯＦＤＭ信号電力値Ｄ４２、並びに、ブランチ２の復調データＤ４５および合成割合が乗算されたＯＦＤＭ信号電力値Ｄ４３は、合成値算出回路Ａ９に入力され、この合成値算出回路Ａ９で算出された合成信号Ｄ４５がノイズの影響を軽減した合成信号となる。
【実施例８】
【０１７４】
図１９は本発明に係るダイバーシティ受信装置の第８実施例の要部を示すブロック回路図であり、選択ダイバーシティ回路の例を説明するためのものである。
【０１７５】
図１９に示されるように、本第８実施例は、ＯＦＤＭ変調された信号を受信して復調する２ブランチダイバーシティＯＦＤＭ受信装置において、ブランチ１の伝送路推定信号Ｄ５１を元に、電力算出回路Ａ１でブランチ１のＯＦＤＭ信号電力値Ｄ５２を求め、さらに、ブランチ２の伝送路推定信号Ｄ５３を元に、伝送路推定信号を元に電力算出回路Ａ２でブランチ２のＯＦＤＭ信号電力値Ｄ５４を求める。
【０１７６】
また、デマッピング回路Ａ３０およびＡ４０により、軟判定ビット値（軟判定ビット）Ｄ５５およびＤ５６を決定する。さらに、重み付け量決定回路Ａ５０には、予め軟判定ビット値に対応したテーブルが設けられ、各ブランチの軟判定ビット値Ｄ５５およびＤ５６により、重み付け量Ｄ５７およびＤ５８が決定される。
【０１７７】
乗算器Ａ７０およびＡ８０は、電力算出回路Ａ１およびＡ２で求めたＯＦＤＭ信号電力値データＤ５２およびＤ５４と算出された各ブランチの重み付け量Ｄ５７およびＤ５８との乗算を行う。ブランチ１の復調データＤ６１，合成割合が乗算されたＯＦＤＭ信号電力値Ｄ５９，ブランチ２の復調データＤ６２および合成割合を乗算されたＯＦＤＭ信号電力値Ｄ６０は、合成値算出回路Ａ９に入力され、ノイズの影響が軽減された合成信号Ｄ６３が算出される。
【０１７８】
以上述べたように、本発明によれば、地上波ディジタル放送や無線ＬＡＮ等で、ＯＦＤＭ装置での受信性能向上を行うことができる。また、ダイバーシティ技術において、ノイズ混入時に信号の合成量を制御することにより、従来から行われているノイズが混入されている合成結果と比較して、性能を大幅に向上させることができる。
【０１７９】
図２０は図１９に示すダイバーシティ受信装置の第８実施例の変形例を説明するための図であり、選択ダイバーシティ回路の他の例を説明するためのものである。
【０１８０】
図２０と上述した図１９との比較から明らかなように、本第８実施例の変形例は、第８実施例における合成値算出回路Ａ９の代わりに、ブランチ１の復調データＤ６１およびブランチ２の復調データＤ６２が入力された選択回路Ａ９０を設け、合成割合が乗算されたＯＦＤＭ信号電力値Ｄ５９およびＤ６０の大小を比較回路Ａ９１で判定し、ＯＦＤＭ信号電力値が大きい方のブランチの復調データを選択して出力するようになっている。
【０１８１】
図２１，図２２および図２３は図１９に示すダイバーシティ受信装置の第８実施例におけるデマッピング処理を説明するための図である。ここで、図２１は、ＱＰＳＫ（四位相偏移変調：Quadrature Phase-Shift Keying）コンスタレーションの例を示し、図２２は、通常のデマッピング処理を説明するためのものであり、そして、図２３は、前述した第８実施例に適用するデマッピング処理を説明するためのものである。なお、図２２および図は、Ｉ軸３ビット軟判定の例を示している。
【０１８２】
なお、ＱＰＳＫとは、ディジタル信号をアナログ信号に変換する変調方式の１つであり、変換された後の波における４つの異なる位相にそれぞれ１つの値を割り当てることにより１回変調で４値（２ビット）のデータを送受信することができ、例えば、ディジタル衛星放送やケーブルモデム等に使用される変調方式である。
【０１８３】
図２１に示されるように、本第８実施例において、分散とは、コンスタレーション上での受信信号（受信データの位置ＤＰ）と理想点ＩＰとの間の距離ＤＩＳであり、分散（ＤＩＳ）をノイズ量（キャリアのノイズ量）とする。なお、この分散は、ＣＮ比（Carrier to Noise Ratio）とほぼ等価である。また、上記の分散を一定期間積分したものをノイズ量（任意の単位時間のノイズ量）とすることも可能である。
【０１８４】
図２２に示されるように、通常のデマッピング処理は、入力されたデータ（例えば、１０ビット、１２ビット等）が、どの位置に現れたかを数ビット（図２２では３ビット）の軟判定ビットに置き換える。ここで、図２２において、受信データ（ＤＰ）のＩ軸デマッピング数値は、『１０１』として表す。なお、各範囲の閾値は、予め設定しておく。
【０１８５】
図２３に示されるように、前述した第８実施例に適用するデマッピング処理は、デマッピングを擬似的にノイズ量とするため、図２２を参照して説明した通常のデマッピングとは、各範囲に割り当てる値を変え、硬判定ビット以外の数値をノイズとして扱うようになっている。ここで、硬判定とは、例えば、３ビット軟判定を例にあげると、この時の数値が『１０１』だった場合、最上位ビット『１』が硬判定ビットとなり、残りの『０１』が軟判定ビットとなる。
【０１８６】
図２４，図２５Ａおよび図２５Ｂは本発明のダイバーシティ受信装置における同期変調部のＯＦＤＭセグメント構成の例を示す図である。
【０１８７】
図２４は、同期変調（ＱＰＳＫ，１６ＱＡＭ（Quadrature Amplitude Modulation），６４ＱＡＭのキャリア変調方式）部のＯＦＤＭセグメント（Ｍｏｄｅ１）を示している。なお、図２４において、Ｓijは、インターリーブ後のデータセグメント内のキャリアシンボルを表し、また、ＳＰ（Scattered Pilot：パイロット信号）は、キャリア方向において１２キャリアに１回、シンボル方向において４シンボルに１回の間隔で挿入される。
【０１８８】
なお、図２４において、ＴＭＣＣ（Transmission and Multiplexing Configuration Control）は、制御情報を伝送するために挿入されるものであり、また、ＡＣ（Auxiliary Channel）は、付加情報を伝送するための信号で、ＡＣ１は全てのセグメントに同一数挿入される。
【０１８９】
図２５Ａは、１３セグメントの全てがＡ階層の場合を示し、図２５Ｂは、１３セグメントが３つの階層Ａ，階層Ｂおよび階層Ｃで構成される場合を示している。
【０１９０】
すなわち、階層とは、例えば、ＩＳＤＢ−Ｔ（Terrestrial Integrated Services Digital Broadcasting：日本のディジタルテレビジョン方式）で規定されているものであり、伝送路符号化は、ＯＦＤＭセグメント単位（例えば、ディジタルテレビジョン放送は、１３個のＯＦＤＭセグメント単位、また、ディジタル音声放送は、１または３のＯＦＤＭセグメント単位）に行われる。これにより、１つのテレビジョンチャネルの中で一部を固定受信サービスとし、残りを移動体受信サービス向けとすることができる。このような伝送を階層伝送という。各階層は、１または複数のＯＦＤＭセグメントにより構成され、階層毎に変調方式、符号化率、および、インターリーブ長等のパラメータを設定することができ、最大３までの階層数を設けることができる。
【０１９１】
図２５Ｂは、１３セグメントを、Ａ階層、Ｂ階層およびＣ階層の３つの階層で構成した例を示している。
【０１９２】
なお、図２４，図２５Ａおよび図２５Ｂは本発明を適用し得るＯＦＤＭセグメント構成の例を示すだけのものであり、本発明は、他の様々なセグメント構成に対して幅広く適用することができるのはいうまでもない。
【産業上の利用可能性】
【０１９３】
上述した各実施例の説明では、ブランチが２個の場合、或いは、４個の場合を例にして説明したが、本発明は、ブランチが３個や５個以上の場合にも適用することができる。
【０１９４】
また、上記各実施例においては、本発明をＯＦＤＭ受信装置に使用する場合を例にして説明したが、本発明は、ＯＦＤＭ信号以外の無線信号であっても、伝送路推定信号を含む無線信号を受信するダイバーシティ受信装置に広く適用することができる。
【図面の簡単な説明】
【０１９５】
【図１】従来のダイバーシティ受信装置の一例の要部を示すブロック回路図である。
【図２】本発明に係るダイバーシティ受信装置の一例を概略的に示すブロック図である。
【図３Ａ】本発明に係るダイバーシティ受信装置における閾値を説明するための図（その１）である。
【図３Ｂ】本発明に係るダイバーシティ受信装置における閾値を説明するための図（その２）である。
【図４】本発明に係るダイバーシティ受信装置の第１実施例の要部を示すブロック回路図である。
【図５】本発明に係るダイバーシティ受信装置の第２実施例の要部を示すブロック回路図である。
【図６】本発明に係るダイバーシティ受信装置の第２実施例が備える第１の１段目合成値算出回路の要部を示すブロック回路図である。
【図７】本発明に係るダイバーシティ受信装置の第２実施例が備える第２の１段目合成値算出回路の要部を示すブロック回路図である。
【図８】本発明に係るダイバーシティ受信装置の第２実施例が備える２段目合成値算出回路の要部を示すブロック回路図である。
【図９】本発明に係るダイバーシティ受信装置の第３実施例の要部を示すブロック回路図である。
【図１０】本発明に係るダイバーシティ受信装置の第４実施例の要部を示すブロック回路図である。
【図１１】本発明に係るダイバーシティ受信装置の第４実施例が備えるノイズ閾値回路の動作を説明するための図である。
【図１２】本発明に係るダイバーシティ受信装置の第５実施例の要部を示すブロック回路図である。
【図１３】本発明に係るダイバーシティ受信装置の第５実施例が備える第１の１段目合成値算出回路の要部を示すブロック回路図である。
【図１４】本発明に係るダイバーシティ受信装置の第５実施例が備える第２の１段目合成値算出回路の要部を示すブロック回路図である。
【図１５】本発明に係るダイバーシティ受信装置の第５実施例が備える２段目合成値算出回路の要部を示すブロック回路図である。
【図１６】本発明に係るダイバーシティ受信装置の第６実施例の要部を示すブロック回路図である。
【図１７】本発明に係るダイバーシティ受信装置の第６実施例が備えるノイズ閾値回路の動作を説明するための図である。
【図１８】本発明に係るダイバーシティ受信装置の第７実施例の要部を示すブロック回路図である。
【図１９】本発明に係るダイバーシティ受信装置の第８実施例の要部を示すブロック回路図である。
【図２０】図１９に示すダイバーシティ受信装置の第８実施例の変形例を説明するための図である。
【図２１】図１９に示すダイバーシティ受信装置の第８実施例におけるデマッピング処理を説明するための図（その１）である。
【図２２】図１９に示すダイバーシティ受信装置の第８実施例におけるデマッピング処理を説明するための図（その２）である。
【図２３】図１９に示すダイバーシティ受信装置の第８実施例におけるデマッピング処理を説明するための図（その３）である。
【図２４】本発明のダイバーシティ受信装置における同期変調部のＯＦＤＭセグメント構成の例を示す図（その１）である。
【図２５Ａ】本発明のダイバーシティ受信装置における同期変調部のＯＦＤＭセグメント構成の例を示す図（その２）である。
【図２５Ｂ】本発明のダイバーシティ受信装置における同期変調部のＯＦＤＭセグメント構成の例を示す図（その３）である。
【符号の説明】
【０１９６】
２１−１，２１−２    電力算出回路
２２−１，２２−２    重み付け回路
２３    合成値算出回路
２４−１，２４−２    ノイズ量算出回路
２５    ノイズ量比較回路
２６    重み付け係数算出回路
２７    ノイズ閾値回路
２８    重み付け係数選択回路
３０    １段目合成値算出回路
３１−１，３１−２    電力算出回路
３２−１，３２−２    重み付け回路
３３    合成値算出回路
３４−１，３４−２    ノイズ量算出回路
３５    ノイズ量比較回路
３６    重み付け係数算出回路
３７    ノイズ閾値回路
３８    重み付け係数選択回路
４０    １段目合成値算出回路
４１−３，４１−４    電力算出回路
４２−３，４２−４    重み付け回路
４３    合成値算出回路
４４−３，４４−４    ノイズ量算出回路
４５    ノイズ量比較回路
４６    重み付け係数算出回路
４７    ノイズ閾値回路
４８    重み付け係数選択回路
５０    ２段目合成値算出回路
５２−１，５２−３    重み付け回路
５３    合成値算出回路
５５    ノイズ量比較回路
５６    重み付け係数算出回路
５７    ノイズ閾値回路
５８    重み付け係数選択回路
６１−１〜６１−４    電力算出回路
６２−１〜６２−４    重み付け回路
６３    合成値算出回路
６４−１〜６４−４    ノイズ量算出回路
６５    ノイズ量比較回路
６６    重み付け係数算出回路
６７    ノイズ閾値回路
６８    重み付け係数選択回路
Ａ１，Ａ２    電力算出回路
Ａ３，Ａ４    ノイズ算出器（ノイズ量算出回路）
Ａ５    ノイズ比較器
Ａ６    割合算出回路
Ａ７    ノイズ閾値回路
Ａ８    合成量選択回路
Ａ９    合成値算出回路
Ａ３０，Ａ４０    デマッピング回路
Ａ５０    重み付け量決定回路
Ａ７０，Ａ８０    乗算器
Ａ９０    選択回路
Ａ９１    比較回路
【国際調査報告】
2006098050.tif 000031
2006098050.tif 000032
2006098050.tif 000033
2006098050.tif 000034
2006098050.tif 000035
2006098050.tif 000036
2006098050.tif 000037
2006098050.tif 000038